(57)【要約】  本発明は、悪臭低減組成物を含む送達系、そのような送達系を作成する方法及びそのような送達系によって作成した消費者向け製品に関する。そのような送達系は、芳香があるか又は芳香のない送達系、そのような送達系を含む芳香があるか又は芳香のない製品及びそのような製品で処理される芳香があるか又は芳香のない部位の匂いを過度に邪魔しない。【特許請求の範囲】
【請求項１】
送達系の総重量に基づいて、合計約０．０００２５％〜３０％、好ましくは０．００２５％〜１０％、より好ましくは０．００５％〜５％、最も好ましくは０．０１％〜４％の、１又はそれ以上の悪臭低減物質、好ましくは１〜２０の悪臭低減物質、より好ましくは１〜１５の悪臭低減物質、最も好ましくは１〜１０の悪臭低減物質を含む有益剤であって、前記悪臭低減物質の各々は、ＭＯＲＶが少なくとも０．５、好ましくは０．５〜１０、より好ましくは１〜１０、最も好ましくは１〜５であり、好ましくは前記悪臭低減物質の各々は、ユニバーサルＭＯＲＶ（Universal MORV）を有し、悪臭低減物質の前記合計は、ブロッカー指数（Blocker Index）が３未満、より好ましくは２．５未満、さらにより好ましくは２未満、一層より好ましくは約１未満、最も好ましくは０であり、かつ／又はブロッカー指数平均値が３〜０．００１である、有益剤；及び、所望によりさらなる有益剤を含む、送達系。
【請求項２】
前記悪臭低減物質の芳香剤忠実度指数（Fragrance Fidelity Index）が３未満、好ましくは２未満、より好ましくは１未満、最も好ましくは０であり、かつ／又は芳香剤忠実度指数平均値が３〜０．００１の芳香剤忠実度指数である、請求項１に記載の送達系。
【請求項３】
前記１以上の悪臭低減物質が、０．０１〜８０％の悪臭低減組成物、好ましくは０．１〜７０％の悪臭低減組成物、より好ましくは０．５〜６０％の悪臭低減組成物、最も好ましくは１．０〜４０％の悪臭低減組成物からなる群から選択される、請求項１又は２に記載の送達系。
【請求項４】
以下の
ａ）有益剤の総重量に基づいて、０．１〜５０％の悪臭低減組成物を含む、ポリマー支援型送達（ＰＡＤ）系
ｂ）有益剤の総重量に基づいて、０．１〜７５％の悪臭低減組成物を含む、分子支援型送達（ＭＡＤ）系
ｃ）有益剤の総重量に基づいて、０．１〜２０％の悪臭低減組成物を含む、シクロデキストリン（ＣＤ）系
ｄ）有益剤の総重量に基づいて、０．１〜８０％の悪臭低減組成物を含む、デンプン封入アコード（ＳＥＡ）系
ｅ）有益剤の総重量に基づいて、０．１〜３０％の悪臭低減組成物を含む、ゼオライト＆無機担体（ＺＩＣ）系
からなる群から選択される、請求項１から３のいずれかに記載の送達系。
【請求項５】
前記ポリマー支援型送達（ＰＡＤ）系がポリマー支援型送達（ＰＡＤ）リザーバ系を含む、請求項４に記載のポリマー支援型送達（ＰＡＤ）系。
【請求項６】
前記ポリマー支援型送達（ＰＡＤ）リザーバ系が、シェル材料及びコア材料を含む香料送達粒子であり、前記シェル材料が前記コア材料を取り囲み、前記コア材料が請求項１に記載の悪臭低減物質を含み、前記シェルが、ポリエチレン；ポリアミド；ポリスチレン；ポリイソプレン；ポリカーボネート；ポリエステル；ポリアクリレート；アミノプラスト（一態様では、前記アミノプラストは、ポリ尿素、ポリウレタン、及び／又はポリ尿素ウレタンを含み、一態様では、前記ポリ尿素は、ポリオキシメチレン尿素及び／又はメラミンホルムアルデヒドを含む）；ポリビニルアミン、ポリビニルホルムアミド、ポリオレフィン；ポリビニルアルコール、多糖（一態様では、アルギン酸塩及び／又はキトサン）；ゼラチン；セラック；エポキシ樹脂；ビニルポリマー；水不溶性無機物；シリコーン；及びそれらの混合物からなる群から選択される材料を含み、好ましくは前記香料送達粒子が、５ミクロン〜４５ミクロン、より好ましくは８ミクロン〜２５ミクロンの体積加重平均粒度、あるいは、２５ミクロン〜６０ミクロン、より好ましくは２５ミクロン〜６０ミクロンの体積加重平均粒度を有する、請求項５に記載のポリマー支援型送達（ＰＡＤ）リザーバ系。
【請求項７】
前記シェルが、メラミンホルムアルデヒド及び／又は架橋メラミンホルムアルデヒドを含む、請求項６に記載のポリマー支援型送達（ＰＡＤ）リザーバ系。
【請求項８】
前記シェルが、多糖、カチオン修飾デンプン及びカチオン修飾グアー、ポリシロキサン、ポリハロゲン化ジメチルジアリルアンモニウム、ポリ塩化ジメチルジアリルアンモニウムとビニルピロリドンのコポリマー、アクリルアミド、イミダゾール、ハロゲン化イミダゾリニウム及びハロゲン化イミダゾリウム、並びにポリビニルアミン及びそのＮ−ビニルホルムアミドとのコポリマーからなる群から選択される水溶性カチオンポリマーによってコーティングされている、請求項６に記載のポリマー支援型送達（ＰＡＤ）リザーバ系。
【請求項９】
前記シェルをコーティングする前記コーティングが、カチオン性ポリマー及びアニオン性ポリマーを含む、請求項８に記載のポリマー支援型送達（ＰＡＤ）リザーバ系。
【請求項１０】
ａ）前記カチオン性ポリマーがヒドロキシルエチルセルロースを含み；前記アニオン性ポリマーがカルボキシルメチルセルロースを含む、請求項９に記載のポリマー支援型送達（ＰＡＤ）リザーバ系。
【請求項１１】
前記コアが、
２−エチルヘキシル（Ｚ）−３−（４−メトキシフェニル）アクリレート；２，４−ジメチル−２−（５，５，８，８−テトラメチル−５，６，７，８−テトラヒドロナフタレン−２−イル）−１，３−ジオキソラン；１，１−ジメトキシノン−２−イン；２−（ｐ−トリル）プロパン−２−オール；３−メトキシ−７，７−ジメチル−１０−メチレンビシクロ［４．３．１］デカン；メトキシシクロドデカン；１，１−ジメトキシシクロドデカン；（Ｚ）−トリデカ−２−エンニトリル；（２−ヒドロキシ−４−メトキシフェニル）（フェニル）メタノン；２，４ａ，５，８ａ−テトラメチル−１，２，３，４，４ａ，７，８，８ａ−オクタヒドロナフタレン−１−イルホルメート；４−メチル−１−オキサスピロ［５．５］ウンデカン−４−オール；１，８−ジオキサシクロヘプタデカン−９−オン；４−（ｔｅｒｔ−ペンチル）シクロヘキサン−１−オン；２−メトキシ−１，１’−ビフェニル；３ａ，５，６，７，８，８ｂ−ヘキサヒドロ−２，２，６，６，７，８，８−ヘプタメチル−４Ｈ−インデノ（４，５−ｄ）−１，３−ジオキソール；７−イソプロピル−８，８−ジメチル−６，１０−ジオキサスピロ［４．５］デカン；オクチルフラン−２−カルボキシラート；酢酸オクチル；２−ヘプチル−４−メチル−１，３−ジオキソラン；１，１−ジメトキシオクタン；２−メチル−６−メチレンオクタ−７−エン−２−オール；２−メチル−６−メチレンオクタ−７−エン−２−イルアセテート；テトラデカナール；４−メトキシ−６−プロパ−２−エニル−１，３−ベンゾジオキソール；テトラデカンニトリル；２，２，６，８−テトラメチル−１，２，３，４，４ａ，５，８，８ａ−オクタヒドロナフタレン−１−オール；（Ｅ）−２，６−ジメチルオクタ−５，７−ジエン−２−オール；（Ｅ）−２，７−ジメチルオクタ−１，５，７−トリエン−３−オール；２−（（１Ｓ，５Ｒ）−６，６−ジメチルビシクロ［３．１．１］ヘプタ−２−エン−２−イル）エチルアセテート；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；２−メチル−１４−テトラデカ−９−エノリド；Ｎ−エチル−２−イソプロピル−５−メチルシクロヘキサン−１−カルボキサミド；（Ｅ）−３，７，１１−トリメチルドデカ−１，６，１０−トリエン−３−オール；１−エチル−３−メトキシトリシクロ［２．２．１．０２，６］ヘプタン；メチル（Ｅ）−ノン−２−エノアート；１０−イソプロピル−２，７−ジメチル−１−オキサスピロ［４．５］デカ−３，６−ジエン；２−（２−（４−メチルシクロヘキサ−３−エン−１−イル）プロピル）シクロペンタン−１−オン；６，６−ジメチルビシクロ［３．１．１］ヘプタ−２−エン−２−カルバルデヒド；（Ｅ）−４−（２，２，３，６−テトラメチルシクロヘキシル）−ブタ−３−エン−２−オン；（４−（４−メチルペンタ−３−エン−１−イル）シクロヘキサ−３−エン−１−イル）メチルアセテート；２−（ｔｅｒｔ−ブチル）−４，５，６−トリメチル−１，３−フェニレンジニトリット；１，７−ジオキサシクロヘプタデカン−８−オン；１−（４−（ｔｅｒｔ−ブチル）−２，６−ジメチル−３，５−ジニトロフェニル）エタン−１−オン；１−（ｔｅｒｔ−ブチル）−２−メトキシ−４−メチル−３，５−ジニトロベンゼン；３−メチルシクロペンタデカン−１−オン；（Ｅ）−３−メチルシクロペンタデカ−４−エン−１−オン；１−（４−イソプロピルシクロヘキシル）エタン−１−オール；（Ｅ）−デカ−５−エン酸；２−メチルデカナール；６，６−ジメトキシ−２，５，５−トリメチルヘキサ−２−エン；ステアリン酸メチル；１，１−ジメトキシ−２−メチルウンデカン；ウンデカン−２−オン；２−メチルウンデカナール；メチルテトラデカノアート；メチル（９Ｚ，１２Ｚ）−オクタデカ−９，１２−ジエノアート；１−ヒドロキシデカン−３−オン；パルミチン酸メチル；メチル２−（（１Ｒ，２Ｒ）−３−オキソ−２−（（Ｚ）−ペンタ−２−エン−１−イル）シクロペンチル）アセテート；メチル２−（３−オキソ−２−ペンチルシクロペンチル）アセテート；１−メチル−２−フェノキシベンゼン；メチル２，６，６−トリメチルシクロヘキサ−２−エン−１−カルボキシラート；７−メトキシ−３，７−ジメチルオクタナール；７−イソプロピル−１０−メチル−１，５−ジオキサスピロ［５．５］ウンデカン−３−オール；オクタヒドロ−１Ｈ−４，７−メタノインデン−１−カルバルデヒド；３−（３−（ｔｅｒｔ−ブチル）フェニル）−２−メチルプロパナール；（Ｅ）−４−（４，８−ジメチルノナ−３，７−ジエン−１−イル）ピリジン；（Ｅ）−トリデカ−３，１２−ジエンニトリル；２，２−ジメチル−３−（ｍ−トリル）プロパン−１−オール；２，４−ジメチル−４，４ａ，５，９ｂ−テトラヒドロインデノ［１，２−ｄ］［１，３］ジオキシン；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｓ）−１−メチル−４−（プロパ−１−エン−２−イル）シクロヘキサ−１−エン；３，７−ジメチルオクタ−１，６−ジエン−３−イルオクタノエート；３，７−ジメチルオクタ−１，６−ジエン−３−イルイソブチラート；３，７−ジメチルオクタ−１，６−ジエン−３−イルベンゾエート；３，７−ジメチルオクタ−１，６−ジエン−３−イル２−アミノベンゾエート；２−（５−メチル−５−ビニルテトラヒドロフラン−２−イル）プロパン−２−オール；６−メチル−２−（オキシラン−２−イル）ヘプタ−５−エン−２−オール；（２Ｚ，６Ｅ）−３，７−ジメチルノナ−２，６−ジエンニトリル；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；（Ｅ）−１−（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；ドデカン−１−オール；ドデシルアセテート；ドデカン酸；５−ヘキシル−５−メチルジヒドロフラン−２（３Ｈ）−オン；ドデカナール；３，６−ジメチルヘキサヒドロベンゾフラン−２（３Ｈ）−オン；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール５−（ｓｅｃ−ブチル）−２−（２，４−ジメチルシクロヘキサ−３−エン−１−イル）−５−メチル−１，３−ジオキサン；（１−メチル−２−（（１，２，２−トリメチルビシクロ［３．１．０］ヘキサン−３−イル）メチル）シクロプロピル）メタノール；２−プロピルヘプタンニトリル；２−ヘキシルシクロペンタン−１−オン；２，６，９，１０−テトラメチル−１−オキサスピロ（４．５）デカ−３，６−ジエン；（１Ｒ，２Ｓ，５Ｒ）−５−メチル−２−（プロパ−１−エン−２−イル）シクロヘキサン−１−オール；パルミチン酸イソプロピル；イソプロピルテトラデカノアート；イソプロピルドデカノアート；４，９−ジメトキシ−７Ｈ−フロ［３，２−ｇ］クロメン−７−オン；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルバルデヒド；（Ｚ）−１−（ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；２，５，６−トリメチルシクロヘキサ−３−エン−１−カルバルデヒド；６−（ｓｅｃ−ブチル）キノリン；２−（シクロヘキシルオキシ）−１，７，７−トリメチルビシクロ［２．２．１］ヘプタン；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチラート；４−（（２Ｒ）−１，７，７−トリメチルビシクロ［２．２．１］ヘプタン−２−イル）シクロヘキサン−１−オール；（１Ｒ，４Ｓ）−１，７，７−トリメチルビシクロ［２．２．１］ヘプタン−２−イルアセテート；２−（４−イソプロピルシクロヘキサ−１，４−ジエン−１−イル）エチルホルメート；イソペンチル（Ｅ）−ウンデカ−６−エノアート；イソペンチルドデカノアート；（Ｅ）−オキサシクロヘプタデカ−１０−エン−２−オン；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；４，４ａ，５，９ｂ−テトラヒドロインデノ［１，２−ｄ］［１，３］ジオキシン；３，７−ジメチルオクタン−１，７−ジオール；２−シクロドデシルプロパン−１−オール；３−メチル−５−フェニルペンタンニトリル；（１，１−ジメトキシプロパン−２−イル）ベンゼン；２，３−ジヒドロ−３，３−ジメチル−１Ｈ−インデン−５−プロパナール；３−（３，３−ジメチル−２，３−ジヒドロ−１Ｈ−インデン−５−イル）プロパナール；オクタン酸ヘキシル；ヘキサン酸ヘキシル；（Ｚ）−２−ベンジリデンオクタナール；安息香酸ヘキシル；（Ｚ）−ヘキサ−１−エン−１−イル（Ｚ）−２−メチル−ブタ−２−エノアート；
（Ｅ）−３，７−ジメチルオクタ−２，６−ジエン−１−イルパルミテート；オキサシクロヘプタデカン−２−オン；２−ブチル−４，４，６−トリメチル−１，３−ジオキサン；エチル（１Ｒ，２Ｒ，３Ｒ，４Ｒ）−３−イソプロピルビシクロ［２．２．１］ヘプタ−５−エン−２−カルボキシラート；３ａ，４，５，６，７，７ａ−ヘキサヒドロ−１Ｈ−４，７−メタノインデン−６−イルアセテート；２−（１−（３，３−ジメチルシクロヘキシル）エトキシ）−２−メチルプロピルプロピオネート；５−（ジエトキシメチル）ベンゾ［ｄ］［１，３］ジオキソール；３−（ベンゾ［ｄ］［１，３］ジオキソール−５−イル）−２−メチルプロパナール；（Ｅ）−オキサシクロヘキサデカ−１３−エン−２−オン；６−ブチル−２，４−ジメチル−３，６−ジヒドロ−２Ｈ−ピラン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；エチル２−エチル−６，６−ジメチルシクロヘキサ−２−エン−１−カルボキシラート；（１Ｚ，５Ｚ）−１，５−ジメチル−８−（プロパン−２−イリデン）シクロデカ−１，５−ジエン；（１Ｅ，６Ｅ）−８−イソプロピル−１−メチル−５−メチレンシクロデカ−１，６−ジエン；（Ｅ）−３，７−ジメチルオクタ−２，６−ジエン−１−イル２−フェニルアセテート；（Ｅ）−３，７−ジメチルオクタ−２，６−ジエン−１−イル２−フェニルアセテート；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（Ｚ）−４−（２，２−ジメチル−６−メチレンシクロヘキシル）−ブタ−３−エン−２−オン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，３ａＲ，４Ｒ，７Ｒ）−１，４−ジメチル−７−（プロパ−１−エン−２−イル）−１，２，３，３ａ，４，５，６，７−オクタヒドロアズレン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）−ブタ−２−エン−１−オン；５−ヘキシルジヒドロフラン−２（３Ｈ）−オン；（１Ｒ，４ａＳ，８ａＳ）−１−イソプロピル−７−メチル−４−メチレン−１，２，３，４，４ａ，５，６，８ａ−オクタヒドロナフタレン；１−（３，３−ジメチルシクロヘキシル）ペンタ−４−エン−１−オン；４，６，６，７，８，８−ヘキサメチル−１，３，４，６，７，８−ヘキサヒドロシクロペンタ［ｇ］イソクロメン；フラン−２−イルメチルオクタノエート；フラン−２−イルメチルヘキサノエート；フラン−２−イルメチルヘプタノエート；２−メチルデカンニトリル；８，８−ジメチル−３ａ，４，５，６，７，７ａ−ヘキサヒドロ−１Ｈ−４，７−メタノインデン−６−イルプロピオネート；エチル（３ａＲ，４Ｓ，７Ｒ，７ａＲ）−オクタヒドロ−３ａＨ−４，７−メタノインデン−３ａ−カルボキシラート；ジエチルシクロヘキサン−１，４−ジカルボキシラート；（６−イソプロピル−９−メチル−１，４−ジオキサスピロ［４．５］デカン−２−イル）メタノール；２−イソブチル−４−メチルテトラヒドロ−２Ｈ−ピラン−４−オール；ウンデカ−１０−エンニトリル；（Ｚ）−６−エチリデンオクタヒドロ−２Ｈ−５，８−メタノクロメン−２−オン；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；８，８−ジメチル−３ａ，４，５，６，７，７ａ−ヘキサヒドロ−１Ｈ−４，７−メタノインデン−６−イルアセテート；３−（４−エチルフェニル）−２，２−ジメチルプロパンニトリル；２−ヘプチルシクロペンタン−１−オン；１−エトキシエトキシシクロドデカン；３−シクロヘキセン−１−カルボン酸、２，６，６−トリメチル−、メチルエステル；（２Ｅ，６Ｅ）−３，７，１１−トリメチルドデカ−２，６，１０−トリエン−１−イルアセテート；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェニルアセテート；エチル３−メチル−３−フェニルオキシラン−２−カルボキシラート；１，４−ジオキサシクロヘプタデカン−５，１７−ジオン；エチルウンデカ−１０−エノアート；パルミチン酸エチル；ノナン酸エチル；エチルテトラデカノアート；（Ｅ）−３，７−ジメチルノナ−１，６−ジエン−３−オール；ドデカン酸メチル；デカン酸エチル；エチル６，６−ジメチル−２−メチレンシクロヘキサ−３−エン−１−カルボキシラート；エチル３−フェニルオキシラン−２−カルボキシラート；６−エチル−２，１０，１０−トリメチル−１−オキサスピロ［４．５］デカ−３，６−ジエン；２−（（１Ｒ，３Ｓ，４Ｓ）−４−メチル−３−（プロパ−１−エン−２−イル）−４−ビニルシクロヘキシル）プロパン−２−オール；（２−（１−エトキシエトキシ）エチル）ベンゼン；（Ｅ）−３−メチル−５−（２，２，３−トリメチルシクロペンタ−３−エン−１−イル）ペンタ−４−エン−２−オール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；１，１−ジメトキシドデカン；（Ｒ）−１−メチル−４−（プロパ−１−エン−２−イル）シクロヘキサ−１−エン；７，９−ジメチルスピロ［５．５］ウンデカン−３−オン；２−メチル−１−フェニルプロパン−２−イルブチラート；２，６−ジメチルオクタ−７−エン−４−オン；オクタヒドロ−１Ｈ−４，７−メタノインデン−５−イルアセテート；２−メチル−５−（プロパ−１−エン−２−イル）シクロヘキシルアセテート；２−メチル−５−（プロパ−１−エン−２−イル）シクロヘキサン−１−オール；３，７−ジメチルオクタ−６−エン−３−オール；メチル２−ヘキシル−３−オキソシクロペンタン−１−カルボキシラート；１，２−ジフェニルエタン；６−ヘキシルテトラヒドロ−２Ｈ−ピラン−２−オン；（３Ｒ，４Ｒ）−１−イソプロピル−４−メチル−３−（プロパ−１−エン−２−イル）−４−ビニルシクロヘキサ−１−エン；（３Ｓ，３ａＳ，５Ｒ）−３，８−ジメチル−５−（プロパ−１−エン−２−イル）−１，２，３，３ａ，４，５，６，７−オクタヒドロアズレン；６−ヘプチルテトラヒドロ−２Ｈ−ピラン−２−オン；６−ヘキシルテトラヒドロ−２Ｈ−ピラン−２−オン；６−ペンチルテトラヒドロ−２Ｈ−ピラン−２−オン；（１Ｓ，８ａＲ）−４，７−ジメチル−１−（プロパン−２−イル）−１，２，３，５，６，８ａ−ヘキサヒドロナフタレン；（Ｚ）−１−（（１Ｒ，２Ｓ）−２，６，６−トリメチルシクロヘキサ−３−エン−１−イル）−ブタ−２−エン−１−オン；（（１Ｓ，８ａＳ）−１−イソプロピル−４，７−ジメチル−１，２，３，５，６，８ａ−ヘキサヒドロナフタレン；３，７，７−トリメチルビシクロ［４．１．０］ヘプタ−３−エン；デカ−９−エン−１−オール；デシルプロピオネート；１，１−ジエトキシデカン；１−シクロヘキシルエチル（Ｅ）−ブタ−２−エノアート；３−（４−イソプロピルフェニル）−２−メチルプロパナール；シクロテトラデカン；シクロペンタデカノン；シクロヘキシル２−ヒドロキシベンゾエート；３ａ，４，５，６，７，７ａ−ヘキサヒドロ−１Ｈ−４，７−メタノインデン−６−イルブチラート；１，４−ジオキサシクロヘキサデカン−５，１６−ジオン；８，８−ジメチル−１，２，３，４，５，６，７，８−オクタヒドロナフタレン−２−カルバルデヒド；３ａ，４，５，６，７，７ａ−ヘキサヒドロ−１Ｈ−４，７−メタノインデン−５−イルイソブチラート；（５Ｒ，６Ｒ）−３，６−ジメチル−５−（プロパ−１−エン−２−イル）−６−ビニル−４，５，６，７−テトラヒドロベンゾフラン；（４−イソプロピルフェニル）メタノール；２−（３−フェニルプロピル）ピリジン；ドデカンニトリル；（Ｅ）−シクロヘプタデカ−９−エン−１−オン；３−（４−メチルシクロヘキサ−３−エン−１−イル）−ブタ−３−エン−１−イルアセテート；３−（４−メチルシクロヘキサ−３−エン−１−イル）ブタン−１−オール；（Ｅ）−３−メチル−５−フェニルペンタ−２−エンニトリル；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−１，１−ジエトキシ−３，７−ジメチルオクタ−２，６−ジエン；（１Ｒ，４Ｒ，６Ｓ）−１−メチル−４−（プロパ−１−エン−２−イル）−７−オキサビシクロ［４．１．０］ヘプタン；（Ｅ）−オキサシクロヘプタデカ−１１−エン−２−オン；（１Ｒ，５Ｒ）−２−メチル−５−（プロパ−１−エン−２−イル）シクロヘキサ−２−エン−１−オール；（Ｅ）−ヘキサ−３−エン−１−イル（Ｅ）−ヘキサ−３−エノアート；（Ｚ）−ヘキサ−３−エン−１−イル２−ヒドロキシベンゾエート；（Ｚ）−ヘキサ−３−エン−１−イルベンゾエート；（Ｚ）−ヘキサ−３−エン−１−イル２−メチルブタノエート；プロピオン酸シンナミル；イソ酪酸シンナミル；ケイ皮酸シンナミル；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；（３ａＲ，５ａＲ，９ａＲ，９ｂＲ）−３ａ，６，６，９ａ−テトラメチルドデカヒドロナフト［２，１−ｂ］フラン；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（４Ｚ，８Ｚ）−１，５，９−トリメチル−１３−オキサビシクロ［１０．１．０］トリデカ−４，８−ジエン；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；５−メチル−１−（２，２，３−トリメチルシクロペンタ−３−エン−１−イル）−６−オキサビシクロ［３．２．１］オクタン；１，１，２，３，３−ペンタメチル−１，２，３，５，６，７−ヘキサヒ
ドロ−４Ｈ−インデン−４−オン；（Ｚ）−４，１１，１１−トリメチル−８−メチレンビシクロ［７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカン−１−オール；２−メチル−５−（プロパ−１−エン−２−イル）シクロヘキサ−２−エン−１−イルアセテート；デカン酸；３−（４−メトキシフェニル）−２−メチルプロパナール；１，７，７−トリメチルビシクロ［２．２．１］ヘプタン−２，３−ジオン；２，２−ジメチル−３−メチレンビシクロ［２．２．１］ヘプタン；エチル２−メチル−４−オキソ−６−ペンチルシクロヘキサ−２−エン−１−カルボキシラート；２，６−ジ−ｔｅｒｔ−ブチル−４−メチルフェノール；ステアリン酸ブチル；１−ブタ−キシ−１−オキソプロパン−２−イルブチラート；ブチルウンデカ−１０−エノアート；２−メチル−４−（２，２，３−トリメチルシクロペンタ−３−エン−１−イル）ブタン−１−オール；３−（４−（ｔｅｒｔ−ブチル）フェニル）プロパナール；（１Ｓ，２Ｓ）−１，７，７−トリメチルビシクロ［２．２．１］ヘプタン−２−イルイソブチラート；１，７，７−トリメチルビシクロ［２．２．１］ヘプタン−２−イルアセテート；２−エトキシ−２，６，６−トリメチル−９−メチレンビシクロ［３．３．１］ノナン；（エトキシメトキシ）シクロドデカン；（Ｅ）−１−メチル−４−（６−メチルヘプト−５−エン−２−イリデン）シクロヘキサ−１−エン；３，３，６，７−テトラメチルオクタヒドロ−２Ｈ−クロメン；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキシルアセテート；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｒ）−３−メチレン−６−（（Ｓ）−６−メチルヘプト−５−エン−２−イル）シクロヘキサ−１−エン；（４ａＲ，７Ｒ，８ａＳ）−４ａ−メチル−１−メチレン−７−（プロパ−１−エン−２−イル）デカヒドロナフタレン；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；６，６−ジメチル−２−メチレンビシクロ［３．１．１］ヘプタン；２−エトキシナフタレン；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン；（Ｒ）−３，５，５，９−テトラメチル−２，４ａ，５，６，７，８−ヘキサヒドロ−１Ｈ−ベンゾ［７］アヌレン；（１Ｓ，４Ｓ）−１，４−ジメチル−７−（プロパン−２−イリデン）−１，２，３，４，５，６，７，８−オクタヒドロアズレン；（２，２−ジメトキシエチル）ベンゼン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレントリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；（Ｓ）−４−メチル−１−（（Ｓ）−６−メチルヘプト−５−エン−２−イル）シクロヘキサ−３−エン−１−オール；（Ｚ）−４−（２，２，６−トリメチル−７−オキサビシクロ［４．１．０］ヘプタン−１−イル）−ブタ−３−エン−２−オン；４−メトキシ−７Ｈ−フロ［３，２−ｇ］クロメン−７−オン；２−メチル−４−フェニルブタン−２−オール；ドデカン酸ベンジル；ケイ皮酸ベンジル；安息香酸ベンジル；７−イソペンチル−２Ｈ−ベンゾ［ｂ］［１，４］ジオキセピン−３（４Ｈ）−オン；２’−イソプロピル−１，７，７−トリメチルスピロ［ビシクロ［２．２．１］ヘプタン−２，４’−［１，３］ジオキサン］／Ａ；４−（４−メチルペンタ−３−エン−１−イル）シクロヘキサ−３−エン−１−カルボニトリル；メチル（Ｅ）−２−（（７−ヒドロキシ−３，７−ジメチルオクチリデン）アミノ）ベンゾエート；４−メトキシベンジル２−フェニルアセテート；ペンチル（Ｚ）−３−フェニルアクリレート；（３ａＲ，５ａＳ，９ａＳ，９ｂＲ）−３ａ，６，６，９ａ−テトラメチルドデカヒドロナフト［２，１−ｂ］フラン；（４ａＲ，５Ｒ，７ａＳ，９Ｒ）−２，２，５，８，８，９ａ−ヘキサメチルオクタヒドロ−４Ｈ−４ａ，９−メタノアズレノ［５，６−ｄ］［１，３］ジオキソール；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（３Ｓ，５ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン；２，２，６，６，７，８，８−ヘプタメチルデカヒドロ−２Ｈ−インデノ［４，５−ｂ］フラン；２，２，７，７，８，９，９−ヘプタメチルデカヒドロインデノ［４，３ａ−ｂ］フラン；２−（ｓｅｃ−ブチル）−１−ビニルシクロヘキシルアセテート；（１Ｓ，４Ｒ，５Ｒ）−１−イソプロピル−４−メチルビシクロ［３．１．０］ヘキサン−３−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；２−（４−メチルシクロヘキサ−３−エン−１−イル）プロパン−２−イルプロピオネート；（２Ｚ，６Ｅ，９Ｅ）−２，６，１０−トリメチルドデカ−２，６，９，１１−テトラエナール；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（Ｅ）−５−（２，３−ジメチルトリシクロ［２．２．１．０２，６］ヘプタン−３−イル）−２−メチルペンタ−２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；１−（５，５−ジメチルシクロヘキサ−１−エン−１−イル）ペンタ−４−エン−１−オン；（１Ｓ，４ａＳ，８ａＲ）−１−イソプロピル−４，７−ジメチル−１，２，４ａ，５，６，８ａ−ヘキサヒドロナフタレン；（Ｒ，Ｚ）−１−（２，６，６−トリメチルシクロヘキサ−２−エン−１−イル）ペンタ−１−エン−３−オン；１−メチル−４−（プロパ−１−エン−２−イル）シクロヘキサ−１−エン；（Ｚ）−４−（２，５，６，６−テトラメチルシクロヘキサ−２−エン−１−イル）−ブタ−３−エン−２−オン；（１Ｚ，４Ｅ，８Ｚ）−２，６，６，９−テトラメチルシクロウンデカ−１，４，８−トリエン；（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；１，４−ジメチル−７−（プロパ−１−エン−２−イル）−１，２，３，４，５，６，７，８−オクタヒドロアズレン；（３Ｅ，６Ｅ）−３，７，１１−トリトリメチルドデカ−１，３，６，１０−テトラエン；７，７−ジメチル−２−メチレンビシクロ［２．２．１］ヘプタン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（Ｒ）−１−メチル−４−（６−メチルヘプト−５−エン−２−イル）ベンゼン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；１Ｓ，４ａＲ，８ａＲ）−１−イソプロピル−４，７−ジメチル−１，２，４ａ，５，６，８ａ−ヘキサヒドロナフタレン；（Ｒ）−２−（（Ｒ）−４−メチルシクロヘキサ−３−エン−１−イル）ヘキサ−５−エン−２−オール；（Ｚ）−１−メチル−４−（６−メチルヘプトａ−２，５−ジエン−２−イル）シクロヘキサ−１−エン；２，６−ジメチル−６−（４−メチルペンタ−３−エン−１−イル）ビシクロ［３．１．１］ヘプタ−２−エン；（Ｅ）−２−ベンジリデンヘプタン−１−オール；（Ｅ）−２−ベンジリデンヘプチルアセテート；（Ｚ）−（２−（ジエトキシメチル）ヘプタ−１−エン−１−イル）ベンゼン；（Ｅ）−２−ベンジリデンヘプタナール；（１Ｓ，４ａＲ，８ａＳ）−１−イソプロピル−４，７−ジメチル−１，２，４ａ，５，６，８ａ−ヘキサヒドロナフタレン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；１−メチル−４−（４−メチルペンタ−３−エン−１−イル）シクロヘキサ−３−エン−１−カルバルデヒド；３−メチル−１−フェニルペンタン−３−オール；２，６，１０−トリメチルウンデカナール；α−４−ジメチルベンゼンプロパナール；アリル３−シクロヘキシルプロパノエート；アリル２−（イソペンチルオキシ）アセテート；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；メチル（Ｅ）−２−（（（３，５−ジメチルシクロヘキサ−３−エン−１−イル）メチレン）アミノ）ベンゾエート；２，６，１０−トリメチルウンデカ−９−エナール；（７，７，８，８−テトラメチルオクタヒドロ−２，３ｂ−メタノシクロペンタ［１，３］シクロプロパ［１，２］ベンゼン−４−イル）メチルアセテート；ノニルアセテート；（２−（１−プロポキシエトキシ）エチル）ベンゼン；（（１−（２−メトキシエトキシ）エトキシ）メチル）ベンゼン；（Ｚ）−２−（４−メチルベンジリデン）ヘプタナール；（Ｚ）−オキサシクロヘプタデカ−８−エン−２−オン；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６−イソプロピルキノリン；３−（６，６−ジメチルビシクロ［３．１．１］ヘプタ−２−エン−２−イル）プロパナール；６，１０，１４−トリメチルペンタデカン−２−オン；２−メチル−５−（プロパ−１−エン−２−イル）−２−ビニルテトラヒドロフラン；（Ｅ）−シクロヘキサデカ−５−エン−１−オン；１−イソプロピル−４−メチルシクロヘキサ−３−エン−１−オール；１−イソプロピル−４−メチルシクロヘキサ−３−エン−１−オール；３，６−ジメチル−４，５，６，
７−テトラヒドロベンゾフラン；４−（４−メトキシフェニル）ブタン−２−オン；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；３−メチル−５−フェニルペンタナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；フェネチルブチラート；（Ｚ）−３−（フラン−２−イル）−２−フェニルアクリルアルデヒド；２−イソブチルキノリン；（Ｅ）−２−ヘキシリデンシクロペンタン−１−オン；２−ヘプチルテトラヒドロフラン；２，６−ジメチルオクタナール；デカン−１−オール；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−６，１０−ジメチルウンデカ−５，９−ジエン−２−イルアセテート；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｅ）−６，１０−ジメチルウンデカ−５，９−ジエン−２−イルアセテート；（Ｚ）−３−メチル−５−フェニルペンタ−２−エンニトリル；（２Ｓ，５Ｓ，６Ｓ）−２，６，１０，１０−テトラメチル−１−オキサスピロ［４．５］デカン−６−オール；（２Ｅ）−３−メチル−５−フェニル−２−ペンテンニトリル；（１Ｓ，２Ｓ，５Ｓ）−２−メチル−５−（プロパ−１−エン−２−イル）シクロヘキサン−１−オール；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）−ブタ−２−エン−１−オール；２−（８−イソプロピル−６−メチルビシクロ［２．２．２］オクタ−５−エン−２−イル）−１，３−ジオキソラン；（Ｅ）−４−（２，２−ジメチル−６−メチレンシクロヘキシル）−３−メチル−ブタ−３−エン−２−オン；３−（３−イソプロピルフェニル）ブタナール；３−（１−エトキシエトキシ）−３，７−ジメチルオクタ−１，６−ジエン；３ａ，４，５，６，７，７ａ−ヘキサヒドロ−１Ｈ−４，７−メタノインデン−６−イルプロピオネート；２−（（３Ｓ，３ａＳ，５Ｒ）−３，８−ジメチル−１，２，３，３ａ，４，５，６，７−オクタヒドロアズレン−５−イル）プロパン−２−オール；ベンジル２−フェニルアセテート；２−ヒドロキシ−１，２−ジフェニルエタン−１−オン；（Ｅ）−１，２，４−トリメトキシ−５−（プロパ−１−エン−１−イル）ベンゼン；３−（６，６−ジメチルビシクロ［３．１．１］ヘプタ−２−エン−２−イル）−２，２−ジメチルプロパナール；２−メチル−５−（６−メチルヘプト−５−エン−２−イル）ビシクロ［３．１．０］ヘキサ−２−エン；１−（１，１，２，３，３，６−ヘキサメチル−２，３−ジヒドロ−１Ｈ−インデン−５−イル）エタン−１−オン；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；ｐ−トリルイソブチラート；ｐ−トリルフェニルアセテート；５−ヘキシル−４−メチルジヒドロフラン−２（３Ｈ）−オン；エチル（２Ｚ，４Ｅ）−デカ−２，４−ジエノアート；２，４−ジメチル−６−フェニル−３，６−ジヒドロ−２Ｈ−ピラン；２−シクロヘキシリンデン−２−フェニルアセトニトリル；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；（４−（プロパ−１−エン−２−イル）シクロヘキサ−１−エン−１−イル）メタノール；（２−イソプロポキシエチル）ベンゼン；２−シクロヘキシルヘプタ−１，６−ジエン−３−オン；（２−（シクロヘキシルオキシ）エチル）ベンゼン；フェネチル２−メチルブタノエート；フェネチル２−フェニルアセテート；３−メチル−５−フェニルペンタン−１−オール；安息香酸フェニル；安息香酸フェネチル；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−（ベンゾ［ｄ］［１，３］ジオキソール−５−イル）ブタン−２−オン；３ａ，４，５，６，７，７ａ−ヘキサヒドロ−１Ｈ−４，７−メタノインデン−６−イルピバレート；（４ａＲ，８ａＳ）−７−メチルオクタヒドロ−１，４−メタノナフタレン−６（２Ｈ）−オン；４−イソプロピル−１−メチルシクロヘキサ−３−エン−１−オール；（Ｅ）−３，３−ジメチル−５−（２，２，３−トリメチルシクロペンタ−３−エン−１−イル）ペンタ−４−エン−２−オール；１−メチル−４−（４−メチルペンタ−３−エン−１−イル）シクロヘキサ−３−エン−１−カルバルデヒド；ｐ−トリル２−フェニルアセテート；エチル２，４，７−デカトリエノアート；２−ベンジル−４，４，６−トリメチル−１，３−ジオキサン；２，４−ジメチル−４−フェニルテトラヒドロフラン；（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］；（Ｚ）−６−エチリデンオクタヒドロ−２Ｈ−５，８−メタノクロメン；２−（（Ｓ）−１−（（Ｓ）−３，３−ジメチルシクロヘキシル）エトキシ）−２−オキソエチルプロピオネート；メチル２，２−ジメチル−６−メチレンシクロヘキサン−１−カルボキシラート；２−メチル−５−フェニルペンタン−１−オール；４−メチル−２−フェニル−３，６−ジヒドロ−２Ｈ−ピラン；（１Ｓ，３Ｒ，５Ｓ）−１−イソプロピル−４−メチレンビシクロ［３．１．０］ヘキサン−３−オール；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３−エン−１−イル）−ブタ−２−エン−１−オール；（Ｅ）−２−メチル−４−（２，２，３−トリメチルシクロペンタ−３−エン−１−イル）−ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；１−（３−ヒドロキシ−３−メチルペンタ−４−エン−１−イル）−２，５，５，８ａ−テトラメチルデカヒドロナフタレン−２−オール；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（４ａＲ，８ａＲ）−４ａ，８−ジメチル−２−（プロパン−２−イリデン）−１，２，３，４，４ａ，５，６，８ａ−オクタヒドロナフタレン；２−（１−（３，３−ジメチルシクロヘキシル）エトキシ）−２−メチルプロピルシクロプロパンカルボキシラート；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；（１Ｒ，３Ｒ，６Ｒ）−２’，２’，３，７，７−ペンタメチルスピロ［ビシクロ［４．１．０］ヘプタン−２，５’−［１，３］ジオキサン］；２−メチル−１，５−ジオキサスピロ［５．５］ウンデカン；１−（スピロ［４．５］デカ−７−エン−７−イル）ペンタ−４−エン−１−オン；２−（ヘプタン−３−イル）−１，３−ジオキソラン；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３−メチル−２−ペンチルシクロペンタン−１−オン；２，６，１０，１０−テトラメチル−１−オキサスピロ［４．５］デカ−６−エン；２−（２−メルカプトプロパン−２−イル）−５−メチルシクロヘキサン−１−オン；（１ａＲ，４ａＳ）−２，４ａ，８，８−テトラメチル−１，１ａ，４，４ａ，５，６，７，８−オクタヒドロシクロプロパ［ｄ］ナフタレン；１−イソプロピル−２−メトキシ−４−メチルベンゼン；１−（２，２，６−トリメチルシクロヘキシル）ヘキサン−３−オール；（２Ｅ，６Ｅ）−３，７，１１−トリメチルドデカ−２，６，１０−トリエン−１−オール；（Ｚ）−オキサシクロヘプタデカ−８−エン−２−オン；メチル２−（（１Ｓ，２Ｓ）−３−オキソ−２−ペンチルシクロペンチル）アセテート；７−（１，１−ジメチルエチル）−２Ｈ−１，５−ベンゾジオキセピン−３（４Ｈ）−オン；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；トリエチル２−ヒドロキシプロパン−１，２，３−トリカルボキシラート；メチル２−（（１−ヒドロキシ−３−フェニルブチル）アミノ）ベンゾエート；１−（（２Ｅ，５Ｚ，９Ｚ）−２，６，１０−トリメチルシクロドデカ−２，５，９−トリエン−１−イル）エタン−１−オン；デカヒドロ−２，６，６，７，８，８−ヘキサメチル−２ｈ−インデノ（４，５−ｂ）フラン；１３−メチルオキサシクロペンタデカ−１０−エン−２−オン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；２−（（２Ｒ，８Ｒ，８ａＳ）−８，８ａ−ジメチル−１，２，３，４，６，７，８，８ａ−オクタヒドロナフタレン−２−イル）プロパン−２−オール；４−ホルミル−２−メトキシフェニルイソブチラート；（Ｚ）−２−メチル−４−（２，６，６−トリメチルシクロヘキサ−２−エン−１−イル）−ブタ−２−エナール；メチル２，４−ジヒドロキシ−３，６−ジメチルベンゾエート；１−メトキシ−３ａ，４，５，６，７，７ａ−ヘキサヒドロ−１Ｈ−４，７−メタノインデン；メチル（Ｚ）−２−（（３−（４−（ｔｅｒｔ−ブチル）フェニル）−２−メチルプロピリデン）アミノ）ベンゾエート；（Ｚ）−ヘキサ−３−エン−１−イルイソブチラート；２，４，６−トリメチル−４−フェニル−１，３−ジオキサン；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；メチル（Ｚ）−２−（（（２，４−ジメチルシクロヘキサ−３−エン−１−イル）メチレン）アミノ）ベンゾエート；４，８−ジメチル−２−（プロパン−２−イリデン）−１，２，３，３ａ，４，５，６，８ａ−オクタヒドロアズレン−６−オール；４，８−ジメチル−２−（プロパン−２−イリデン）−１，２，３，３ａ，４，５，６，８ａ−オクタヒドロアズレン−６−イルアセテート；デカヒドロ−３Ｈ−スピロ［フラン−２，５’−［４，７］メタノインデン］；（Ｚ）−シクロオクタ−４−エン−１−イルメチルカーボネート；（１ａＲ，４Ｓ，４ａＳ
，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；４−（４−ヒドロキシ−３−メトキシフェニル）ブタン−２−オン；（１Ｒ，８ａＲ）−４−イソプロピル−１，６−ジメチル−１，２，３，７，８，８ａ−ヘキサヒドロナフタレン；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン；２，４−ジメチル−２−（５，５，８，８−テトラメチル−５，６，７，８−テトラヒドロナフタレン−２−イル）−１，３−ジオキソラン；３ａ，５，６，７，８，８ｂ−ヘキサヒドロ−２，２，６，６，７，８，８−ヘプタメチル−４Ｈ−インデノ（４，５−ｄ）−１，３−ジオキソール；２，４−ジメチル−４，４ａ，５，９ｂ−テトラヒドロインデノ［１，２−ｄ］［１，３］ジオキシン；（１−メチル−２−（（１，２，２−トリメチルビシクロ［３．１．０］ヘキサン−３−イル）メチル）シクロプロピル）メタノール；２−（シクロヘキシルオキシ）−１，７，７−トリメチルビシクロ［２．２．１］ヘプタン；４−（（２Ｒ）−１，７，７−トリメチルビシクロ［２．２．１］ヘプタン−２−イル）シクロヘキサン−１−オール；８，８−ジ（１Ｈ−インドール−１−イル）−２，６−ジメチルオクタン−２−オール；（７，７，８，８−テトラメチルオクタヒドロ−２，３ｂ−メタノシクロペンタ［１，３］シクロプロパ［１，２］ベンゼン−４−イル）メタノール；８，８−ジメチル−３ａ，４，５，６，７，７ａ−ヘキサヒドロ−１Ｈ−４，７−メタノインデン−６−イルプロピオネート；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（１Ｒ，２Ｓ，６Ｓ，７Ｓ，８Ｓ）−８−イソプロピル−１−メチル−３−メチレントリシクロ［４．４．０．０２，７］デカン；２’−イソプロピル−１，７，７−トリメチルスピロ［ビシクロ［２．２．１］ヘプタン−２，４’−［１，３］ジオキサン］；（４ａＲ，５Ｒ，７ａＳ，９Ｒ）−２，２，５，８，８，９ａ−ヘキサメチルオクタヒドロ−４Ｈ−４ａ，９−メタノアズレノ［５，６−ｄ］［１，３］ジオキソール；（３Ｓ，��ａＲ，７ａＳ，１１ａＳ，１１ｂＲ）−３，８，８，１１ａ−テトラメチルドデカヒドロ−５Ｈ−３，５ａ−エポキシナフト［２，１−ｃ］オキセピン；２，２，６，６，７，８，８−ヘプタメチルデカヒドロ−２Ｈ−インデノ［４，５−ｂ］フラン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；（７，７，８，８−テトラメチルオクタヒドロ−２，３ｂ−メタノシクロペンタ［１，３］シクロプロパ［１，２］ベンゼン−４−イル）メチルアセテート；１−（３−ヒドロキシ−３−メチルペンタ−４−エン−１−イル）−２，５，５，８ａ−テトラメチルデカヒドロナフタレン−２−オール；デカヒドロ−２，６，６，７，８，８−ヘキサメチル−２ｈ−インデノ（４，５−ｂ）フラン；２−エチルヘキシル（Ｚ）−３−（４−メトキシフェニル）アクリレート；メトキシシクロドデカン；１−エトキシ−４−（ｔｅｒｔ−ペンチル）シクロヘキサン；（２−ヒドロキシ−４−メトキシフェニル）（フェニル）メタノン；（３Ｚ）−１−（２−ブテン−１−イルオキシ）−３−ヘキセン；４−（２−メトキシプロパン−２−イル）−１−メチルシクロヘキサ−１−エン；４−（ｔｅｒｔ−ペンチル）シクロヘキサン−１−オン；３−メトキシ−３，７−ジメチルオクタ−１，６−ジエン；７−イソプロピル−８，８−ジメチル−６，１０−ジオキサスピロ［４．５］デカン；３，７−ジメチルオクタナール；１，１−ジメトキシオクタン；２−メチル−６−メチレンオクタ−７−エン−２−オール；４−メトキシ−６−プロパ−２−エニル−１，３−ベンゾジオキソール；テトラデカンニトリル；（Ｅ）−２，７−ジメチルオクタ−１，５，７−トリエン−３−オール；３，３−ジメチル５（２，２，３−トリメチル−３−シクロペンテン−１イル）−４−ペンテン−２−オール；ヘキシル２−ヒドロキシベンゾエート；ヘキシル（Ｚ）−ブタ−２−エノアート；（Ｚ）−３，７−ジメチルオクタ−２，６−ジエン−１−イルホルメート；１−エチル−３−メトキシトリシクロ［２．２．１．０２，６］ヘプタン；１０−イソプロピル−２，７−ジメチル−１−オキサスピロ［４．５］デカ−３，６−ジエン；６，６−ジメチルビシクロ［３．１．１］ヘプタ−２−エン−２−カルバルデヒド；（Ｅ）−４−（２，２，３，６−テトラメチルシクロヘキシル）−ブタ−３−エン−２−オン；（Ｚ）−１−（２，６，６−トリメチルシクロヘキサ−１−エン−１−イル）ペンタ−１−エン−３−オン；（Ｅ）−２，２−ジメチル−３−（３−メチルペンタ−２，４−ジエン−１−イル）オキシラン；３−メチルシクロペンタデカン−１−オン；（Ｅ）−３，７−ジメチルオクタ−４，６−ジエン−３−オール；１−（４−イソプロピルシクロヘキシル）エタン−１−オール；（Ｅ）−デカ−５−エン酸；１−フェニルエチルプロピオネート；ステアリン酸メチル；メチル（９Ｚ，１２Ｚ）−オクタデカ−９，１２−ジエノアート；１−ヒドロキシデカン−３−オン；パルミチン酸メチル；メチル（Ｚ）−３，７−ジメチルオクタ−２，６−ジエノアート；１−メチル−２−フェノキシベンゼン；６−メトキシ−２��６−ジメチルヘプタナール；７−メトキシ−３，７−ジメチルオクタナール；（（１ｓ，４ｓ）−４−イソプロピルシクロヘキシル）メタノール；３−（３−（ｔｅｒｔ−ブチル）フェニル）−２−メチルプロパナール；（Ｅ）−４−（４，８−ジメチルノナ−３，７−ジエン−１−イル）ピリジン；（Ｅ）−トリデカ−３，１２−ジエンニトリル；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；３，７−ジメチルオクタ−１，６−ジエン−３−イルプロピオネート；３，７−ジメチルオクタ−１，６−ジエン−３−イルオクタノエート；３，７−ジメチルオクタ−１，６−ジエン−３−イルホルメート；３，７−ジメチルオクタ−１，６−ジエン−３−イルブチラート；３，７−ジメチルオクタ−１，６−ジエン−３−イルベンゾエート；３，７−ジメチルオクタ−１，６−ジエン−３−イル２−アミノベンゾエート；３，７−ジメチルオクタ−１，６−ジエン−３−イルアセテート；３，７−ジメチルオクタ−１，６−ジエン−３−オール；３−（４−メチルシクロヘキサ−３−エン−１−イル）ブタナール；３−（４−（ｔｅｒｔ−ブチル）フェニル）−２−メチルプロパナール；（Ｅ）−１−（１−メトキシプロポキシ）ヘキサ−３−エン；２−メチル−５−（１−メチルエテニル）−２−シクロヘキセノン；ドデカナール；２，２−ジメチル−５−フェニルヘキサンニトリル；２−ヘキシルシクロペンタン−１−オン；（Ｚ）−４−（６，６−ジメチルシクロヘキサ−２−エン−１−イル）−３−メチル−ブタ−３−エン−２−オン；２，６，９，１０−テトラメチル−１−オキサスピロ（４．５）デカ−３，６−ジエン；パルミチン酸イソプロピル；イソプロピルドデカノアート；イソプロピル２−メチルブタノエート；４−メチルペンタ−４−エン−２−イルイソブチラート；７−メチルオクチルアセテート；４−（４−メチルペンタ−３−エン−１−イル）シクロヘキサ−３−エン−１−カルバルデヒド；（Ｚ）−２−メトキシ−４−（プロパ−１−エン−１−イル）フェニルアセテート；（１Ｒ，２Ｒ，４Ｓ）−１，７，７−トリメチルビシクロ［２．２．１］ヘプタン−２−イルプロピオネート；（１Ｒ，４Ｓ）−１，７，７−トリメチルビシクロ［２．２．１］ヘプタン−２−イルアセテート；１，７，７−トリメチルビシクロ［２．２．１］ヘプタン−２−オール；２−（４−イソプロピルシクロヘキサ−１，４−ジエン−１−イル）エチルホルメート；イソペンチル（Ｅ）−ウンデカ−６−エノアート；イソペンチルオクタノエート；イソペンチルドデカノアート；イソペンチルイソブチラート；（Ｅ）−オキサシクロヘプタデカ−１０−エン−２−オン；８，８−ジ（１Ｈ−インドール−１−イル）−２，６−ジメチルオクタン−２−オール；２−シクロドデシルプロパン−１−オール；（１，１−ジメトキシプロパン−２−イル）ベンゼン；酪酸ヘキシル；ヘキシル２−メチルブタノエート；ヘキシルフラン−２−カルボキシラート；オキサシクロヘプタデカン−２−オン；２−（１−（��，３−ジメチルシクロヘキシル）エトキシ）−２−メチルプロピルプロピオネート５−（ジエトキシメチル）ベンゾ［ｄ］［１，３］ジオキソール；３−（ベンゾ［ｄ］［１，３］ジオキソール−５−イル）−２−メチルプロパナール；（Ｅ）−オキサシクロヘキサデカ−１３−エン−２−オン；６−ブチル−２，４−ジメチル−３，６−ジヒドロ−２Ｈ−ピラン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；（１Ｚ，５Ｚ）−１，５−ジメチル−８−（プロパン−２−イリデン）シクロデカ−１，５−ジエン；（Ｅ）−３，７−ジメチルオクタ−２，６−ジエン−１−イル２−フェニルアセテート；（Ｅ）−３，７−ジメチルオクタ−２，６−ジエン−１−イル２−フェニルアセテート；（Ｅ）−３，７−ジメチルオクタ−２，６−ジエン−１−イルホルメート；（Ｅ）−３，７−ジメチルオクタ−２，６−ジエン−１−イルオクタノエート；（Ｅ）−３，７−ジメチルオクタ−２，６−ジエン−１−イルベンゾエート；Ｎ，２−ジメチル−Ｎ−フェニルブタンアミド；１−イソプロピル−４−メチルシクロヘキサ−１，４−ジエン；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（Ｚ）−１−（２，２−ジメチル−６−メチレンシクロヘキシル）−ブタ−２−エン−１−オン；（１Ｒ，４ａＳ，８ａＳ）−１−イソプロピル−７−メチル−４−メチレン−１，２，３，４，４ａ，５，６，８ａ−オクタヒドロナフタレン；１−（３，３−ジメチルシクロヘキシル）ペンタ−４−エン−１−オン；フラン−２−イルメチルオクタノエート；フラン−２−イルメチルヘキサノエート；フラン−２−イルメチルヘプタノエート；エチル（３ａＲ，４Ｓ，７Ｒ，７ａＲ）−オクタヒドロ−３ａＨ−４，７−メタノインデン−３ａ−カルボキシラート；３−（２−エチルフェニル）−２，２−ジメチルプロパナール；２−（ｔｅｒｔ−ブチル）シクロヘキシルエチルカーボネート；３−（２−エチルフェニル）−２，２−ジメチルプロパナール；（Ｅ）−４，８
−ジメチルデカ−４，９−ジエナール；３−（４−エチルフェニル）−２，２−ジメチルプロパンニトリル；２−ヘプチルシクロペンタン−１−オン；１−エトキシエトキシシクロドデカン；１，３，３−トリメチルビシクロ［２．２．１］ヘプタン−２−オール；オキサシクロヘキサデカン−２−オン；（Ｅ）−シクロペンタデカ−４−エン−１−オン；１−シクロペンタデカ−４−エン−１−オン；４−アリル−２−メトキシフェニルアセテート；１，３，３−トリメチル−２−オキサビシクロ［２，２，２］オクタン；エチル３−メチル−３−フェニルオキシラン−２−カルボキシラート；１，４−ジオキサシクロヘプタデカン−５，１７−ジオン；２−エトキシ−４−ホルミルフェニルアセテート；エチルウンデカ−１０−エノアート；パルミチン酸エチル；オクタン酸エチル；エチルテトラデカノアート；（Ｅ）−３，７−ジメチルノナ−１，６−ジエン−３−オール；エチル３−フェニルオキシラン−２−カルボキシラート；エチル２−シクロヘキシルプロパノエート；６−エチル−２，１０，１０−トリメチル−１−オキサスピロ［４．５］デカ−３，６−ジエン；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；（２Ｒ，５Ｒ）−２−メチル−５−（プロパ−１−エン−２−イル）シクロヘキサン−１−オン；４−メチル−２−フェニルテトラヒドロ−２Ｈ−ピラン；２−メチル−１−フェニルプロパン−２−イルブチラート；２，６−ジメチルオクタ−７−エン−２−オール；３−メチル−２−ペンチルシクロペンタ−２−エン−１−オン；３，３，５−トリメチルシクロヘキサン−１−オン；２−メトキシ−４−プロピルフェノール；２−メチル−５−（プロパ−１−エン−２−イル）シクロヘキサン−１−オン；２−メチル−５−（プロパ−１−エン−２−イル）シクロヘキシルアセテート；２−（４−メチルシクロヘキシル）プロパン−２−イルアセテート；４−（２，６，６−トリメチルシクロヘキサ−２−エン−１−イル）ブタン−２−オン；（オキシビス（メチレン））ジベンゼン；フタル酸ジブチル；１，２−ジフェニルエタン；（３Ｒ，４Ｒ）−１−イソプロピル−４−メチル−３−（プロパ−１−エン−２−イル）−４−ビニルシクロヘキサ−１−エン；（１Ｓ，８ａＲ）−４，７−ジメチル−１−（プロパン−２−イル）−１，２，３，５，６，８ａ−ヘキサヒドロナフタレン；（（１Ｓ，８ａＳ）−１−イソプロピル−４，７−ジメチル−１，２，３，５，６，８ａ−ヘキサヒドロナフタレン；デシル２−アミノベンゾエート；メチル（１ｓ，４ｓ）−１，４−ジメチルシクロヘキサン−１−カルボキシラート；３−（４−イソプロピルフェニル）−２−メチルプロパナール；シクロテトラデカン；シクロペンタデカノン；２−シクロヘキシルエチルアセテート；シクロヘキシル２−ヒドロキシベンゾエート；１，４−ジオキサシクロヘキサデカン−５，１６−ジオン；（４−イソプロピルフェニル）メタノール；４−シクロヘキシル−２−メチルブタン−２−オール；２−（３−フェニルプロピル）ピリジン；３−（４−メチルシクロヘキサ−３−エン−１−イル）−ブタ−３−エン−１−イルアセテート；３−（４−メチルシクロヘキサ−３−エン−１−イル）ブタン−１−オール；２−ベンジル−２−メチルブタ−３−エンニトリル；３，７−ジメチルオクタ−６−エン−１−イル２−フェニルアセテート；３，７−ジメチルオクタ−６−エン−１−イルホルメート；３，７−ジメチルオクタ−６−エン−１−イルベンゾエート；３，７−ジメチルオクタ−６−エン−１−オール；３，７−ジメチルオクタ−６−エナール；（１Ｒ，２Ｓ，５Ｒ）−２，６，６−トリメチルビシクロ［３．１．１］ヘプタン；（Ｚ）−３−メチル−２−（ペンタ−２−エン−１−イル）シクロペンタ−２−エン−１−オン；（Ｅ）−オキサシクロヘプタデカ−１１−エン−２−オン；（Ｚ）−ヘキサ−３−エン−１−イルペンタノエート；（Ｅ）−ヘキサ−３−エン−１−イル（Ｅ）−２−メチル−ブタ−２−エノアート；（Ｚ）−ヘキサ−３−エン−１−イル２−ヒドロキシベンゾエート；（Ｚ）−ヘキサ−３−エン−１−イルブチラート；（Ｚ）−ヘキサ−３−エン−１−イルベンゾエート；（Ｚ）−ヘキサ−３−エン−１−イル２−メチルブタノエート；イソ酪酸シンナミル；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；（３ａＲ，５ａＲ，９ａＲ，９ｂＲ）−３ａ，６，６，９ａ−テトラメチルドデカヒドロナフト［２，１−ｂ］フラン；（４Ｚ，８Ｚ）−１，５，９−トリメチル−１３−オキサビシクロ［１０．１．０］トリデカ−４，８−ジエン；５−メチル−１−（２，２，３−トリメチルシクロペンタ−３−エン−１−イル）−６−オキサビシクロ［３．２．１］オクタン；１，１，２，３，３−ペンタメチル−１，２，３，５，６，７−ヘキサヒドロ−４Ｈ−インデン−４−オン；５−イソプロピル−２−メチルフェノール；２−メチル−５−（プロパ−１−エン−２−イル）シクロヘキサ−２−エン−１−オン；２−（２，２，３−トリメチルシクロペンタ−３−エン−１−イル）アセトニトリル；１，７，７−トリメチルビシクロ［２．２．１］ヘプタン−２−オン；２，２−ジメチル−３−メチレンビシクロ［２．２．１］ヘプタン；２，６−ジ−ｔｅｒｔ−ブチル−４−メチルフェノール；ステアリン酸ブチル；ブチルウンデカ−１０−エノアート；２−メチル−４−（２，２，３−トリメチルシクロペンタ−３−エン−１−イル）ブタン−１−オール；（Ｅ）−２−メチル−４−（２，６，６−トリメチルシクロヘキサ−１−エン−１−イル）−ブタ−２−エナール；１，７，７−トリメチルビシクロ［２．２．１］ヘプタン−２−イルアセテート；（１Ｓ，２Ｒ，４Ｓ）−１，７，７−トリメチルビシクロ［２．２．１］ヘプタン−２−オール；３，３，６，７−テトラメチルオクタヒドロ−２Ｈ−クロメン；６，６−ジメチルスピロ［ビシクロ［３．１．１］ヘプタン−２，２’−オキシラン］；３−イソプロピル−６−メチレンシクロヘキサ−１−エン；２−エトキシナフタレン；（Ｒ）−３，５，５，９−テトラメチル−２，４ａ，５，６，７，８−ヘキサヒドロ−１Ｈ−ベンゾ［７］アヌレン；（１Ｓ，４Ｓ）−１，４−ジメチル−７−（プロパン−２−イリデン）−１，２，３，４，５，６，７，８−オクタヒドロアズレン；（１Ｒ，９Ｓ，Ｚ）−４，１１，１１−トリメチル−８−メチレンビシクロ［７．２．０］ウンデカ−４−エン；（Ｚ）−４−（２，２，６−トリメチル−７−オキサビシクロ［４．１．０］ヘプタン−１−イル）−ブタ−３−エン−２−オン；４−メトキシ−７Ｈ−フロ［３，２−ｇ］クロメン−７−オン；ベンジル２−ヒドロキシベンゾエート；ドデカン酸ベンジル；ベンジル３−メチルブタノエート；ベンジルイソブチラート；ケイ皮酸ベンジル；酪酸ベンジル；安息香酸ベンジル；１−（３，３−ジメチルシクロヘキシル）エチルホルメート；ペンチルベンゾエート；（３ａＲ，５ａＳ，９ａＳ，９ｂＲ）−３ａ，６，６，９ａ−テトラメチルドデカヒドロナフト［２，１−ｂ］フラン；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；２−（ｓｅｃ−ブチル）−１−ビニルシクロヘキシルアセテート；（１Ｓ，４Ｒ，５Ｒ）−１−イソプロピル−４−メチルビシクロ［３．１．０］ヘキサン−３−オン；２−（４−メチルシクロヘキサ−３−エン−１−イル）プロパン−２−イルプロピオネート；２−（４−メチルシクロヘキサ−３−エン−１−イル）プロパン−２−イルアセテート；１，７−ジメチル−７−（４−メチルペンタ−３−エン−１−イル）トリシクロ［２．２．１．０２，６］ヘプタン；１−（５，５−ジメチルシクロヘキサ−１−エン−１−イル）ペンタ−４−エン−１−オン；（１Ｓ，４ａＳ，８ａＲ）−１−イソプロピル−４，７−ジメチル−１，２，４ａ，５，６，８ａ−ヘキサヒドロナフタレン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）−ブタ−３−エン−２−オン；（Ｚ）−４−（２，５，６，６−テトラメチルシクロヘキサ−２−エン−１−イル）−ブタ−３−エン−２−オン；（１Ｚ，４Ｅ，８Ｚ）−２，６，６，９−テトラメチルシクロウンデカ−１，４，８−トリエン；（４ａＲ，８Ｓ，９ａＳ）−３，５，５，８−テトラメチル−９−メチレン−２，４ａ，５，６，７，８，９，９ａ−オクタヒドロ−１Ｈ−ベンゾ［７］アヌレン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；１Ｓ，４ａＲ，８ａＲ）−１−イソプロピル−４，７−ジメチル−１，２，４ａ，５，６，８ａ−ヘキサヒドロナフタレン；（Ｒ）−２−（（Ｒ）−４−メチルシクロヘキサ−３−エン−１−イル）ヘキサ−５−エン−２−オール；（Ｅ）−２−ベンジリデンヘプチルアセテート；（１Ｓ，４ａＲ，８ａＳ）−１−イソプロピル−４，７−ジメチル−１，２，４ａ，５，６，８ａ−ヘキサヒドロナフタレン；４−メトキシ−２，５−ジメチルフラン−３（２Ｈ）−オン；α−４−ジメチルベンゼンプロパナール；アリルヘプタノエート；アリル３−シクロヘキシルプロパノエート；Ｎ−エチル−Ｎ−（ｍ−トリル）プロピオンアミド；２，６，１０−トリメチルウンデカ−９−エナール；（Ｚ）−２−（４−メチルベンジリデン）ヘプタナール；（Ｚ）−オキサシクロヘプタデカ−８−エン−２−オン；６，８−ジメチルノナン−２−オール；６，１０，１４−トリメチルペンタデカン−２−オン；５−メチル−５−フェニルヘキサン−３−オン；４−（４−メトキシフェニル）ブタン−２−オン；（Ｚ）−ドデカ−２−エナール；３−メチル−５−フェニルペンタナール；３，７−ジメチル−２−メチレンオクタ−６−エナール；３，７−ジメチルオクタン−１−オール；（Ｚ）−ウンデカ−２−エンニトリル；（Ｅ）−ウンデカ−２−エナール；（Ｚ）−３−（フラン−２−イル）−２−フェニルアクリルアルデヒド；フェネチルプロピオネート；（２Ｓ，４Ｓ）−２−ヘプチル−２，４−ジメチル−１，３−ジオキソラン；２−イソプロピル−Ｎ，２，３−トリメチルブタンアミド；（Ｅ）−２−イソプロピル−５−メチルヘキサ−２−エナール；２−イソプロピル−４−メチルチアゾール；（Ｅ）−２−ヘキシリデンシクロペンタン−１−オン；１−イソプロピル−４−メチル−７−オキサビシクロ［２．２．１］ヘプタン；１，３，３−トリメチルビシクロ［２．２．１］ヘプタン−２−イルアセテート；１，１，２，３，３−ペンタメチル−２，３−ジヒドロ−１Ｈ−インデン；（Ｚ）−１−（２，６，６−トリメチルシクロヘキサ−２−エン−１−イル）−ブタ−２−エン−１−オン；（Ｚ）−６，１０−ジメチルウンデカ−５，９−ジエン−２−イルアセテート；（１Ｓ，５Ｓ）−４，６，６−トリメチルビシクロ［３．１．１］ヘプタ−３−エン−２−オン；（Ｒ）−３，７−ジメチルオクタ−１，６−ジエン−３−オール；３，７−ジメチルオクタ−６−エナール；（Ｅ）−６，１０−ジメチルウンデカ−５，９−ジエン−２−イルアセテート；（Ｒ）−３，７−ジメチルオクタ−６−エナール；（２Ｓ，５Ｓ，６Ｓ）−２，６，１０，１０−テトラメチル−１−オキサスピロ［４．５］デカン−６−オール；３，７−ジメチルオクタ−６−エン−１−オール；３，７−ジメチルオクタ−６−エン−１−オール；（１Ｒ，５Ｒ）−２，６，６−トリメチルビシクロ［３．１．１］ヘプタ−２−エン；（Ｓ）−２−メ
チル−５−（プロパ−１−エン−２−イル）シクロヘキサ−２−エン−１−オン；（１Ｓ，５Ｓ）−２，６，６−トリメチルビシクロ［３．１．１］ヘプタ−２−エン；ヘキシル（Ｚ）−２−メチル−ブタ−２−エノアート；２−（８−イソプロピル−６−メチルビシクロ［２．２．２］オクタ−５−エン−２−イル）−１，３−ジオキソラン；３−（３−イソプロピルフェニル）ブタナール；アリル２−（シクロヘキシルオキシ）アセテート；２−（（３Ｓ，３ａＳ，５Ｒ）−３，８−ジメチル−１，２，３，３ａ，４，５，６，７−オクタヒドロアズレン−５−イル）プロパン−２−オール；１，５−ジメチルビシクロ［３．２．１］オクタン−８−オンオキシム；ベンジル２−フェニルアセテート；２−ヒドロキシ−１，２−ジフェニルエタン−１−オン；（Ｅ）−トリデカ−２−エナール；ｐ−トリルイソブチラート；ｐ−トリルフェニルアセテート；ｐ−シメン；５−ヘキシル−４−メチルジヒドロフラン−２（３Ｈ）−オン；２−シクロヘキシリンデン−２−フェニルアセトニトリル；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；（４−（プロパ−１−エン−２−イル）シクロヘキサ−１−エン−１−イル）メタノール；（２−（シクロヘキシルオキシ）エチル）ベンゼン；フェネチル２−メチルブタノエート；フェネチルイソブチラート；フェネチル２−フェニルアセテート；フェネチル（Ｚ）−２−メチル−ブタ−２−エノアート；安息香酸フェニル；安息香酸フェネチル；フェニルエチルメタクリレート；１，２−ジメチル−３−（プロパ−１−エン−２−イル）シクロペンタン−１−オール；（２Ｚ，５Ｚ）−５，６，７−トリメチルオクタ−２，５−ジエン−４−オン；２−（４−（ｔｅｒｔ−ブチル）フェニル）アセトアルデヒド；４−（ｔｅｒｔ−ペンチル）シクロヘキサン−１−オール；ｐ−トリル２−フェニルアセテート；エチル２，４，７−デカトリエノアート；２，６，６−トリメチルビシクロ［３．１．１］ヘプタ−２−エン；２−ベンジル−４，４，６−トリメチル−１，３−ジオキサン；３，７−ジメチルオクタ−７−エン−１−オール；エチル（２，３，６−トリメチルシクロヘキシル）カーボネート；（Ｚ）−６−エチリデンオクタヒドロ−２Ｈ−５，８−メタノクロメン；２−（（Ｓ）−１−（（Ｓ）−３，３−ジメチルシクロヘキシル）エトキシ）−２−オキソエチルプロピオネート；メチル２，２−ジメチル−６−メチレンシクロヘキサン−１−カルボキシラート；１−（３，３−ジメチルシクロヘキシル）エチルアセテート；（Ｓ）−３，７−ジメチルオクタ−１，６−ジエン−３−オール；１−イソプロピル−４−メチレンビシクロ［３．１．０］ヘキサン；５−イソプロピル−２−メチルビシクロ［３．１．０］ヘキサン−２−オール；（１Ｓ，３Ｒ，５Ｓ）−１−イソプロピル−４−メチレンビシクロ［３．１．０］ヘキサン−３−オール；３−メチル−５−（２，２，３−トリメチルシクロペンタ−３−エン−１−イル）ペンタン−２−オール；５−メトキシオクタヒドロ−１Ｈ−４，７−メタノインデン−２−カルバルデヒド；プロピル（Ｓ）−２−（ｔｅｒｔ−ペンチルオキシ）プロパノエート；（４ａＲ，８ａＲ）−４ａ，８−ジメチル−２−（プロパン−２−イリデン）−１，２，３，４，４ａ，５，６，８ａ−オクタヒドロナフタレン；２−（１−（３，３−ジメチルシクロヘキシル）エトキシ）−２−メチルプロピルシクロプロパンカルボキシラート；（１Ｒ，３Ｒ，６Ｒ）−２’，２’，３，７，７−ペンタメチルスピロ［ビシクロ［４．１．０］ヘプタン−２，５’−［１，３］ジオキサン］；（Ｚ）−５−メチルヘプタン−３−オンオキシム；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；４−（２，２，６−トリメチルシクロヘキシル）ブタン−２−オール；３−メチル−２−ペンチルシクロペンタン−１−オン；３，７−ジメチルオクタン−３−オール；３，７−ジメチルオクタン−３−イルアセテート；２，６，１０，１０−テトラメチル−１−オキサスピロ［４．５］デカ−６−エン；エチル（１Ｒ，６Ｓ）−２，２，６−トリメチルシクロヘキサン−１−カルボキシラート；２−イソプロピル−５−メチルフェノール；１−イソプロピル−２−メトキシ−４−メチルベンゼン；１−（２，２，６−トリメチルシクロヘキシル）ヘキサン−３−オール；（１Ｒ，２Ｓ）−２−（ｔｅｒｔ−ブチル）シクロヘキサン−１−オール；（Ｚ）−１−（２，６，６−トリメチルシクロヘキサ−２−エン−１−イル）−ブタ−２−エン−１−オン；（Ｚ）−オキサシクロヘプタデカ−８−エン−２−オン；（２Ｒ，５Ｒ）−２−メチル−５−（プロパ−１−エン−２−イル）シクロヘキサン−１−オン；２，２，２−トリクロロ−１−フェニルエチルアセテート；トリエチル２−ヒドロキシプロパン−１，２，３−トリカルボキシラート；メチル２−（（１−ヒドロキシ−３−フェニルブチル）アミノ）ベンゾエート；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；１３−メチルオキサシクロペンタデカ−１０−エン−２−オン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；４−ホルミル−２−メトキシフェニルイソブチラート；２，２，５−トリメチル−５−ペンチルシクロペンタン−１−オン；（Ｚ）−２−メチル−４−（２，６，６−トリメチルシクロヘキサ−２−エン−１−イル）−ブタ−２−エナール；（１Ｒ，５Ｒ）−４，６，６−トリメチルビシクロ［３．１．１］ヘプタ−３−エン−２−オン；１−メトキシ−３ａ，４，５，６，７，７ａ−ヘキサヒドロ−１Ｈ−４，７−メタノインデン；２−（ｔｅｒｔ−ブチル）シクロヘキサン−１−オール；シス−（４−ｔｅｒｔ−ブチルシクロヘキシル）アセテート；４−（ｔｅｒｔ−ブチル）シクロヘキシルアセテート；４−メチル−４−フェニルペンタン−２−イルアセテート；４，８−ジメチル−２−（プロパン−２−イリデン）−１，２，３，３ａ，４，５，６，８ａ−オクタヒドロアズレン−６−オール；（Ｚ）−シクロオクタ−４−エン−１−イルメチルカーボネート；４−（４−ヒドロキシ−３−メトキシフェニル）ブタン−２−オン；（１Ｒ，８ａＲ）−４−イソプロピル−１，６−ジメチル−１，２，３，７，８，８ａ−ヘキサヒドロナフタレン及びそれらの混合物からなる群から選択される悪臭低減物質を含み；
好ましくは前記コアが、３−メトキシ−７，７−ジメチル−１０−メチレンビシクロ［４．３．１］デカン；２，４ａ，５，８ａ−テトラメチル−１，２，３，４，４ａ，７，８，８ａ−オクタヒドロナフタレン−１−イルホルメート；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール４，９−ジメトキシ−７Ｈ−フロ［３，２−ｇ］クロメン−７−オン；（Ｅ）−シクロヘキサデカ−８−エン−１−オン；（Ｚ）−１−（ベンジルオキシ）−２−メトキシ−４−（プロパ−１−エン−１−イル）ベンゼン；１−（（２Ｓ，３Ｓ）−２，３，８，８−テトラメチル−１，２，３，４，５，６，７，８−オクタヒドロナフタレン−２−イル）エタン−１−オン；（１Ｓ，２Ｓ，４Ｓ）−１，７，７−トリメチルビシクロ［２．２．１］ヘプタン−２−イルイソブチラート；２，３−ジヒドロ−３，３−ジメチル−１Ｈ−インデン−５−プロパナール；３−（３，３−ジメチル−２，３−ジヒドロ−１Ｈ−インデン−５−イル）プロパナール；３ａ，４，５，６，７，７ａ−ヘキサヒドロ−１Ｈ−４，７−メタノインデン−６−イルアセテート；２−（（２Ｒ，４ａＲ）−４ａ，８−ジメチル−１，２，３，４，４ａ，５，６，７−オクタヒドロナフタレン−２−イル）プロパン−２−オール；４，６，６，７，８，８−ヘキサメチル−１，３，４，６，７，８−ヘキサヒドロシクロペンタ［ｇ］イソクロメン；（Ｚ）−６−エチリデンオクタヒドロ−２Ｈ−５，８−メタノクロメン−２−オン；８，８−ジメチル−３ａ，４，５，６，７，７ａ−ヘキサヒドロ−１Ｈ−４，７−メタノインデン−６−イルアセテート；オクタヒドロ−１Ｈ−４，７−メタノインデン−５−イルアセテート；３ａ，４，５，６，７，７ａ−ヘキサヒドロ−１Ｈ−４，７−メタノインデン−６−イルブチラート；３ａ，４，５，６，７，７ａ−ヘキサヒドロ−１Ｈ−４，７−メタノインデン−５−イルイソブチラート；（５Ｒ，６Ｒ）−３，６−ジメチル−５−（プロパ−１−エン−２−イル）−６−ビニル−４，５，６，７−テトラヒドロベンゾフラン；（Ｅ）−シクロヘプタデカ−９−エン−１−オン；（３Ｒ，３ａＳ，６Ｒ，７Ｒ，８ａＳ）−３，６，８，８−テトラメチルオクタヒドロ−１Ｈ−３ａ，７−メタノアズレン−３−イルホルメート；（３Ｒ，３ａＳ，６Ｒ，７Ｒ，８ａＳ）−３，６，８，８−テトラメチルオクタヒドロ−１Ｈ−３ａ，７−メタノアズレン−６−イルアセテート；（３Ｒ，３ａＳ，６Ｒ，７Ｒ，８ａＳ）−３，６，８，８−テトラメチルオクタヒドロ−１Ｈ−３ａ，７−メタノアズレン−６−オール；５−メチル−１−（２，２，３−トリメチルシクロペンタ−３−エン−１−イル）−６−オキサビシクロ［３．２．１］オクタン；（Ｚ）−４，１１，１１−トリメチル−８−メチレンビシクロ［７．２．０］ウンデカ−３−エン−５−イルアセテート；（１Ｓ，２Ｓ，５Ｒ，８Ｓ）−４，４，８−トリメチルトリシクロ［６．３．１．０２，５］ドデカン−１−オール；（１Ｓ，２Ｓ）−１，７，７−トリメチルビシクロ［２．２．１］ヘプタン−２−イルイソブチラート；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（１Ｓ，４Ｒ，７Ｒ）−１，４，９，９−テトラメチル−１，２，３，４，５，６，７，８−オクタヒドロ−４，７−メタノアズレン；（１ａＳ，５ａＲ，９ａＲ）−１ａ，５，５，７−テトラメチル−１ａ，２，３，４，５，５ａ，８，９−オクタヒドロベンゾ［１，７］シクロヘプタ［１，２−ｂ］オキシレン；（２，２−ジメトキシエチル）ベンゼン；（３Ｒ，３ａＳ，７Ｓ，８ａＳ）−３，８，８−トリメチル−６−メチレンオクタヒドロ−１Ｈ−３ａ，７−メタノアズレン；４−メトキシベンジル２−フェニルアセテート；２，２，７，７，８，９，９−ヘプタメチルデカヒドロインデノ［４，３ａ−ｂ］フラン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（Ｅ）−５−（２，３−ジメチルトリシクロ［２．２．１．０２，６］ヘプタン−３−イル）−２−メチルペンタ−２−エン−１−オール；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（３Ｒ，５ａＳ，９ａＲ）−２，２，５ａ，９−テトラメチル−３，４，５，５ａ，６，７−ヘキサヒドロ−２Ｈ−３，９ａ−メタノベンゾ［ｂ］オキセピン；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；（Ｅ）−シクロヘキサデカ−５−エン−１−オン；（１ａＲ，２Ｓ，４ａＳ）−２，４ａ，８，８−テトラメチルオクタヒドロシクロプロパ［ｄ］ナフタレン−３（１Ｈ）−オン；２−（（２Ｒ，４ａＳ）−４ａ，８−ジメチル−１，２，３，４，４ａ，５，６，７−オクタヒドロナフタレン−２−イル）プロパン−２−オール；３ａ，４，５，６，７，７ａ−ヘキサヒドロ−１Ｈ−４，７−メタノインデン−６−イルプロピオネート；１−（１，１，２，３，３，６−ヘキサメチル−２，３−ジヒドロ−１Ｈ−インデン−５−イル）エタン−１−オン；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；３ａ，４，５，６，７，７ａ−ヘキサヒドロ−１Ｈ−４，７−メタノインデン−６−イルピバレート；（２Ｒ，４ａ’Ｒ，８ａ’Ｒ）−３，７’−ジメチル−３’，４’，４ａ’，５’，８’，８ａ’−ヘキサヒドロ−１’Ｈ−スピロ［オキシラン−２，２’−［１，４］メタノナフタレン］；２，２，７，９−テトラメチルスピロ（５．５）ウンデカ−８−エン−１−オン；（Ｚ）−２−エチル−４−（２，２，３−トリメチルシクロペンタ−３−エン−１−イル）−ブタ−２−エン−１−オール；５−メトキシオクタヒドロ−１Ｈ−４，７−メタノインデン−２−カルバルデヒド；（４ａＲ，６ａＳ，１０ａＳ，１０ｂＲ）−３，４ａ，７，７，１０ａ−ペンタメチル−４ａ，５，６，６ａ，７，８，９，１０，１０ａ，１０ｂ−デカヒドロ−１Ｈ−ベンゾ［ｆ］クロメン；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；（１ａＲ，４ａＳ）−２，４ａ，８，８−テトラメチル−１，１ａ，４，４ａ，５，６，７，８−オクタヒドロシクロプロパ［ｄ］ナフタレン；（１Ｒ−（１α，３α，４ａα））−２，３，４，４ａ，５，６−ヘキサヒドロ−２，２−ジメチル−１，３−メタノナフタレン−７（１Ｈ）−オン；２−（（２Ｒ，８Ｒ，８ａＳ）−８，８ａ−ジメチル−１，２，３，４，６，７，８，８ａ−オクタヒドロナフタレン−２−イル）プロパン−２−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；メチル（Ｚ）−２−（（（２，４−ジメチルシクロヘキサ−３−エン−１−イル）メチレン）アミノ）ベンゾエート；４，８−ジメチル−２−（プロパン−２−イリデン）−１，２，３，３ａ，４，５，６，８ａ−オクタヒドロアズレン−６−イルアセテート；デカヒドロ−３Ｈ−スピロ［フラン−２，５’−［４，７］メタノインデン］；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；３，５，５，６，７，８，８−ヘプタメチル−５，６，７，８−テトラヒドロナフタレン−２−カルボニトリル；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；４，５−エポキシ−４，１１，１１−トリメチル−８−メチレンビシクロ（７．２．０）ウンデカン；１，３，４，６，７，８α−ヘキサヒドロ−１，１，５，５−テトラメチル−２Ｈ−２，４α−メタノフタレン−８（５Ｈ）−オン、（７，７，８，８−テトラメチルオクタヒドロ−２，３ｂ−メタノシクロペンタ［１，３］シクロプロパ［１，２］ベンゼン−４−イル）メタノール及びそれらの混合物からなる群から選択される悪臭低減物質を含む、請求項６から９のいずれかに記載の送達系。
【請求項１２】
前記コアが１Ｐａよりも大きい、好ましくは、１トルよりも大きく１３３３Ｐａまでの（０．０１トル、好ましくは、０．０１トルよりも大きく１０トルまでの）蒸気圧を有する１以上の悪臭低減物質を含み、好ましくは前記１以上の悪臭材料が、１，１−ジメトキシノン−２−イン；２−（ｐ−トリル）プロパン−２−オール；３−メトキシ−７，７−ジメチル−１０−メチレンビシクロ［４．３．１］デカン；メトキシシクロドデカン；４−（ｔｅｒｔ−ペンチル）シクロヘキサン−１−オン；７−イソプロピル−８，８−ジメチル−６，１０−ジオキサスピロ［４．５］デカン；酢酸オクチル；２−ヘプチル−４−メチル−１，３−ジオキソラン；１，１−ジメトキシオクタン；２−メチル−６−メチレンオクタ−７−エン−２−オール；２−メチル−６−メチレンオクタ−７−エン−２−イルアセテート；（Ｅ）−２，６−ジメチルオクタ−５，７−ジエン−２−オール；ノナン−１−オール；１−エチル−３−メトキシトリシクロ［２．２．１．０２，６］ヘプタン；メチル（Ｅ）−ノン−２−エノアート；６，６−ジメチルビシクロ［３．１．１］ヘプタ−２−エン−２−カルバルデヒド；２−メチルデカナール；６，６−ジメトキシ−２，５，５−トリメチルヘキサ−２−エン；１，１−ジメトキシ−２−メチルウンデカン；ウンデカン−２−オン；２−メチルウンデカナール；１−メチル−２−フェノキシベンゼン；メチル２，６，６−トリメチルシクロヘキサ−２−エン−１−カルボキシラート；７−メトキシ−３，７−ジメチルオクタナール；オクタヒドロ−１Ｈ−４，７−メタノインデン−１−カルバルデヒド；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；３，７−ジメチルオクタ−１，６−ジエン−３−イルイソブチラート；２−（５−メチル−５−ビニルテトラヒドロフラン−２−イル）プロパン−２−オール；３−（４−メチルシクロヘキサ−３−エン−１−イル）ブタナール；（Ｅ）−１−（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；ドデカナール；２−プロピルヘプタンニトリル；２−ヘキシルシクロペンタン−１−オン；２，６，９，１０−テトラメチル−１−オキサスピロ（４．５）デカ−３，６−ジエン；（１Ｒ，２Ｓ，５Ｒ）−５−メチル−２−（プロパ−１−エン−２−イル）シクロヘキサン−１−オール；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；２，５，６−トリメチルシクロヘキサ−３−エン−１−カルバルデヒド；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチラート；（１Ｒ，４Ｓ）−１，７，７−トリメチルビシクロ［２．２．１］ヘプタン−２−イルアセテート；（１，１−ジメトキシプロパン−２−イル）ベンゼン；ヘキサン酸ヘキシル；（Ｚ）−ヘキサ−１−エン−１−イル（Ｚ）−２−メチル−ブタ−２−エノアート；２−ブチル−４，４，６−トリメチル−１，３−ジオキサン；エチル（１Ｒ，２Ｒ，３Ｒ，４Ｒ）−３−イソプロピルビシクロ［２．２．１］ヘプタ−５−エン−２−カルボキシラート；３ａ，４，５，６，７，７ａ−ヘキサヒドロ−１Ｈ−４，７−メタノインデン−６−イルアセテート；６−ブチル−２，４−ジメチル−３，６−ジヒドロ−２Ｈ−ピラン；エチル２−エチル−６，６−ジメチルシクロヘキサ−２−エン−１−カルボキシラート；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，４ａＳ，８ａＳ）−１−イソプロピル−７−メチル−４−メチレン−１，２，３，４，４ａ，５，６，８ａ−オクタヒドロナフタレン；フラン−２−イルメチルヘキサノエート；２−メチルデカンニトリル；エチル（３ａＲ，４Ｓ，７Ｒ，７ａＲ）−オクタヒドロ−３ａＨ−４，７−メタノインデン−３ａ−カルボキシラート；（Ｅ）−４，８−ジメチルデカ−４，９−ジエナール；２−ヘプチルシクロペンタン−１−オン；３−シクロヘキセン−１−カルボン酸、２，６，６−トリメチル−、メチルエステル；ノナン酸エチル；デカン酸エチル；エチル６，６−ジメチル−２−メチレンシクロヘキサ−３−エン−１−カルボキシラート；（２−（１−エトキシエトキシ）エチル）ベンゼン；１，１−ジメトキシドデカン；（Ｒ）−１−メチル−４−（プロパ−１−エン−２−イル）シクロヘキサ−１−エン；２，６−ジメチルオクタ−７−エン−４−オン；オクタヒドロ−１Ｈ−４，７−メタノインデン−５−イルアセテート；２−メチル−５−（プロパ−１−エン−２−イル）シクロヘキシルアセテート；２−メチル−５−（プロパ−１−エン−２−イル）シクロヘキサン−１−オール；３，７−ジメチルオクタ−６−エン−３−オール；（３Ｒ，４Ｒ）−１−イソプロピル−４−メチル−３−（プロパ−１−エン−２−イル）−４−ビニルシクロヘキサ−１−エン；（Ｚ）−１−（（１Ｒ，２Ｓ）−２，６，６−トリメチルシクロヘキサ−３−エン−１−イル）−ブタ−２−エン−１−オン；３，７，７−トリメチルビシクロ［４．１．０］ヘプタ−３−エン；デシルプロピオネート；１，１−ジエトキシデカン；１−シクロヘキシルエチル（Ｅ）−ブタ−２−エノアート；（４−イソプロピルフェニル）メタノール；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（１Ｒ，４Ｒ，６Ｓ）−１−メチル−４−（プロパ−１−エン−２−イル）−７−オキサビシクロ［４．１．０］ヘプタン；（１Ｒ，５Ｒ）−２−メチル−５−（プロパ−１−エン−２−イル）シクロヘキサ−２−エン−１−オール；（Ｅ）−ヘキサ−３−エン−１−イル（Ｅ）−ヘキサ−３−エノアート；（Ｚ）−ヘキサ−３−エン−１−イル２−メチルブタノエート；３Ｒ，３ａＲ，６Ｓ，７Ｓ，８ａＳ）−６−メトキシ−３，６，８，８−テトラメチルオクタヒドロ−１Ｈ−３ａ，７−メタノアズレン；３−（４−メトキシフェニル）−２−メチルプロパナール；１，７，７−トリメチルビシクロ［２．２．１］ヘプタン−２，３−ジオン；２，２−ジメチル−３−メチレンビシクロ［２．２．１］ヘプタン；（１Ｓ，２Ｓ）−１，７，７−トリメチルビシクロ［２．２．１］ヘプタン−２−イルイソブチラート；１，７，７−トリメチルビシクロ［２．２．１］ヘプタン−２−イルアセテート；２−エトキシ−２，６，６−トリメチル−９−メチレンビシクロ［３．３．１］ノナン；３，３，６，７−テトラメチルオクタヒドロ−２Ｈ−クロメン；１−メチル−４−（プロパ−１−エン−２−イル）シクロヘキシルアセテート；１−メチル−４−（プロパ−１−エン−２−イル）シクロヘキサン−１−オール；（Ｒ）−３−メチレン−６−（（Ｓ）−６−メチルヘプト−５−エン−２−イル）シクロヘキサ−１−エン；（４ａＲ，７Ｒ，８ａＳ）−４ａ−メチル−１−メチレン−７−（プロパ−１−エン−２−イル）デカヒドロナフタレン；６，６−ジメチル−２−メチレンビシクロ［３．１．１］ヘプタン；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）ベンゼン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレントリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；２−メチル−４−フェニルブタン−２−オール；２’−イソプロピル−１，７，７−トリメチルスピロ［ビシクロ［２．２．１］ヘプタン−２，４’−［１，３］ジオキサン］／Ａ；（１Ｓ，４Ｒ，５Ｒ）−１−イソプロピル−４−メチルビシクロ［３．１．０］ヘキサン−３−オン；２−（４−メチルシクロヘキサ−３−エン−１−イル）プロパン−２−イルプロピオネート；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１Ｓ，４ａＳ，８ａＲ）−１−イソプロピル−４，７−ジメチル−１，２，４ａ，５，６，８ａ−ヘキサヒドロナフタレン；１−メチル−４−（プロパ−１−エン−２−イル）シクロヘキサ−１−エン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；７，７−ジメチル−２−メチレンビシクロ［２．２．１］ヘプタン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；１Ｓ，４ａＲ，８ａＲ）−１−イソプロピル−４，７−ジメチル−１，２，４ａ，５，６，８ａ−ヘキサヒドロナフタレン；２，６−ジメチル−６−（４−メチルペンタ−３−エン−１−イル）ビシクロ［３．１．１］ヘプタ−２−エン；（１Ｓ，４ａＲ，８ａＳ）−１−イソプロピル−４，７−ジメチル−１，２，４ａ，５，６，８ａ−ヘキサヒドロナフタレン；α−４−ジメチルベンゼンプロパナール；アリル２−（イソペンチルオキシ）アセテート；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；ノニルアセテート；（２−（１−プロポキシエトキシ）エチル）ベンゼン；（（１−（２−メトキシエトキシ）エトキシ）メチル）ベンゼン；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；６−イソプロピルキノリン；３−（６，６−ジメチルビシクロ［３．１．１］ヘプタ−２−エン−２−イル）プロパナール；２−メチル−５−（プロパ−１−エン−２−イル）−２−ビニルテトラヒドロフラン；１−イソプロピル−４−メチルシクロヘキサ−３−エン−１−オール；１−イソプロピル−４−メチルシクロヘキサ−３−エン−１−オール；３，６−ジメチル−４，５，６，７−テトラヒドロベンゾフラン；（Ｚ）−ドデカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；（Ｅ）−２−ヘキシリデンシクロペンタン−１−オン；２−ヘプチルテトラヒド
ロフラン；２，６−ジメチルオクタナール；デカン−１−オール；ウンデカ−１０−エナール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−ドデカ−３−エナール；（１Ｓ，２Ｓ，５Ｓ）−２−メチル−５−（プロパ−１−エン−２−イル）シクロヘキサン−１−オール；（２Ｓ，５Ｒ）−２−イソプロピル−５−メチルシクロヘキサン−１−オン；３−（３−イソプロピルフェニル）ブタナール；２−メチル−５−（６−メチルヘプト−５−エン−２−イル）ビシクロ［３．１．０］ヘキサ−２−エン；ｐ−トリルイソブチラート；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；（２−イソプロポキシエチル）ベンゼン；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−イソプロピル−１−メチルシクロヘキサ−３−エン−１−オール；２，４−ジメチル−４−フェニルテトラヒドロフラン；（Ｚ）−６−エチリデンオクタヒドロ−２Ｈ−５，８−メタノクロメン；メチル２，２−ジメチル−６−メチレンシクロヘキサン−１−カルボキシラート；４−メチル−２−フェニル−３，６−ジヒドロ−２Ｈ−ピラン；（１Ｓ，３Ｒ，５Ｓ）−１−イソプロピル−４−メチレンビシクロ［３．１．０］ヘキサン−３−オール；（４ａＲ，８ａＲ）−４ａ，８−ジメチル−２−（プロパン−２−イリデン）−１，２，３，４，４ａ，５，６，８ａ−オクタヒドロナフタレン；２−メチル−１，５−ジオキサスピロ［５．５］ウンデカン；２−（ヘプタン−３−イル）−１，３−ジオキソラン；（Ｚ）−ドデカ−４−エナール；３−メチル−２−ペンチルシクロペンタン−１−オン；２，６，１０，１０−テトラメチル−１−オキサスピロ［４．５］デカ−６−エン；（１ａＲ，４ａＳ）−２，４ａ，８，８−テトラメチル−１，１ａ，４，４ａ，５，６，７，８−オクタヒドロシクロプロパ［ｄ］ナフタレン；１−イソプロピル−２−メトキシ−４−メチルベンゼン；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；１−メトキシ−３ａ，４，５，６，７，７ａ−ヘキサヒドロ−１Ｈ−４，７−メタノインデン；（Ｚ）−ヘキサ−３−エン−１−イルイソブチラート；デカヒドロ−３Ｈ−スピロ［フラン−２，５’−［４，７］メタノインデン］；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；３Ｒ，３ａＲ，６Ｓ，７Ｓ，８ａＳ）−６−メトキシ−３，６，８，８−テトラメチルオクタヒドロ−１Ｈ−３ａ，７−メタノアズレン；（１Ｒ，２Ｓ，６Ｓ，７Ｓ，８Ｓ）−８−イソプロピル−１−メチル−３−メチレントリシクロ［４．４．０．０２，７］デカン；２’−イソプロピル−１，７，７−トリメチルスピロ［ビシクロ［２．２．１］ヘプタン−２，４’−［１，３］ジオキサン］；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；メトキシシクロドデカン；１−エトキシ−４−（ｔｅｒｔ−ペンチル）シクロヘキサン；（３Ｚ）−１−（２−ブテン−１−イルオキシ）−３−ヘキセン；４−（２−メトキシプロパン−２−イル）−１−メチルシクロヘキサ−１−エン；４−（ｔｅｒｔ−ペンチル）シクロヘキサン−１−オン；３−メトキシ−３，７−ジメチルオクタ−１，６−ジエン；７−イソプロピル−８，８−ジメチル−６，１０−ジオキサスピロ［４．５］デカン；３，７−ジメチルオクタナール；１，１−ジメトキシオクタン；２−メチル−６−メチレンオクタ−７−エン−２−オール；３，３−ジメチル５（２，２，３−トリメチル−３−シクロペンテン−１イル）−４−ペンテン−２−オール；ヘキシル（Ｚ）−ブタ−２−エノアート；（Ｚ）−３，７−ジメチルオクタ−２，６−ジエン−１−イルホルメート；１−エチル−３−メトキシトリシクロ［２．２．１．０２，６］ヘプタン；６，６−ジメチルビシクロ［３．１．１］ヘプタ−２−エン−２−カルバルデヒド；（Ｅ）−２，２−ジメチル−３−（３−メチルペンタ−２，４−ジエン−１−イル）オキシラン；（Ｅ）−３，７−ジメチルオクタ−４，６−ジエン−３−オール；１−フェニルエチルプロピオネート；メチル（Ｚ）−３，７−ジメチルオクタ−２，６−ジエノアート；１−メチル−２−フェノキシベンゼン；６−メトキシ−２，６−ジメチルヘプタナール；７−メトキシ−３，７−ジメチルオクタナール；（（１ｓ，４ｓ）−４−イソプロピルシクロヘキシル）メタノール；８−イソプロピル−６−メチルビシクロ［２．２．２］オクタ−５−エン−２−カルバルデヒド；３，７−ジメチルオクタ−１，６−ジエン−３−イルプロピオネート；３，７−ジメチルオクタ−１，６−ジエン−３−イルホルメート；３，７−ジメチルオクタ−１，６−ジエン−３−イルアセテート；３，７−ジメチルオクタ−１，６−ジエン−３−オール；３−（４−メチルシクロヘキサ−３−エン−１−イル）ブタナール；（Ｅ）−１−（１−メトキシプロポキシ）ヘキサ−３−エン；２−メチル−５−（１−メチルエテニル）−２−シクロヘキセノン；ドデカナール；２−ヘキシルシクロペンタン−１−オン；２，６，９，１０−テトラメチル−１−オキサスピロ（４．５）デカ−３，６−ジエン；イソプロピル２−メチルブタノエート；４−メチルペンタ−４−エン−２−イルイソブチラート；７−メチルオクチルアセテート；（１Ｒ，２Ｒ，４Ｓ）−１，７，７−トリメチルビシクロ［２．２．１］ヘプタン−２−イルプロピオネート；（１Ｒ，４Ｓ）−１，７，７−トリメチルビシクロ［２．２．１］ヘプタン−２−イルアセテート；１，７，７−トリメチルビシクロ［２．２．１］ヘプタン−２−オール；イソペンチルオクタノエート；イソペンチルイソブチラート；（１，１−ジメトキシプロパン−２−イル）ベンゼン；酪酸ヘキシル；ヘキシル２−メチルブタノエート；６−ブチル−２，４−ジメチル−３，６−ジヒドロ−２Ｈ−ピラン；（Ｅ）−３，７−ジメチルオクタ−２，６−ジエン−１−イルホルメート；１−イソプロピル−４−メチルシクロヘキサ−１，４−ジエン；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，４ａＳ，８ａＳ）−１−イソプロピル−７−メチル−４−メチレン−１，２，３，４，４ａ，５，６，８ａ−オクタヒドロナフタレン；フラン−２−イルメチルヘキサノエート；エチル（３ａＲ，４Ｓ，７Ｒ，７ａＲ）−オクタヒドロ−３ａＨ−４，７−メタノインデン−３ａ−カルボキシラート；３−（２−エチルフェニル）−２，２−ジメチルプロパナール；（Ｅ）−４，８−ジメチルデカ−４，９−ジエナール；２−ヘプチルシクロペンタン−１−オン；１，３，３−トリメチルビシクロ［２．２．１］ヘプタン−２−オール；１，３，３−トリメチル−２−オキサビシクロ［２，２，２］オクタン；オクタン酸エチル；エチル２−シクロヘキシルプロパノエート；（２Ｒ，５Ｒ）−２−メチル−５−（プロパ−１−エン−２−イル）シクロヘキサン−１−オン；４−メチル−２−フェニルテトラヒドロ−２Ｈ−ピラン；２，６−ジメチルオクタ−７−エン−２−オール；３−メチル−２−ペンチルシクロペンタ−２−エン−１−オン；３，３，５−トリメチルシクロヘキサン−１−オン；２−メチル−５−（プロパ−１−エン−２−イル）シクロヘキサン−１−オン；２−メチル−５−（プロパ−１−エン−２−イル）シクロヘキシルアセテート；２−（４−メチルシクロヘキシル）プロパン−２−イルアセテート；４−（２，６，６−トリメチルシクロヘキサ−２−エン−１−イル）ブタン−２−オン；（３Ｒ，４Ｒ）−１−イソプロピル−４−メチル−３−（プロパ−１−エン−２−イル）−４−ビニルシクロヘキサ−１−エン；メチル（１ｓ，４ｓ）−１，４−ジメチルシクロヘキサン−１−カルボキシラート；２−シクロヘキシルエチルアセテート；（４−イソプロピルフェニル）メタノール；４−シクロヘキシル−２−メチルブタン−２−オール；３，７−ジメチルオクタ−６−エン−１−イルホルメート；３，７−ジメチルオクタ−６−エン−１−オール；３，７−ジメチルオクタ−６−エナール；（１Ｒ，２Ｓ，５Ｒ）−２，６，６−トリメチルビシクロ［３．１．１］ヘプタン；（Ｚ）−ヘキサ−３−エン−１−イルペンタノエート；（Ｅ）−ヘキサ−３−エン−１−イル（Ｅ）−２−メチル−ブタ−２−エノアート；（Ｚ）−ヘキサ−３−エン−１−イルブチラート；（Ｚ）−ヘキサ−３−エン−１−イル２−メチルブタノエート；４−クロロ−３，５−ジメチルフェノール；５−イソプロピル−２−メチルフェノール；２−メチル−５−（プロパ−１−エン−２−イル）シクロヘキサ−２−エン−１−オン；２−（２，２，３−トリメチルシクロペンタ−３−エン−１−イル）アセトニトリル；１，７，７−トリメチルビシクロ［２．２．１］ヘプタン−２−オン；２，２−ジメチル−３−メチレンビシクロ［２．２．１］ヘプタン；１，７，７−トリメチルビシクロ［２．２．１］ヘプタン−２−イルアセテート；（１Ｓ，２Ｒ，４Ｓ）−１，７，７−トリメチルビシクロ［２．２．１］ヘプタン−２−オール；３，３，６，７−テトラメチルオクタヒドロ−２Ｈ−クロメン；６，６−ジメチルスピロ［ビシクロ［３．１．１］ヘプタン−２，２’−オキシラン］；３−イソプロピル−６−メチレンシクロヘキサ−１−エン；（１Ｒ，９Ｓ，Ｚ）−４，１１，１１−トリメチル−８−メチレンビシクロ［７．２．０］ウンデカ−４−エン；ベンジル３−メチルブタノエート；ベンジルイソブチラート；酪酸ベンジル；１−（３，３−ジメチルシクロヘキシル）エチルホルメート；（１Ｓ，４Ｒ，５Ｒ）−１−イソプロピル−４−メチルビシクロ［３．１．０］ヘキサン−３−オン；２−（４−メチルシクロヘキサ−３−エン−１−イル）プロパン−２−イルプロピオネート；２−（４−メチルシクロヘキサ−３−エン−１−イル）プロパン−２−イルアセテート；１，７−ジメチル−７−（４−メチルペンタ−３−エン−１−イル）トリシクロ［２．２．１．０２，６］ヘプタン；（１Ｓ，４ａＳ，８ａＲ）−１−イソプロピル−４，７−ジメチル−１，２，４ａ，５，６，８ａ−ヘキサヒドロナフタレン；１Ｓ，４ａＲ，８ａＲ）−１−イソプロピル−４，７−ジメチル−１，２，４ａ，５，６，８ａ−ヘキサヒドロナフタレン；（１Ｓ，４ａＲ，８ａＳ）−１−イソプロピル−４，７−ジメチル−１，２，４ａ，５，６，８ａ−ヘキサヒドロナフタレン；４−メトキシ−２，５−ジメチルフラン−３（２Ｈ）−オン；α−４−ジメチルベンゼンプロパナール；アリルヘプタノエート；６，８−ジメチルノナン−２−オール；（Ｚ）−ドデカ−２−エナール；３，７−ジメチル−２−メチレンオクタ−６−エナール；３，７−ジメチルオクタン−１−オール；（Ｚ）−ウンデカ−２−エンニトリル；（Ｅ）−ウンデカ−２−エナール；フェネチルプロピオネート；（２Ｓ，４Ｓ）−２−ヘプチル−２，４−ジメチル−１，３−
ジオキソラン；２−イソプロピル−Ｎ，２，３−トリメチルブタンアミド；（Ｅ）−２−イソプロピル−５−メチルヘキサ−２−エナール；２−イソプロピル−４−メチルチアゾール；（Ｅ）−２−ヘキシリデンシクロペンタン−１−オン；１−イソプロピル−４−メチル−７−オキサビシクロ［２．２．１］ヘプタン；１，３，３−トリメチルビシクロ［２．２．１］ヘプタン−２−イルアセテート；１，１，２，３，３−ペンタメチル−２，３−ジヒドロ−１Ｈ−インデン；（１Ｓ，５Ｓ）−４，６，６−トリメチルビシクロ［３．１．１］ヘプタ−３−エン−２−オン；（Ｒ）−３，７−ジメチルオクタ−１，６−ジエン−３−オール；３，７−ジメチルオクタ−６−エナール；（Ｒ）−３，７−ジメチルオクタ−６−エナール；３，７−ジメチルオクタ−６−エン−１−オール；３，７−ジメチルオクタ−６−エン−１−オール；（１Ｒ，５Ｒ）−２，６，６−トリメチルビシクロ［３．１．１］ヘプタ−２−エン；（Ｓ）−２−メチル−５−（プロパ−１−エン−２−イル）シクロヘキサ−２−エン−１−オン；（１Ｓ，５Ｓ）−２，６，６−トリメチルビシクロ［３．１．１］ヘプタ−２−エン；ヘキシル（Ｚ）−２−メチル−ブタ−２−エノアート；３−（３−イソプロピルフェニル）ブタナール；ｐ−トリルイソブチラート；ｐ−シメン；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；１，２−ジメチル−３−（プロパ−１−エン−２−イル）シクロペンタン−１−オール；（２Ｚ，５Ｚ）−５，６，７−トリメチルオクタ−２，５−ジエン−４−オン；２−（４−（ｔｅｒｔ−ブチル）フェニル）アセトアルデヒド；４−（ｔｅｒｔ−ペンチル）シクロヘキサン−１−オール；２，６，６−トリメチルビシクロ［３．１．１］ヘプタ−２−エン；３，７−ジメチルオクタ−７−エン−１−オール；（Ｚ）−６−エチリデンオクタヒドロ−２Ｈ−５，８−メタノクロメン；メチル２，２−ジメチル−６−メチレンシクロヘキサン−１−カルボキシラート；１−（３，３−ジメチルシクロヘキシル）エチルアセテート；（Ｓ）−３，７−ジメチルオクタ−１，６−ジエン−３−オール；１−イソプロピル−４−メチレンビシクロ［３．１．０］ヘキサン；５−イソプロピル−２−メチルビシクロ［３．１．０］ヘキサン−２−オール；（１Ｓ，３Ｒ，５Ｓ）−１−イソプロピル−４−メチレンビシクロ［３．１．０］ヘキサン−３−オール；プロピル（Ｓ）−２−（ｔｅｒｔ−ペンチルオキシ）プロパノエート；（４ａＲ，８ａＲ）−４ａ，８−ジメチル−２−（プロパン−２−イリデン）−１，２，３，４，４ａ，５，６，８ａ−オクタヒドロナフタレン；（Ｚ）−５−メチルヘプタン−３−オンオキシム；３，７−ジメチルオクタナール；３−メチル−２−ペンチルシクロペンタン−１−オン；３，７−ジメチルオクタン−３−オール；３，７−ジメチルオクタン−３−イルアセテート；２，６，１０，１０−テトラメチル−１−オキサスピロ［４．５］デカ−６−エン；エチル（１Ｒ，６Ｓ）−２，２，６−トリメチルシクロヘキサン−１−カルボキシラート；２−イソプロピル−５−メチルフェノール；１−イソプロピル−２−メトキシ−４−メチルベンゼン；（１Ｒ，２Ｓ）−２−（ｔｅｒｔ−ブチル）シクロヘキサン−１−オール；（２Ｒ，５Ｒ）−２−メチル−５−（プロパ−１−エン−２−イル）シクロヘキサン−１−オン；２−メルカプト−２−メチルペンタン−１−オール；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；２，２，５−トリメチル−５−ペンチルシクロペンタン−１−オン；（１Ｒ，５Ｒ）−４，６，６−トリメチルビシクロ［３．１．１］ヘプタ−３−エン−２−オン；１−メトキシ−３ａ，４，５，６，７，７ａ−ヘキサヒドロ−１Ｈ−４，７−メタノインデン；２−（ｔｅｒｔ−ブチル）シクロヘキサン−１−オール；シス−（４−ｔｅｒｔ−ブチルシクロヘキシル）アセテート；４−（ｔｅｒｔ−ブチル）シクロヘキシルアセテート及びそれらの混合物からなる群から選択され；
より好ましくは前記１以上の悪臭材料が、３−メトキシ−７，７−ジメチル−１０−メチレンビシクロ［４．３．１］デカン；（１Ｓ，２Ｓ，４Ｓ）−１，７，７−トリメチルビシクロ［２．２．１］ヘプタン−２−イルイソブチラート；３ａ，４，５，６，７，７ａ−ヘキサヒドロ−１Ｈ−４，７−メタノインデン−６−イルアセテート；オクタヒドロ−１Ｈ−４，７−メタノインデン−５−イルアセテート；（１Ｓ，２Ｓ）−１，７，７−トリメチルビシクロ［２．２．１］ヘプタン−２−イルイソブチラート；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）ベンゼン；（３Ｒ，３ａＳ，７Ｓ，８ａＳ）−３，８，８−トリメチル−６−メチレンオクタヒドロ−１Ｈ−３ａ，７−メタノアズレン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（１ａＲ，４ａＳ）−２，４ａ，８，８−テトラメチル−１，１ａ，４，４ａ，５，６，７，８−オクタヒドロシクロプロパ［ｄ］ナフタレン；デカヒドロ−３Ｈ−スピロ［フラン−２，５’−［４，７］メタノインデン］；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］及びそれらの混合物からなる群から選択される、請求項６から９のいずれかに記載の送達系。
【請求項１３】
請求項１から１２のいずれか１項に記載の送達系を含む消費者向け製品及び消費者向け製品成分。
【請求項１４】
ある部位を処理及び／又は洗浄する方法であって、前記方法が、
ａ）前記部位を所望により洗浄、すすぎ、及び／又は乾燥する工程、
ｂ）前記部位を請求項１〜１２に記載の送達系及び／又は請求項１３に記載の消費者向け製品と接触させる工程；及び
ｃ）前記部位を所望により洗浄、すすぎ、及び／又は乾燥する工程を含む、方法。
【請求項１５】
請求項１から１２に記載の送達系及び／又は請求項１３に記載の消費者向け製品で処理された部位。
【発明の詳細な説明】
【技術分野】
【０００１】
本発明は、悪臭低減組成物を含む送達系、そのような送達系を作成する方法及びそのような送達系によって作成した消費者向け製品に関する。
【背景技術】
【０００２】
無香料製品又は香料入り製品は、香料入り製品よりも自然で奥ゆかしいとみなされる場合があるので、消費者に望まれる。悪臭を抑制するための無香料製品又は香料入り製品のメーカーは、悪臭を減らすために悪臭低減成分又はその他の技術（例えば濾過器）に頼っている。しかし、悪臭、例えば、アミン系の悪臭（例えば魚及び尿）、チオール及び硫化物系の悪臭（例えばニンニク及び玉ネギ）、Ｃ２〜Ｃ１２カルボン酸系の悪臭（例えば体臭及びペット臭）、インドール系の悪臭（例えば糞便及び口臭）、短鎖脂肪族アルデヒド系の悪臭（例えば油脂）ならびにゲオスミン系の悪臭（例えばカビ／ウドンコ病菌）を効果的に制御することは難しく、製品が悪臭を著しく低減するのに要する時間は、製品の悪臭への効力に関して消費者が疑念を抱く恐れがある。多くの場合、メーカーは、これらの難しい悪臭を覆い隠すのを助けるために香りのする香料を取り入れている。
【０００３】
残念ながら、悪臭制御技術は、一般的に悪臭をより強い匂いで覆い隠すので、悪臭制御技術によって処理される、芳香があるか又は芳香のない部位の匂いの邪魔をする。従って、現在の悪臭制御技術の限定的な性質は、非常に強制的である。従って、香料集団が、多くの状況／適用において所望のレベルの特徴を送達することができるほど広い範囲の悪臭制御技術が必要とされている。驚くことに、本出願者らは、感覚細胞への悪臭の接近を遮断することに加えて、所望の目的を実現するために、悪臭制御技術はそのような感覚細胞をその他の分子、例えば匂い分子に開放しなければならないことを認識した。そのような認識の結果として、本出願者らは、芳香があるか又は芳香のない送達系の匂いを過度に邪魔しない悪臭低減組成物を含む送達系、そのような送達系を含む芳香があるか又は芳香のない製品及びそのような製品で処理される芳香があるか又は芳香のない部位を開発した。そのような送達系が本明細書において開示される。
【発明の概要】
【課題を解決するための手段】
【０００４】
本発明は、悪臭低減組成物を含む送達系、そのような送達系を作成する方法及びそのような送達系によって作成した消費者向け製品に関する。そのような送達系は、芳香があるか又は芳香のない送達系、そのような送達系を含む芳香があるか又は芳香のない製品及びそのような製品で処理される芳香があるか又は芳香のない場所の匂いを過度に邪魔しない。
【発明を実施するための形態】
【０００５】
本明細書において使用される「ＭＯＲＶ」は、対象物質について計算された悪臭低減値である。ある物質のＭＯＲＶは、かかる物質が１又はそれ以上の悪臭の知覚を低減するか又は解消さえする能力を示す。本願の目的において、物質のＭＯＲＶは、本願の試験方法の項に見出される方法に従って計算される。
【０００６】
本明細書において、用語「香料」は悪臭低減物質を含まない。従って、香料の組成を判定する際に、組成物の香料部分には、そのような悪臭低減物質が本明細書に記載されるように、組成物中に見出される悪臭低減物質が含まれない。手短に言えば、ある物質が、本特許請求において列挙されるＭＯＲＶの範囲内の悪臭低減値「ＭＯＲＶ」を有する場合、そのような物質はそのような特許請求の目的において悪臭低減物質である。
【０００７】
本明細書において使用される「洗浄及び／又はトリートメント製品」は、全て消費者、農業、産業又は施設使用のための、単位量送達製品に含まれてもよいし含まれなくてもよい、液体洗濯用洗剤、布地強化剤、洗濯及び／又はすすぎ添加剤、液体食器用洗剤、液体硬質表面洗浄及び／又はトリートメント組成物、液体便器洗浄剤を含む製品を意味する。
【０００８】
本明細書において「悪臭」とは、排便にともなう複合臭のようなほとんどの人々にとって一般的に不快であるか不愉快である化合物をさす。
【０００９】
本願で使用する用語「臭気ブロッキング」は、人間の嗅覚を鈍くすることができる化合物の能力を意味する。
【００１０】
本明細書において、用語「ａ」及び「ａｎ」は、「少なくとも１つ」を意味する。
【００１１】
本明細書で使用する場合、用語「含む（include）」、「含む（includes）」、及び「含んでいる（including）」は、非限定的であることを意味する。
【００１２】
別途指定されない限り、成分又は組成物の濃度は全て、当該成分又は組成物の活性部分に関するものであり、このような成分又は組成物の市販の供給源に存在し得る不純物、例えば、残留溶媒又は副生成物は除外される。
【００１３】
全ての百分率及び比率は、別途指定されない限り、重量で計算される。全ての百分率及び比率は、別途指定されない限り、全組成物を基準にして計算される。
【００１４】
本明細書の全体を通じて与えられる全ての最大数値限定は、それよりも小さい数値限定を、そのようなより小さい数値限定があたかも本明細書に明確に記載されているかのように包含するものと理解すべきである。本明細書の全体を通じて与えられる全ての最小数値限定は、より大きい全ての数値限定を、そのようなより大きい数値限定があたかも本明細書に明確に記載されているかのように包含する。本明細書全体を通して与えられる全ての数値範囲は、そのようなより広い数値範囲内に入るより狭い全ての数値範囲を、そのような狭い数値範囲があたかも全て本明細書に明確に記載されているかのように包含する。
【００１５】
悪臭低減物質
適した悪臭低減物質の限定されないセットが下の表に記載される。使い易さのために、表１〜３の各々の物質には数字の識別子が割り当られ、それは「番号」と示される各表の列に見出される。表４は表１の部分集合であり、表５は表２の部分集合であり、表６は表３の部分集合である。そこで、表４、５及び６に関して、各表はそれぞれ表１〜３に見出されるのと同じ識別子を使用する。
【００１６】
【表１】
2017536859.tif 000002
【００１７】
【表２−１】
2017536859.tif 000003
【００１８】
【表２−２】
2017536859.tif 000004
【００１９】
【表２−３】
2017536859.tif 000005
【００２０】
【表２−４】
2017536859.tif 000006
【００２１】
【表２−５】
2017536859.tif 000007
【００２２】
【表２−６】
2017536859.tif 000008
【００２３】
【表２−７】
2017536859.tif 000009
【００２４】
【表２−８】
2017536859.tif 000010
【００２５】
【表２−９】
2017536859.tif 000011
【００２６】
【表２−１０】
2017536859.tif 000012
【００２７】
【表２−１１】
2017536859.tif 000013
【００２８】
【表２−１２】
2017536859.tif 000014
【００２９】
【表３】
2017536859.tif 000015
【００３０】
【表４−１】
2017536859.tif 000016
【００３１】
【表４−２】
2017536859.tif 000017
【００３２】
【表４−３】
2017536859.tif 000018
【００３３】
【表４−４】
2017536859.tif 000019
【００３４】
【表５−１】
2017536859.tif 000020
【００３５】
【表５−２】
2017536859.tif 000021
【００３６】
【表６】
2017536859.tif 000022
【００３７】
【表７】
2017536859.tif 000023
【００３８】
表１〜６の物質は以下の１以上より供給され得る：
米国ニュージャージー州プレインズボロ所在のフィルメニッヒ社；米国ニューヨーク州ニューヨーク所在のインターナショナル・フレーバー・アンド・フレグランス社；米国ニュージャージー州テターボロ所在のタカサゴ社；米国ニュージャージー州テターボロ所在のＳｙｍｒｉｓｅ社；米国カリフォルニア州カールスバッド所在のシグマ−アルドリッチ／ＳＡＦＣ社；及び米国コネチカット州ダンベリー所在のＢｅｄｏｕｋｉａｎ  Ｒｅｓｅａｒｃｈ社。
【００３９】
上の表１〜６にリストされる各々の物質の実際のＭＯＲＶ値は以下の通りである：
【００４０】
【表８−１】
2017536859.tif 000024
【００４１】
【表８−２】
2017536859.tif 000025
【００４２】
【表８−３】
2017536859.tif 000026
【００４３】
【表８−４】
2017536859.tif 000027
【００４４】
【表８−５】
2017536859.tif 000028
【００４５】
【表８−６】
2017536859.tif 000029
【００４６】
【表８−７】
2017536859.tif 000030
【００４７】
【表８−８】
2017536859.tif 000031
【００４８】
【表８−９】
2017536859.tif 000032
【００４９】
【表８−１０】
2017536859.tif 000033
【００５０】
【表８−１１】
2017536859.tif 000034
【００５１】
【表８−１２】
2017536859.tif 000035
【００５２】
【表８−１３】
2017536859.tif 000036
【００５３】
【表８−１４】
2017536859.tif 000037
【００５４】
送達系及び方法
好適な送達系、送達系を製造する方法、及びそのような送達系の使用法の非限定例が、米国特許出願公開第２００７／０２７５８６６（Ａ１）号に開示されている。このような送達系としては、以下が挙げられる。
【００５５】
ポリマー支援型送達（ＰＡＤ）：この送達技術は、物質を送達するうえでポリマー材料を用いるものである。古典的なコアセルベーション、水溶性又は部分水溶性〜水不溶性の荷電又は中性ポリマー、液晶、ホットメルト、ヒドロゲル、香料付与プラスチック、マイクロカプセル、ナノ−及びマイクロラテックス、ポリマー性フィルム形成剤、及びポリマー吸収剤、ポリマー吸着剤等が幾つかの例である。ＰＡＤとしては、限定されるものではないが、以下が挙げられる。
マトリックス系：芳香剤をポリマーマトリックス又は粒子中に溶解又は分散させる。例えば、香料は、１）製品に配合する前にポリマー中に分散させるか、又は２）製品の配合中又は配合後にポリマーとは別に添加してよい。ポリマーからの香料の拡散は、所望の表面（部位）に付着又は塗布されたポリマー性マトリックス系から香料を放出させるか、あるいはその放出速度を増加させるうえで一般的な誘因であるが、香料の放出を制御する他の多くの誘因が知られている。ポリマー粒子、フィルム、溶液などの内部又は上部への吸収及び／又は吸着はこの技術の態様である。有機材料（例えば、ラテックス）からなるナノ又はマイクロ粒子がその例である。好適な粒子としては、限定するものではないが、ポリアセタール、ポリアクリレート、ポリアクリル酸、ポリアクリロニトリル、ポリアミド、ポリアリールエーテルケトン、ポリブタジエン、ポリブチレン、ポリブチレンテレフタレート、ポリクロロプレン、ポリエチレン、ポリエチレンテレフタラート、ポリシクロヘキシレンジメチレンテレフタレート、ポリカーボネート、ポリクロロプレン、ポリヒドロキシアルカノエート、ポリケトン、ポリエステル、ポリエーテルイミド、ポリエーテルスルホン、ポリエチレンクロリネート、ポリイミド、ポリイソプレン、ポリ乳酸、ポリメチルペンテン、ポリフェニレンオキシド、ポリフェニレンスルフィド、ポリフタルアミド、ポリプロピレン、ポリスチレン、ポリスルホン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物等に基づくポリマー又はコポリマー等の広範な材料が挙げられる。
【００５６】
「標準的な」系とは、ポリマーと結合した予備充填された香料を香料の放出の瞬間まで保持することを意図して「予備充填された」系をさす。このようなポリマーは、未希釈の製品の匂いを抑制し、香料の放出速度に応じて香料ブルーム効果及び／又は持続効果も与え得る。このような系による課題の１つは、１）製品内安定性（必要時まで担体内部に香料を保持すること）と、２）適時放出（使用時又は乾燥部位から）との理想的なバランスを実現することである。このような安定性の実現は、製品の保存及び製品の老化中に特に重要である。この課題は、ヘビーデューティー液体洗濯用洗剤などの、水性界面活性剤含有製品に特に明らかである。利用可能な多くの「標準的」マトリックス系は、水性製品に配合した場合に効果的に「平衡」系となる。「平衡」系又はリザーバ系を選択することができ、これは許容可能な製品内拡散安定性及び利用可能な放出誘因（例えば、摩擦）を有する。「平衡」系は、香料及びポリマーが製品に別々に添加され得る系であり、香料とポリマーとの間の平衡相互作用が、１つ以上の消費者接触点で効果を引き起こす（これに対し、自由香料制御はポリマー支援型送達技術をもたない）。このポリマーも香料で予備充填されてよい；しかし、香料の一部又は全部は製品保存時に拡散し、所望の香料原材料（ＰＲＭ）がポリマーに結合した平衡状態に達する場合がある。次に、ポリマーは香料を表面へと輸送し、一般に香料の拡散によって香料を放出する。このような平衡系ポリマーを使用することで、未希釈の製品の匂いの強度が低下する可能性がある（通常、予備充填された標準系にそのような例が多い）。このようなポリマーの蓄積は放出プロファイルを「平坦化」し、持続性を高めることができる。上記に示したように、このような持続性は初期の強度を抑制することによって得られ、配合者が、より高いインパクト又は低い嗅覚閾値（ＯＤＴ）又は低いコバッツ・インデックス（ＫＩ）のＰＲＭを用いて、初期強度が強過ぎたり、変質することのないＦＭＯＴの効果を得ることが可能となる。所望の消費者の接触点に影響を与えるためには、香料の放出は、適用のタイムフレーム内で起きることが重要である。マトリックス系は、ホットメルト接着剤及び香料付与プラスチックも含む。更に、疎水的に改質された多糖を香料添加製品に配合することによって香料蓄積を増加させ、及び／又は香料放出を改変することができる。例えば、多糖、及びナノラテックスなどのこのようなマトリックス系はすべて、ＰＡＤリザーバ系などの他のＰＡＤ系を含む他のＰＤＴと組み合わせて香料マイクロカプセル（ＰＭＣ）の形態とすることができる。
【００５７】
シリコーンもＰＤＴとして用いることができるポリマーの例であり、ポリマー支援型送達「マトリックス系」に類似の方法で香料効果をもたらすことができる。このようなＰＤＴは、シリコーン支援型送達（ＳＡＤ）と呼ばれる。シリコーンを香料で予備充填したり、シリコーンをＰＡＤについて述べたような平衡系として使用することができる。シリコーンの例としては、ポリジメチルシロキサン及びポリアルキルジメチルシロキサンが挙げられる。その他の例としては、アミン官能性を有するものが挙げられ、これを用いてアミン支援型送達（ＡＡＤ）、及び／又はポリマー支援型送達（ＰＡＤ）、及び／又はアミン反応生成物（ＡＲＰ）に関連する効果を提供することができる。
【００５８】
リザーバ系：リザーバ系はコア／シェル型技術、すなわち保護シェルとして機能し得る香料放出制御膜によって物質が包囲される技術としても知られる。マイクロカプセル内部の物質がコア、内部相、又は充填物と呼ばれるのに対して、この壁は時としてシェル、コーティング、又は膜と呼ばれる。マイクロ粒子、感圧カプセル又はマイクロカプセルはこのような技術の例である。本発明のマイクロカプセルは、限定するものではないが、コーティング、押出し、スプレー乾燥、界面重合、その場での重合、及びマトリクス重合などの様々な方法によって形成される。使用可能なシェル物質は水に対する安定性が大きく異なる。最も安定したものとして、水溶液（又は製品）中で特定のＰＲＭをより長期にわたって保持し得るポリオキシメチレン尿素（ＰＭＵ）系材料がある。このような系として、尿素−ホルムアルデヒド、及び／又はメラミン−ホルムアルデヒドが挙げられるが、これらに限定されない。例えば架橋度に応じて水に速やかに又はゆっくりと溶解するようにゼラチン系マイクロカプセルを調製してよい。多くの他のカプセル壁材料が入手可能であり、これらは観察される香料の拡散安定性の程度が異なっている。理論に束縛されるものではないが、例えば一度所定の表面に付着したカプセルからの香料の放出速度は、通常、製品内の香料拡散安定性の逆数である。このため、例えば尿素−ホルムアルデヒド、及びメラミン−ホルムアルデヒドマイクロカプセルは、通常、機械的力（例、摩擦力、圧力、剪断応力）などの、カプセルを破壊して香料（芳香剤）の放出速度を増大させる、拡散以外の（又は拡散の他の更なる）放出機構を香料の放出のために必要とする。他の誘因としては、融解、溶解、加水分解又は他の化学反応、及び電磁放射などが挙げられる。予備充填されたマイクロカプセルの使用には、製品内安定性、及び使用時及び／又は表面上（部位上）放出の適正な比に加えてＰＲＭの適切な選択が求められる。尿素−ホルムアルデヒド、及び／又はメラミン−ホルムアルデヒド系のマイクロカプセルは特に中性に近い水溶液中で比較的安定している。これらの材料は摩擦誘因を必要とする場合があるが、これは全ての製品用途に適用できるものではない。他のマイクロカプセル材料（例、ゼラチン）は水系製品中では不安定な場合があり、製品の経時後に（自由香料制御と比較して）効果が低下する場合もある擦ると香りが出る（スクラッチ・アンド・スニッフ）技術はＰＡＤの更なる別の例である。
【００５９】
分子支援型送達（ＭＡＤ）：非ポリマー物質又は分子も香料の送達性を向上させるために機能し得る。理論に束縛されるものではないが、香料は有機物質と非共有結合的に相互作用する場合があり、香料の異常な蓄積及び／又は放出につながる。このような有機物質の非限定例としては、これらに限定されるものではないが、有機油、ワックス、鉱油、ワセリン、脂肪酸又はエステルなどの疎水性物質、糖類、界面活性剤、リポソーム、及び更には他の香料原料（香油）、並びにボディーオイル及び／又は他の土壌などの天然油が挙げられる。香料定着剤は、更なる別の例である。一態様では、非ポリマー物質又は分子は、約２よりも大きいＬｏｇＰ値を有する。
【００６０】
シクロデキストリン（ＣＤ）：この技術手法は、環状オリゴ糖又はシクロデキストリンを用いて物質の送達を向上させる。一般的に、香料とシクロデキストリン（ＣＤ）との複合体を形成する。このような複合体は、予め形成してもよいし、その場で形成してもよいし、部位の表面又は内部で形成してもよい。理論に束縛されるものではないが、特に他の補助成分（例、界面活性剤）がシクロデキストリンの内腔をめぐって香料と競合するような高濃度で存在しない場合には、水の損失によって平衡状態はＣＤ−香料複合体側に移動し得る。後の時点で水との接触や含水量の増大が起こった場合にブルーム効果が得られる可能性がある。その上、シクロデキストリンによって香料の配合者によるＰＲＭの選択の柔軟性が増加する。シクロデキストリンは所望の香料安定性、蓄積、又は放出効果を得るために香料で予備充填してもよく、あるいは香料とは別に添加してもよい。
【００６１】
デンプン封入アコード（ＳＥＡ）：デンプン封入アコード（ＳＥＡ）技術の使用により、例えばデンプンなどの成分を加えて液体香料を固体に変換することによって、送達される物質の性質を改変することが可能である。その効果としては、製品保存時の香料の保持率が特に非水性条件下において向上することが挙げられる。水分との接触時には香料のブルームが誘発され得る。製品の配合者は、デンプンによって、通常であればＳＥＡの非存在下では使用できないＰＲＭ又はＰＲＭの濃度を選択することが可能となることから、他の最適な時点で更に効果が得られる可能性がある。別の技術の例としては、香料を液体から固体に転化するうえでシリカなどの他の有機及び無機材料を使用することが挙げられる。
【００６２】
ゼオライト、及び無機担体（ＺＩＣ）：この技術は物質を送達するために多孔質のゼオライト又は他の無機材料を使用することに関する。例として、香料充填ゼオライトを、例えば、香料充填ゼオライト（ＰＬＺ）をコーティングするために用いられる補助成分と共に又は該補助成分なしで使用して、製品の保存中又は使用中の、又は乾燥部位からの香料放出特性を変化させることができる。シリカは、ＺＩＣの別の形態である。好適な無機担体の例としては他にも、香料又は他の活性物質がナノ小管又はマイクロ小管の内腔内に収容されている、無機小管が挙げられる。好ましくは、香料を充填した無機小管（すなわち香料充填小管又はＰＬＴ）は、ハロイサイト、又はハロイサイトと他の無機物質（他の粘土を含む）との混合物のような、鉱物性のナノ小管又はマイクロ小管である。ＰＬＴ技術はまた、製品内拡散安定性、所望の部位への付着を向上させるため、又は充填された香料の放出速度を制御する目的で、小管の内側及び／又は外側に更なる成分を含んでもよい。デンプン封入体などのモノマー性材料及び／又は高分子材料を使用することによってＰＬＴのコーティング、プラギング、キャッピング又は封入が可能になる。
【００６３】
送達系の総重量に基づいて、合計約０．０００２５％〜約３０％、好ましくは約０．００２５％〜約１０％、より好ましくは約０．００５％〜約５％、最も好ましくは約０．０１％〜約４％の、１又はそれ以上の悪臭低減物質、好ましくは１〜約２０の悪臭低減物質、より好ましくは１〜約１５の悪臭低減物質、最も好ましくは１〜約１０の悪臭低減物質を含む有益剤であって、前記悪臭低減物質の各々は、ＭＯＲＶが少なくとも０．５、好ましくは０．５〜１０、より好ましくは１〜１０、最も好ましくは１〜５であり、好ましくは前記悪臭低減物質の各々は、ユニバーサルＭＯＲＶ（Ｕｎｉｖｅｒｓａｌ  ＭＯＲＶ）を有し、悪臭低減物質の前記合計は、ブロッカー指数（Ｂｌｏｃｋｅｒ  Ｉｎｄｅｘ）が３未満、より好ましくは約２．５未満、さらにより好ましくは約２未満、一層より好ましくは約１未満、最も好ましくは０であり、かつ／又はブロッカー指数平均値が３〜約０．００１である、有益剤；及び、所望によりさらなる有益剤を含む、送達系
が開示される。
【００６４】
前記送達系の一態様では、前記悪臭低減物質の各々は、１以上、２以上、３以上、４以上、５以上、６以上、７以上、８以上、９以上のＭＯＲＶを有してよく、好ましくはそのような範囲の各々について、上限は約１０である。
【００６５】
前記送達系の一態様では、前記悪臭低減物質は、芳香剤忠実度指数（Fragrance Fidelity Index）が３未満、好ましくは２未満、より好ましくは１未満、最も好ましくは０であり、かつ／又は芳香剤忠実度指数平均値が３〜約０．００１の芳香剤忠実度指数である。
【００６６】
前記送達系の一態様では、前記１又はそれ以上の悪臭低減物質は、約０．０１〜約８０％の悪臭低減組成物、好ましくは約０．１〜７０％の悪臭低減組成物、より好ましくは約０．５〜６０％の悪臭低減組成物、最も好ましくは約１．０〜４０％の悪臭低減組成物からなる群から選択される。
【００６７】
前記送達系の一態様では、前記送達系は、以下からなる群から選択される：
ａ）有益剤の総重量に基づいて、約０．１〜約５０％の悪臭低減組成物を含む、ポリマー支援型送達（ＰＡＤ）系、
ｂ）有益剤の総重量に基づいて、約０．１〜約７５％の悪臭低減組成物を含む、分子支援型送達（ＭＡＤ）系。
ｃ）有益剤の総重量に基づいて、約０．１〜約２０％の悪臭低減組成物を含む、シクロデキストリン（ＣＤ）系。
ｄ）有益剤の総重量に基づいて、約０．１〜約８０％の悪臭低減組成物を含む、デンプン封入アコード（ＳＥＡ）系。
ｅ）有益剤の総重量に基づいて、約０．１〜約３０％の悪臭低減組成物を含む、ゼオライト＆無機担体（ＺＩＣ）系。
【００６８】
前記送達系の一態様では、前記ポリマー支援型送達（ＰＡＤ）系は、ポリマー支援型送達（ＰＡＤ）リザーバ系を含む。
【００６９】
前記送達系の一態様では、前記ポリマー支援型送達（ＰＡＤ）リザーバ系は、シェル材料及びコア材料を含む香料送達粒子であり、前記シェル材料は前記コア材料を取り囲み、前記コア材料は請求項１に記載の悪臭低減物質を含み、前記シェルは、ポリエチレン；ポリアミド；ポリスチレン；ポリイソプレン；ポリカーボネート；ポリエステル；ポリアクリレート；アミノプラスト（一態様では、前記アミノプラストは、ポリ尿素、ポリウレタン、及び／又はポリ尿素ウレタンを含み、一態様では、前記ポリ尿素は、ポリオキシメチレン尿素及び／又はメラミンホルムアルデヒドを含む）、ポリビニルアミン、ポリビニルホルムアミド、ポリオレフィン；ポリビニルアルコール、多糖（一態様では、アルギン酸塩及び／又はキトサン）；ゼラチン；セラック；エポキシ樹脂；ビニルポリマー；水不溶性無機物；シリコーン；及びそれらの混合物からなる群から選択される材料を含み、好ましくは前記香料送達粒子は、約５ミクロン〜約４５ミクロン、より好ましくは約８ミクロン〜約２５ミクロンの体積加重平均粒度、あるいは、約２５ミクロン〜約６０ミクロン、より好ましくは約２５ミクロン〜約６０ミクロンの体積加重平均粒度を有する。
【００７０】
前記送達系の一態様では、前記シェルは、メラミンホルムアルデヒド及び／又は架橋メラミンホルムアルデヒドを含む。
【００７１】
前記送達系の一態様では、前記シェルは、多糖、カチオン修飾デンプン及びカチオン修飾グアー、ポリシロキサン、ポリハロゲン化ジメチルジアリルアンモニウム、ポリ塩化ジメチルジアリルアンモニウムとビニルピロリドンのコポリマー、アクリルアミド、イミダゾール、ハロゲン化イミダゾリニウム及びハロゲン化イミダゾリウム、並びにポリビニルアミン及びそのＮ−ビニルホルムアミドとのコポリマーからなる群から選択される水溶性カチオンポリマーによってコーティングされている。
【００７２】
前記送達系の一態様では、前記シェルをコーティングする前記コーティングは、カチオン性ポリマー及びアニオン性ポリマーを含む。
【００７３】
前記送達系の一態様では、前記カチオン性ポリマーはヒドロキシルエチルセルロースを含み；前記アニオン性ポリマーはカルボキシルメチルセルロースを含む。
【００７４】
前記送達系の一態様では、前記低減物質は、表１の物質及びそれらの混合物からなる群から選択され；好ましくは前記物質は、表１の物質１、２、３、４、７、９、１０、１１、１３、１４、１６、１７、１８、２１、２２、２３、２５、２８、２９、３０、３１、３２、３３、３４、３５、３６、３７、３８、３９、４２、４３、４７、４８、４９、５０、５２、５７、６１、６２、６３、６４、６５、６７、６８、６９、７０、７１、７４、７５、７６、７７、７８、７９、８０、８２、８３、８５、９１、９２、９３、９８、１００、１０１、１０２、１０３、１０４、１０５、１０６、１０８、１０９、１１０、１１２、１１３、１１４、１１７、１１９、１２０、１２２、１２３、１２６、１２８、１３０、１３４、１３５、１３７、１４０、１４１、１４２、１４３、１４５、１４６、１４８、１４９、１５２、１５３、１５５、１５６、１５８、１５９、１６１、１６２、１６７、１６８、１７０、１７４、１７５、１７６、１７７、１７８、１７９、１８２、１８３、１８４、１８５、１８６、１８７、１８９、１９０、１９２、１９３、１９５、１９６、１９７、１９９、２０６、２０８、２０９、２１０、２１１、２１２、２１５、２１８、２２１、２２７、２２８、２２９、２３０、２３１、２３３、２３４、２３８、２４２、２４３、２４４、２４６、２４７、２４９、２５２、２５３、２５４、２５６、２５９、２６０、２６１、２６３、２６７、２６９、２７１、２７４、２７６、２７７、２７８、２８０、２８１、２８５、２８６、２８８、２８９、２９０、２９２、２９３、２９４、２９５、２９６、３００、３０１、３０３、３０７、３１６、３１７、３１８、３２１、３２２、３２３、３２４、３２５、３２８、３２９、３３０、３３１、３３２、３３３、３３４、３３５、３３６、３３８、３３９、３４２、３４３、３４４、３４７、３４９、３５０、３５２、３５３、３５６、３５８、３５９、３６０、３６１、３６２、３６３、３６４、３６８、３６９、３７０、３７１、３７２、３７３、３７４、３７５、３７７、３７８、３８１、３８５、３８６、３８８、３９０、３９１、３９４、３９７、３９８、４０７、４１３、４１４、４１５、４１６、４１７、４１８、４２１、４２４、４２５、４２６、４２８、４２９、４３２、４３６、４４１、４４４、４４５、４４９、４５０、４５３、４５７、４５９、４６１、４６２、４６３、４６４、４６５、４６６、４６７、４６８、４７０、４７１、４７３、４７４、４７５、４７８、４７９、４８０、４８２、４８４、４８５、４８６、４８７、４８８、４９１、４９３、４９７、４９８、５０１、５０２、５０３、５０５、５１９、５２０、５２１、５２４、５２７、５２９、５３０、５３１、５３２、５３４、５３７、５４１、５４４、５４６、５４８、５５０、５５１、５５２、５５３、５５５、５５８、５５９、５６０、５６１、５６２、５６３、５６５、５６６、５６７、５６８、５６９、５７０、５７１、５７２、５７３、５７４、５７７、５７８、５８０、５８１、５８２、５８４、５８６、５８７、５８９、５９１、５９２、５９４、５９５、５９９、６００、６０１、６０３、６０４、６０６、６０７、６０８、６０９、６１０、６１１、６１２、６１３、６１４、６１５、６１６、６１８、６２０、６２１、６２４、６２５、６２６、６２７、６２８、６３１、６３２、６３３、６３５、６３６、６３８、６３９、６４４、６４９、６５０、６５３、６５５、６５８、６５９、６６０、６６１、６６３、６６８、６７１、６７３、６７４、６７５、６７６、６７７、６７８、６７９、６８０、６８１、６８２、６８３、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３０、７３１、７３３、７３５、７３６、７３８、７４１、７４２、７４６、７４８、７５０、７５２、７５４、７５７、７５８、７６３、７６４、７６６、７６７、７６８、７６９、７７０、７７１、７７２、７７４、７７５、７７６、７７８、７８１、７８２、７８６、７８８、７９１、７９２、８００、８０２、８０３、８０４、８０５、８０６、８０７、８１４、８２１、８２４、８２６、８２７、８２８、８２９、８３１、８３３、８３４、８３７、８３９、８４０、８４９、８５０、８５２、８５６、８６４、８６５、８６６、８６８、８６９、８７０、８７１、８７２、８７３、８７６、８７７、８７８、８７９、８８１、８８４、８８５、８８６、８９０、８９２、８９３、８９４、８９７、９０５、９０８、９１２、９１３、９１４、９１６、９１９、９２０、９２２、９２３、９２４、９２５、９２６、９２７、９２８、９２９、９３０、９３３、９３７、９３９、９４１、９４２、９４３、９４５、９４６、９４７、９４８、９５０、９５１、９５３、９５４、９５５、９５９、９６２、９６５、９６７、９６９、９７３、９７４、９７６、９７８、９８０、９８２、９８５、９８８、９９３、９９８、１０００、１００３、１００６、１００７、１００８、１００９、１０１０、１０１２、１０１６、１０２０、１０２１、１０２２、１０２３、１０２４、１０２５、１０２６、１０２７、１０２８、１０２９、１０３１、１０３２、１０３３、１０３５、１０３６、１０３７、１０３８、１０４２、１０４３、１０４５、１０４６、１０４７、１０５３、１０５７、１０５９、１０６０、１０６２、１０６３、１０６４、１０６５、１０６６、１０６７、１０７０、１０７２、１０７３、１０７５、１０７７、１０７８、１０８２、１０８３、１０８５、１０８９、１０９０、１０９１、１０９３、１０９５、１０９７、１０９９、１１０２、１１０４、１１０５、１１０７、１１１１、１１１３、１１１６、１１１７、１１２０、１１２１、１１２５、１１２６、１１２９、１１３１、１１３５、１１３６、１１３７、１１３８、１１３９、１１４０、１１４２、１１４３、１１４４、１１４５、１１４６、１１４７、１１４８、１１４９、表２の物質２、２３、１４１、１８５、２２７、２３０、２４６、２４８、３４３、３５９、５６５、６３１、６５９、６７４、６７８、６７９、７１５、７５８、１０２８、１０９７、表３の物質１２、１９、２０、２４、２６、２７、５３、５４、５５、５９、７２、７３、８１、８４、９６、９７、１０７、１１１、１１５、１１６、１２５、１３３、１４７、１５０、１５１、１５４、１５７、１６３、１６６、１６９、１８１、１９１、１９４、１９８、２０１、２０４、２０５、２１３、２１４、２３２、２３７、２３９、２５５、２５８、２６４、２７０、２７３、２７５、２８２、２８３、２８４、２８７、３０２、３０６、３０８、３１０、３１２、３１４、３１９、３４６、３５４、３５５、３６５、３６６、３７６、３７９、３８７、４００、４１２、４１９、４２０、４３７、４３８、４３９、４４０、４４２、４４３、４４７、４４８、４５４、４５５、４６９、４７２、４７７、４８１、４９２、４９５、４９６、５０４、５０９、５１０、５１２、５１５、５１７、５１８、５２２、５２５、５２６、５２８、５３５、５３６、５３８、５４０、５４２、５４７、５４９、５５４、５５６、５５７、５７５、５７６、５７９、５８３、５８５、５８８、６０２、６０５、６１７、６１９、６４０、６４１、６４５、６４７、６５１、６５２、６６２、６６４、６６５、６６７、６７２、６８７、６９９、７０１、７０３、７４０、７４３、７４４、７４５、７５５、７６０、７６１、７７７、７７９、７８４、７８９、７９６、７９７、７９９、８０８、８１０、８１１、８１２、８１７、８１９、８２０、８３２、８３５、８３６、８３８、８４５、８４６、８４７、８４８、８５１、８５８、８７５、８８０、８８２、８８３、８８８、８８９、８９１、８９９、９００、９０１、９０２、９０３、９０４、９０９、９１８、９２１、９３１、９４０、９５６、９５８、９６０、９７１、９７７、９８１、９８３、９８６、９８７、９９４、９９５、１００１、１００２、１００４、１００５、１０１１、１０１７、１０１８、１０１９、１０３０、１０３９、１０４０、１０４１、１０５１、１０５２、１０５４、１０５５、１０５８、１０６１、１０６９、１０７１、１０７４、１０７６、１０７９、１０８１、１０８４、１０８８、１０９８、１１１０、１１１２、１１１５、１１１８、１１１９、１１２２、１１２７、１１２８、１１３３、１１３４、１１４１及びそれらの混合物からなる群から選択され；好ましくは前記悪臭低減物質は、表１の物質１、２、３、４、７、９、１０、１１、１３、１４、１６、１７、１８、２１、２２、２３、２５、２８、２９、３０、３１、３２、３３、３４、３５、３６、３７、３８、３９、４２、４３、４７、４８、４９、５０、５２、５７、６１、６２、６３、６４、６５、６７、６８、６９、７０、７１、７４、７５、７６、７７、７８、７９、８０、８２、８３、８５、９１、９２、９３、９８、１００、１０１、１０２、１０３、１０４、１０５、１０６、１０８、１０９、１１０、１１２、１１３、１１４、１１７、１１９、１２０、１２２、１２３、１２６、１２８、１３０、１３４、１３５、１３７、１４０、１４１、１４２、１４３、１４５、１４６、１４８、１４９、１５２、１５３、１５５、１５６、１５８、１５９、１６１、１６２、１６７、１６８、１７０、１７４、１７５、１７６、１７７、１７８、１７９、１８２、１８３、１８４、１８５、１８６、１８７、１８９、１９０、１９２、１９３、１９５、１９６、１９７、１９９、２０６、２０８、２０９、２１０、２１１、２１２、２１５、２１８、２２１、２２７、２２８、２２９、２３０、２３１、２３３、２３４、２３８、２４２、２４３、２４４、２４６、２４７、２４９、２５２、２５３、２５４、２５６、２５９、２６０、２６１、２６３、２６７、２６９、２７１、２７４、２７６、２７７、２７８、２８０、２８１、２８５、２８６、２８８、２８９、２９０、２９２、２９３、２９４、２９５、２９６、３００、３０１、３０３、３０７、３１６、３１７、３１８、３２１、３２２、３２３、３２４、３２５、３２８、３２９、３３０、３３１、３３２、３３３、３３４、３３５、３３６、３３８、３３９、３４２、３４３、３４４、３４７、３４９、３５０、３５２、３５３、３５６、３５８、３５９、３６０、３６１、３６２、３６３、３６４、３６８、３６９、３７０、３７１、３７２、３７３、３７４、３７５、３７７、３７８、３８１、３８５、３８６、３８８、３９０、３９１、３９４、３９７、３９８、４０７、４１３、４１４、４１５、４１６、４１７、４１８、４２１、４２４、４２５、４２６、４２８、４２９、４３２、４３６、４４１、４４４、４４５、４４９、４５０、４５３、４５７、４５９、４６１、４６２、４６３、４６４、４６５、４６６、４６７、４６８、４７０、４７１、４７３、４７４、４７５、４７８、４７９、４８０、４８２、４８４、４８５、４８６、４８７、４８８、４９１、４９３、４９７、４９８、５０１、５０２、５０３、５０５、５１９、５２０、５２１、５２４、５２７、５２９、５３０、５３１、５３２、５３４、５３７、５４１、５４４、５４６、５４８、５５０、５５１、５５２、５５３、５５５、５５８、５５９、５６０、５６１、５６２、５６３、５６５、５６６、５６７、５６８、５６９、５７０、５７１、５７２、５７３、５７４、５７７、５７８、５８０、５８１、５８２、５８４、５８６、５８７、５８９、５９１、５９２、５９４、５９５、５９９、６００、６０１、６０３、６０４、６０６、６０７、６０８、６０９、６１０、６１１、６１２、６１３、６１４、６１５、６１６、６１８、６２０、６２１、６２４、６２５、６２６、６２７、６２８、６３１、６３２、６３３、６３５、６３６、６３８、６３９、６４４、６４９、６５０、６５３、６５５、６５８、６５９、６６０、
６６１、６６３、６６８、６７１、６７３、６７４、６７５、６７６、６７７、６７８、６７９、６８０、６８１、６８２、６８３、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３０、７３１、７３３、７３５、７３６、７３８、７４１、７４２、７４６、７４８、７５０、７５２、７５４、７５７、７５８、７６３、７６４、７６６、７６７、７６８、７６９、７７０、７７１、７７２、７７４、７７５、７７６、７７８、７８１、７８２、７８６、７８８、７９１、７９２、８００、８０２、８０３、８０４、８０５、８０６、８０７、８１４、８２１、８２４、８２６、８２７、８２８、８２９、８３１、８３３、８３４、８３７、８３９、８４０、８４９、８５０、８５２、８５６、８６４、８６５、８６６、８６８、８６９、８７０、８７１、８７２、８７３、８７６、８７７、８７８、８７９、８８１、８８４、８８５、８８６、８９０、８９２、８９３、８９４、８９７、９０５、９０８、９１２、９１３、９１４、９１６、９１９、９２０、９２２、９２３、９２４、９２５、９２６、９２７、９２８、９２９、９３０、９３３、９３７、９３９、９４１、９４２、９４３、９４５、９４６、９４７、９４８、９５０、９５１、９５３、９５４、９５５、９５９、９６２、９６５、９６７、９６９、９７３、９７４、９７６、９７８、９８０、９８２、９８５、９８８、９９３、９９８、１０００、１００３、１００６、１００７、１００８、１００９、１０１０、１０１２、１０１６、１０２０、１０２１、１０２２、１０２３、１０２４、１０２５、１０２６、１０２７、１０２８、１０２９、１０３１、１０３２、１０３３、１０３５、１０３６、１０３７、１０３８、１０４２、１０４３、１０４５、１０４６、１０４７、１０５３、１０５７、１０５９、１０６０、１０６２、１０６３、１０６４、１０６５、１０６６、１０６７、１０７０、１０７２、１０７３、１０７５、１０７７、１０７８、１０８２、１０８３、１０８５、１０８９、１０９０、１０９１、１０９３、１０９５、１０９７、１０９９、１１０２、１１０４、１１０５、１１０７、１１１１、１１１３、１１１６、１１１７、１１２０、１１２１、１１２５、１１２６、１１２９、１１３１、１１３５、１１３６、１１３７、１１３８、１１３９、１１４０、１１４２、１１４３、１１４４、１１４５、１１４６、１１４７、１１４８、１１４９、表２の物質２、２３、１４１、１８５、２２７、２３０、２４６、２４８、３４３、３５９、５６５、６３１、６５９、６７４、６７８、６７９、７１５、７５８、１０２８、１０９７及びそれらの混合物からなる群から選択され、より好ましくは前記悪臭低減物質は、表４の物質７、１４、３９、４８、１８３、１９９、２０６、２１２、２１５、２２９、２６０、２６１、２８１、３２９、３３５、３５３、３６０、４４１、４８４、４８７、４８８、５０１、５６６、５６７、５６９、５７０、５７３、５７４、６０３、６１６、６２１、６２４、６２７、６３２、６６３、６８０、６８４、６９４、６９６、７０８、７１２、７１４、７２６、７５０、７６４、７７５、７７６、７８８、８０４、８７２、９１９、９２７、９３３、９７８、１００７、１０２２、１０２４、１０２７、１０２９、１０３５、１０３８、１０６０、１０８９、１１０７、１１２９、１１３１、１１３６、１１３７、１１４０、１１４２、１１４３、１１４４、１１４５、１１４８、１１４９、表５の物質２４８及びそれらの混合物からなる群から選択され、最も好ましくは前記悪臭低減物質は、表４の物質２６１、６８０、７８８、１１２９、１１４８、１１４９及びそれらの混合物からなる群から選択される。
【００７５】
前記送達系の一態様では、前記送達系は、シェル材料及びコア材料を含む香料送達粒子、前記シェル材料は前記コア材料を取り囲み、前記コア材料は、表１の物質１、２、３、４、７、９、１０、１１、１３、１４、１６、１８、２１、２２、２３、２５、２８、２９、３０、３２、３４、３５、３６、３７、３８、３９、４２、４３、４７、４８、４９、５２、５７、６３、６５、６７、６８、６９、７０、７１、７４、７５、７６、７７、７８、７９、８０、８３、８５、９２、９３、１００、１０１、１０２、１０３、１０４、１０５、１０６、１０９、１１２、１１３、１１４、１２３、１２６、１２８、１３０、１３４、１３５、１３７、１４０、１４１、１４２、１４３、１４５、１４８、１４９、１５２、１５３、１５５、１５６、１５８、１５９、１６１、１６２、１６７、１６８、１７０、１７４、１７５、１７６、１７７、１７８、１７９、１８２、１８３、１８４、１８５、１８６、１８９、１９２、１９３、１９５、１９６、１９７、１９９、２０６、２０８、２０９、２１０、２１１、２１２、２１５、２１８、２２１、２２７、２２８、２２９、２３０、２３１、２３３、２３４、２３８、２４２、２４４、２４６、２４７、２４９、２５２、２５３、２５６、２６０、２６１、２６３、２６７、２６９、２７１、２７４、２７６、２７７、２７８、２８０、２８１、２８５、２８６、２８８、２８９、２９０、２９２、２９３、２９４、２９５、２９６、３００、３０１、３０３、３０７、３１６、３１７、３１８、３２２、３２４、３２５、３２８、３２９、３３０、３３１、３３２、３３３、３３４、３３５、３３６、３３８、３３９、３４２、３４３、３４４、３４７、３４９、３５０、３５２、３５３、３５６、３５８、３５９、３６０、３６１、３６２、３６３、３６４、３６８、３６９、３７０、３７１、３７２、３７３、３７４、３７７、３７８、３８１、３８５、３８６、３８８、３９０、３９１、３９７、３９８、４０７、４１３、４１４、４１５、４１６、４１７、４１８、４２１、４２４、４２６、４３２、４３６、４４１、４４４、４４５、４４９、４５０、４５７、４５９、４６１、４６２、４６３、４６４、４６５、４６６、４６７、４６８、４７０、４７１、４７３、４７５、４７８、４７９、４８０、４８２、４８４、４８５、４８６、４８７、４８８、４９１、４９７、４９８、５０１、５０２、５０３、５０５、５１９、５２０、５２１、５２７、５２９、５３１、５３４、５３７、５４１、５４４、５４８、５５０、５５２、５５８、５５９、５６０、５６１、５６２、５６３、５６５、５６６、５６７、５６８、５６９、５７０、５７１、５７２、５７３、５７４、５７７、５８２、５８６、５８７、５８９、５９１、５９２、５９４、５９５、５９９、６００、６０１、６０３、６０４、６０６、６０７、６０８、６０９、６１０、６１１、６１２、６１３、６１４、６１５、６１６、６１８、６２０、６２１、６２４、６２５、６２６、６２７、６２８、６３１、６３２、６３３、６３５、６３６、６３８、６３９、６４４、６５０、６５３、６５８、６５９、６６０、６６１、６６３、６７１、６７３、６７４、６７５、６７６、６７７、６７８、６７９、６８０、６８１、６８３、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３１、７４１、７４２、７４６、７４８、７５０、７５２、７５４、７５７、７５８、７６３、７６６、７６８、７６９、７７１、７７４、７７５、７７６、７７８、７８１、７８２、７８６、７８８、７９１、８００、８０２、８０３、８０４、８０６、８０７、８１４、８２１、８２６、８２７、８２８、８３１、８３３、８４９、８５０、８５２、８６６、８６８、８７０、８７１、８７２、８７３、８７６、８７７、８７８、８７９、８８１、８８４、８８５、８８６、８９０、８９２、８９３、８９４、８９７、９０５、９０８、９１２、９１３、９１４、９１６、９１９、９２０、９２２、９２３、９２４、９２５、９２６、９２７、９３０、９３３、９３７、９３９、９４１、９４２、９４３、９４５、９４６、９４７、９４８、９５０、９５１、９５３、９５４、９５９、９６２、９６５、９６７、９７３、９７４、９７６、９７８、９８０、９８２、９８５、９８８、９９８、１０００、１００３、１００６、１００７、１００８、１００９、１０１０、１０１２、１０１６、１０２０、１０２２、１０２３、１０２４、１０２５、１０２６、１０２７、１０２８、１０２９、１０３１、１０３２、１０３３、１０３５、１０３６、１０３７、１０３８、１０４３、１０４５、１０４６、１０４７、１０５３、１０５７、１０５９、１０６０、１０６２、１０６３、１０６５、１０７５、１０８３、１０８５、１０８９、１０９０、１０９１、１０９３、１０９５、１０９７、１０９９、１１０２、１１０４、１１０５、１１０７、１１１１、１１１６、１１１７、１１２０、１１２１、１１２５、１１２６、１１２９、１１３１、１１３５、１１３６、１１３７、１１３９、１１４０、１１４２、１１４３、１１４４、１１４５、１１４６、１１４７、１１４８、１１４９；表２の物質２、２３、１４１、１８５、２２７、２３０、２４６、２４８、３４３、３５９、５６５、６３１、６５９、６７４、６７８、６７９、７１５、７５８、１０２８、１０９７；表３の物質１、９、１２、１３、１９、２０、２１、２４、２５、２７、３２、３４、３７、３８、４３、５３、５４、５５、５９、６５、６８、７０、７１、７２、７３、７９、８１、８３、８５、９６、１００、１０５、１０６、１０９、１１１、１１４、１２５、１２６、１３３、１３４、１３５、１３７、１４０、１４２、１４３、１４７、１４８、１５０、１５１、１５２、１５３、１５４、１５７、１５９、１６２、１６７、１６９、１７８、１８１、１８９、１９１、１９２、１９５、１９７、１９８、２０１、２０４、２１１、２１３、２２８、２３１、２３２、２３３、２３４、２３７、２３８、２３９、２４２、２４６、２５２、２５６、２７０、２７３、２７５、２７７、２８５、２８６、２８８、２８９、２９０、２９２、２９３、２９５、３００、３０１、３０６、３０８、３１０、３１４、３１９、３２２、３２５、３３１、３３３、３３４、３３６、３３８、３３９、３４４、３５４、３５５、３５６、３５８、３６１、３６２、３６３、３６６、３７０、３７１、３７２、３７４、３７６、３７７、３７８、３７９、３８１、３８５、３８７、３８８、３９０、４０７、４１２、４１３、４１７、４１８、４１９、４２０、４３２、４３７、４３８、４３９、４４０、４４３、４４４、４４７、４４８、４５４、４５５、４５７、４６１、４６５、４６７、４７２、４７７、４７８、４７９、４８０、４８１、４８２、４８５、４９１、４９６、４９７、５０２、５０３、５０４、５１０、５１２、５１５、５１７、５１８、５２５、５２６、５２９、５３５、５３６、５３７、５４０、５４１、５４４、５５０、５５７、５５８、５５９、５６０、５６１、５６８、５７１、５７２、５７５、５７６、５８５、５８８、５８９、５９２、５９４、５９９、６００、６０２、６０４、６０５、６０９、６１７、６１９、６２０、６２５、６２６、６３３、６３６、６３８、６４１、６４４、６４５、６４７、６５０、６５１、６５３、６６２、６７２、６７３、６７５、６７６、６８１、６８３、６８６、６８７、６９３、６９７、６９８、７００、７０３、７０４、７０６、７０７、７１６、７１７、７１８、７２２、７２５、７４０、７４２、７４５、７４６、７５５、７５７、７６９、７７１、７７９、７８２、７９９、８０３、８０６、８０７、８１９、８２０、８２７、８２８、８３３、８３５、８３８、８４６、８４７、８４８、８５０、８７５、８７８、８７９、８８０、８８１、８８３、８８８、８８９、８９０、８９１、８９３、８９９、９００、９０１、９０２、９０３、９０９、９１２、９１４、９１８、９２０、９２１、９２２、９２３、９３０、９３７、９３９、９４０、９４１、９４５、９４６、９４７、９４８、９５３、９５４、９５８、９５９、９６０、９６５、９６７、９７１、９８１、９８６、９９４、９９５、９９８、１０００、１００１、１００３、１００４、１００５、１００８、１００９、１０１０、１０１１、１０１７、１０１８、１０１９、１０２０、１０２３、１０２６、１０３０、１０３１、１０３２、１０３６、１０４０、１０４６、１０４７、１０５１、１０５２、１０５３、１０５４、１０５５、１０５７、１０５８、１０６１、１０６２、１０６３、１０７１、１０７４、１０７５、１０８１、１０８８、１０９１、１０９３、１０９５、１０９８、１０９９、１１０２、１１０４、１１０５、１１１１、１１１５、１１１６、１１１９、１１２０、１１２２、１１２７、１１２８、１１３４、１１３５、１１３９、１１４６、１１４７及びそれらの混合物からなる群から選択される悪臭低減物質を含み、好ましくは前記  悪臭低減物質は、表１の物質１、２、３、４、７、９、１０、１１、１３、１４、１６、１８、２１、２２、２３、２５、２８、２９、３０、３２、３４、３５、３６、３７、３８、３９、４２、４３、４７、４８、４９、５２、５７、６３、６５、６７、６８、６９、７０、７１、７４、７５、７６、７７、７８、７９、８０、８３、８５、９２、９３、１００、１０１、１０２、１０３、１０４、１０５、１０６、１０���、１１２、１１３、１１４、１２３、１２６、１２８、１３０、１３４、１３５、１３７、１４０、１４１、１４２、１４３、１４５、１４８、１４９、１５２、１５３、１５５、１５６、１５８、１５９、１６１、１６２、１６７、１６８、１７０、１７４、１７５、１７６、１７７、１７８、１７９、１８２、１８３、１８４、１８５、１８６、１８９、１９２、１９３、１９５、１９６、１９７、１９９、２０６、２０８、２０９、２１０、２１１、２１２、２１５、２１８、２２１、２２７、２２８、２２９、２３０、２３１、２３３、２３４、２３８、２４２、２４４、２４６、２４７、２４９、２５２、２５３、２５６、２６０、２６１、２６３、２６７、２６９、２７１、２７４、２７６、２７７、２７８、２８０、２８１、２８５、２８６、２８８、２８９、２９０、２９２、２９３、２９４、２９５、２９６、３００、３０１、３０３、３０７、３１６、３１７、３１８、３２２、３２４、３２５、３２８、３２９、３３０、３３１、３３２、３３３、３３４、３３５、３３６、３３８、３３９、３４２、３４３、３４４、３４７、３４９、３５０、３５２、３５３、３５６、３５８、３５９、３６０、３６１、３６２、３６３、３６４、３６８、３６９、３７０、３７１、３７２、３７３、３７４、３７７、３７８、３８１、３８５、３８６、３８８、３９０、３９１、３９７、３９８、４０７、４１３、４１４、４１５、４１６、４１７、４１８、４２１、４２４、４２６、４３２、４３６、４４１、４４４、４４５、４４９、４５０、４５７、４５９、４６１、４６２、４６３、４６４、４６５、４６６、４６７、４６８、４７０、４７１、４７３、４７５、４７８、４７９、４８０、４８２、４８４、４８５、４８６、４８７、４８８、４９１、４９７、４９８、５０１、５０２、５０３、５０５、５１９、５２０、５２１、５２７、５２９、５３１、５３４、５３７、５４１、５４４、５４８、５５０、５５２、５５８、５５９、５６０、５６１、５６２、５６３、５６５、５６６、５６７、５６８、５６９、５７０、５７１、５７２、５７３、５７４、５７７、５８２、５８６、５８７、５８９、５９１、５９２、５９４、５９５、５９９、６００、６０１、６０３、６０４、６０６、６０７、６０８、６０９、６１０、６１１、６１２、６１３、６１４、６１５、６１６、６１８、６２０、６２１、６２４、６２５、６２６、６２７、６２８
、６３１、６３２、６３３、６３５、６３６、６３８、６３９、６４４、６５０、６５３、６５８、６５９、６６０、６６１、６６３、６７１、６７３、６７４、６７５、６７６、６７７、６７８、６７９、６８０、６８１、６８３、６８４、６８６、６９１、６９２、６９３、６９４、６９６、６９７、６９８、７００、７０２、７０４、７０６、７０７、７０８、７０９、７１０、７１１、７１２、７１３、７１４、７１５、７１６、７１７、７１８、７１９、７２０、７２１、７２２、７２３、７２４、７２５、７２６、７２７、７３１、７４１、７４２、７４６、７４８、７５０、７５２、７５４、７５７、７５８、７６３、７６６、７６８、７６９、７７１、７７４、７７５、７７６、７７８、７８１、７８２、７８６、７８８、７９１、８００、８０２、８０３、８０４、８０６、８０７、８１４、８２１、８２６、８２７、８２８、８３１、８３３、８４９、８５０、８５２、８６６、８６８、８７０、８７１、８７２、８７３、８７６、８７７、８７８、８７９、８８１、８８４、８８５、８８６、８９０、８９２、８９３、８９４、８９７、９０５、９０８、９１２、９１３、９１４、９１６、９１９、９２０、９２２、９２３、９２４、９２５、９２６、９２７、９３０、９３３、９３７、９３９、９４１、９４２、９４３、９４５、９４６、９４７、９４８、９５０、９５１、９５３、９５４、９５９、９６２、９６５、９６７、９７３、９７４、９７６、９７８、９８０、９８２、９８５、９８８、９９８、１０００、１００３、１００６、１００７、１００８、１００９、１０１０、１０１２、１０１６、１０２０、１０２２、１０２３、１０２４、１０２５、１０２６、１０２７、１０２８、１０２９、１０３１、１０３２、１０３３、１０３５、１０３６、１０３７、１０３８、１０４３、１０４５、１０４６、１０４７、１０５３、１０５７、１０５９、１０６０、１０６２、１０６３、１０６５、１０７５、１０８３、１０８５、１０８９、１０９０、１０９１、１０９３、１０９５、１０９７、１０９９、１１０２、１１０４、１１０５、１１０７、１１１１、１１１６、１１１７、１１２０、１１２１、１１２５、１１２６、１１２９、１１３１、１１３５、１１３６、１１３７、１１３９、１１４０、１１４２、１１４３、１１４４、１１４５、１１４６、１１４７、１１４８、１１４９；表２の物質２、２３、１４１、１８５、２２７、２３０、２４６、２４８、３４３、３５９、５６５、６３１、６５９、６７４、６７８、６７９、７１５、７５８、１０２８、１０９７、及びそれらの混合物からなる群から選択され、最も好ましくは前記悪臭低減物質は、表４の物質７、１４、３９、４８、１８３、１９９、２０６、２１２、２１５、２２９、２６０、２６１、２８１、３２９、３３５、３５３、３６０、４４１、４８４、４８７、４８８、５０１、５６６、５６７、５６９、５７０、５７３、５７４、６０３、６１６、６２１、６２４、６２７、６３２、６６３、６８０、６８４、６９４、６９６、７０８、７１２、７１４、７２６、７５０、７７５、７７６、７８８、８０４、８７２、９１９、９２７、９３３、９７８、１００７、１０２２、１０２４、１０２７、１０２９、１０３５、１０３８、１０６０、１０８９、１１０７、１１２９、１１３１、１１３６、１１３７、１１４０、１１４２、１１４３、１１４４、１１４５、１１４８、１１４９、表５の物質２４８及びそれらの混合物からなる群から選択される。これらは、香料マイクロカプセル中で安定であり、漏れない材料であるので、堆積して利用可能となり悪臭を中和する。
【００７６】
請求項６から９のいずれか一項に記載の送達系において、前記コアは、蒸気圧が１Ｐａよりも大きい、好ましくは１Ｐａよりも大きく１３Ｐａまで（０．０１トル、好ましくは、０．０１トル超〜１０トル）の１又はそれ以上の悪臭低減物質を含み、好ましくは前記１又はそれ以上の悪臭物質は、表１の物質３；４；７；９；２１；２５；２９；３０；３２；３４；３５；４２；４９；６５；６７；７０；９２；９３；１０１；１０２；１０３；１１４；１２３；１２６；１３０；１４２；１４５；１４９；１５５；１５９；１６７；１６８；１７０；１７８；１８６；１８９；１９２；１９３；２０８；２０９；２１０；２１８；２２８；２２９；２３１；２５６；２６７；２７４；２７８；２８０；２８１；２９０；２９４；３１７；３１８；３２２；３２５；３３３；３３８；３４２；３４４；３５８；３６２；３６４；３８６；３９７；３９８；４１５；４２１；４２４；４３６；４４１；４４４；４４５；４４９；４６１；４６６；４６８；４７１；４７３；４７５；４９１；５１９；５２０；５２７；５３１；５３４；５４４；５６５；５８６；５８７；５８９；６０３；６０４；６０６；６０９；６１１；６１２；６１４；６１５；６１８；６２１；６２７；６２８；６３１；６３２；６３３；６３９；６５９；６８３；６８６；６９２；６９３；６９６；６９８；７０２；７０８；７１１；７１４；７１５；７１７；７２０；７２５；７４２；７４８；７５０；７５２；７６３；７６６；７６８；７７４；７７８；７８１；７８６；７９１；８００；８０２；８０６；８１４；８２１；８２６；８２７；８２８；８５０；８５２；８６６；８６８；８７１；８７３；８７６；８７７；８７８；８７９；８８４；８９７；９０５；９１４；９２６；９３７；９４６；９４７；９５０；９７３；９７４；９８２；１００６；１００８；１０１０；１０１６；１０２０；１０３１；１０３７；１０４３；１０４５；１０５３；１０５７；１０６０；１０６２；１１０２；１１０４；１１０５；１１２０；１１２５；１１３７；１１４４；１１４５、表２の物質５６５：６３１；６５９；７１５、表３の物質９；１２；１９；２０；２１；２４；２５；２７；３２；３４；５３；５５；５９；６５；７０；７３；８１；９６；１１１；１１４；１２５；１２６；１３３；１４２；１４７；１５０；１５４；１５７；１５９；１６７；１６９；１７８；１８９；１９２；１９８；２０１；２０４；２２８；２３１；２３２；２３７；２３９；２５６；２７０；２７３；２９０；３０６；３１９；３２２；３２５；３３３；３３８；３４４；３５４；３５８；３６２；３６６；３７６；３８７；４１２；４１９；４２０；４３７；４３８；４３９；４４３；４４４；４４７；４４８；４６１；４７７；４８１；４９１；４９６；５１２；５１７；５１８；５２５；５３５；５３６；５４０；５４４；５５７；５７５；５７６；５８５；５８８；５８９；６０４；６０５；６０９；６１７；６１９；６３３；６４５；６４７；６５１；６６２；６８３；６８６；６８７；６９３；６９８；７１７；７２５；７４０；７４２；７４５；７７９；８０６；８１９；８２０；８２７；８２８；８３５；８３８；８４６；８４７；８４８；８５０；８７５；８７８；８７９；８８３；８８８；８８９；８９１；８９９；９００；９０１；９０２；９０３；９０９；９１４；９３７；９４０；９４６；９４７；９８１；９８６；９９４；９９５；１００１；１００４；１００８；１０１０；１０１１；１０１７；１０１８；１０１９；１０２０；１０３０；１０３１；１０４０；１０５１；１０５３；１０５４；１０５５；１０５７；１０５８；１０６１；１０６２；１０７１；１０８１；１０９８；１１０２；１１０４；１１０５；１１１５；１１１９；１１２０；１１２２；１１２７；１１２８及びそれらの混合物からなる群から選択され、好ましくは前記悪臭低減物質は、表１の物質３；４；７；９；２１；２５；２９；３０；３２；３４；３５；４２；４９；６５；６７；７０；９２；９３；１０１；１０２；１０３；１１４；１２３；１２６；１３０；１４２；１４５；１４９；１５５；１５９；１６７；１６８；１７０；１７８；１８６；１８９；１９２；１９３；２０８；２０９；２１０；２１８；２２８；２２９；２３１；２５６；２６７；２７４；２７８；２８０；２８１；２９０；２９４；３１７；３１８；３２２；３２５；３３３；３３８；３４２；３４４；３５８；３６２；３６４；３８６；３９７；３９８；４１５；４２１；４２４；４３６；４４１；４４４；４４５；４４９；４６１；４６６；４６８；４７１；４７３；４７５；４９１；５１９；５２０；５２７；５３１；５３４；５４４；５６５；５８６；５８７；５８９；６０３；６０４；６０６；６０９；６１１；６１２；６１４；６１５；６１８；６２１；６２７；６２８；６３１；６３２；６３３；６３９；６５９；６８３；６８６；６９２；６９３；６９６；６９８；７０２；７０８；７１１；７１４；７１５；７１７；７２０；７２５；７４２；７４８；７５０；７５２；７６３；７６６；７６８；７７４；７７８；７８１；７８６；７９１；８００；８０２；８０６；８１４；８２１；８２６；８２７；８２８；８５０；８５２；８６６；８６８；８７１；８７３；８７６；８７７；８７８；８７９；８８４；８９７；９０５；９１４；９２６；９３７；９４６；９４７；９５０；９７３；９７４；９８２；１００６；１００８；１０１０；１０１６；１０２０；１０３１；１０３７；１０４３；１０４５；１０５３；１０５７；１０６０；１０６２；１１０２；１１０４；１１０５；１１２０；１１２５；１１３７；１１４４；１１４５、及び表２の物質５６５：６３１；６５９；７１５及びそれらの混合物からなる群から選択され、好ましくは前記悪臭低減物質は、表４の物質７；２２９；２８１；４４１；６０３；６２１；６２７；６３２；６９６；７０８；７１４；７５０；１０６０；１１３７；１１４４；１１４５、表５の物質５２６及びそれらの混合物からなる群から選択される。これらは、漏れないので香料粒子中で安定な物質であり、送達系がそれらを送達した場合にＶＰがより低いので空気中により素早く揮発する。
従って、送達系の近くの基質又は送達系と接触している基質上で、より良好に悪臭の知覚を遮断することができる。
【００７７】
本出願者らが本明細書において開示する送達系を含む消費者向け製品及び消費者向け製品成分が開示される。
【００７８】
ある部位を処理及び／又は洗浄する方法であって、
ａ）前記部位を所望により洗浄、すすぎ、及び／又は乾燥する工程、
ｂ）前記部位を請求項１〜１２に記載の送達系及び／又は請求項１３に記載の消費者向け製品と接触させる工程；及び
ｃ）前記部位を所望により洗浄、すすぎ、及び／又は乾燥する工程を含む前記方法
が開示される。
【００７９】
本明細書において開示される送達系及び／又は本明細書において開示される消費者向け製品で処理される部位が開示される。
【００８０】
封入体の製造プロセス
一態様では、以下の工程を含むプロセス：
ａ．）溶液の総重量に基づいて、約２０％〜約９０％、約４０％〜約８０％、又はさらに約６０％〜約８０％の水を含んでよく、第１の乳化剤及び第１の樹脂からなる第１の溶液であって、前記第１の乳化剤と前記第１の樹脂の比が、約０．１：０〜約１０：０、約０．１：１〜約１０：１、約０．５：１〜約３：１、又はさらに約０．８：１〜約１．１：１である溶液を調製する工程；
ｂ．）溶液の総重量に基づいて、約２０％〜約９５％の水を含んでよく、第２の乳化剤及び第２の樹脂からなる第２の溶液であって、前記第２の乳化剤と前記第２の樹脂の比が、約０：１〜約３：１、約０．０４：１〜約０．２：１、又はさらに約０．０５：１〜約０．１５：１である溶液を調製する工程；
ｃ．）本明細書に開示される香料を含み得るコア材料及び前記第１の溶液を合して、第１の組成物を形成する工程；
ｄ．）前記第１の組成物を乳化させる工程；
ｅ．）前記第１の組成物及び前記第２の溶液を合して第２の組成物を形成し、所望により任意の加工助剤及び前記第２の組成物を合する工程であって、前記第１の組成物及び前記第２の溶液は、任意の順序で合してよいが、一態様では、前記第２の溶液が前記第１の組成物に添加されるか、又は前記第２の溶液及び前記第１の組成物が同時に合される工程；
ｆ．）前記第２の組成物を、少なくとも１５分、少なくとも１時間又はさらに約４時間〜約１００時間、約２５℃〜約１００℃、約４５℃〜約９０℃の温度、又はさらに約５０℃〜約８０℃の熱で混合し、所望により任意の加工助剤を前記第２の組成物に合する工程；
ｇ．）所望により任意の捕捉材料、構造化剤、及び／又は抗凝集剤を前記第２の組成物と工程ｆ．）中又はその後に合する工程であって、そのような材料が任意の順序で合されてよいが、一態様では、捕捉材料が最初に合され、次に任意の構造化剤、その後抗凝集剤が合される工程；及び
ｈ．）所望により前記第２の組成物を噴霧乾燥する工程
が開示される。
【００８１】
このプロセスの１以上の態様では、前記第１及び第２の樹脂は、アルデヒドとアミンとの反応生成物を含んでよく、好適なアルデヒドとしてはホルムアルデヒドが挙げられる。好適なアミンとしては、メラミン、尿素、ベンゾグアナミン、グリコールウリル、及びこれらの混合物が挙げられる。好適なメラミンとしては、メチロールメラミン、メチル化メチロールメラミン、イミノメラミン及びこれらの混合物が挙げられる。好適な尿素としては、ジメチロール尿素、メチル化ジメチロール尿素、尿素−レゾルシノール、及びこれらの混合物が挙げられる。
【００８２】
本プロセスの１つ以上の態様では、前記第１及び第２の乳化剤は、カルボキシ、ヒドロキシル、チオール、アミン、アミド及びこれらの組み合わせからなる群から選択される部分を含んでよい。一態様では、この乳化剤のｐＫａは５未満、好ましくは０よりも大きく５未満であってよい。乳化剤には、アクリル酸−アルキルアクリレートコポリマー、ポリ（アクリル酸）、ポリオキシアルキレンソルビタン脂肪酸エステル、ポリアルキレンコ−カルボキシ無水物、ポリアルキレンコ−無水マレイン酸、ポリ（メチルビニルエーテル−コ−無水マレイン酸）、ポリ（プロピレン−コ−無水マレイン酸）、ポリ（ブタジエン）コ−無水マレイン酸）、及びポリ（酢酸ビニル−コ−無水マレイン酸）、ポリビニルアルコール、ポリアルキレングリコール、ポリオキシアルキレングリコール、並びにこれらの混合物が挙げられる。
【００８３】
このプロセスの１つ以上の態様では、第１及び第２の溶液のｐＨは、この第１及び第２の溶液のｐＨが約３．０〜７．０であるように制御されてよい。
【００８４】
このプロセスの１つ以上の態様では、工程ｆ．）中に、第２の組成物の総重量に基づいて、約０％〜約１０％、約１％〜約５％、又は更には約２％〜約４％の、アニオンとカチオンとを含む塩（このアニオンは塩化物、硫酸塩、リン酸塩、硝酸塩、ポリリン酸塩、クエン酸塩、マレイン酸塩、フマル酸塩、及びこれらの混合物からなる群から選択され；前記カチオンは周期表のＩＡ族元素、周期表のＩＩＡ族元素、アンモニウムカチオン及びこれらの混合物からなる群から選択され、好ましくは硫酸ナトリウムである）を前記第２の組成物と合してよい。
【００８５】
このプロセスの１つ以上の態様では、上述のプロセスパラメータのいずれかが組み合わされてよい。
【００８６】
好適な封入体並びに好適なシェル材料を製造する補足的な教示は、米国特許第６，８６９，９２３（Ｂ１）号、米国公開特許出願第２００５／０２７６８３１（Ａ１）号及び２００７／０２０２６３（Ａ１）号に記載されている。本明細書で開示されるプロセスでの使用に好適な装置としては、連続攪拌槽反応器、ホモジナイザー、タービン撹拌器、再循環ポンプ、パドルミキサー、プラウ剪断ミキサー、リボンブレンダ、いずれもバッチ式の垂直軸造粒機及びドラムミキサー、及び、利用可能な場合、連続工程構成における、噴霧乾燥器、及び押出機を挙げることができる。このような装置は、Ｌｏｄｉｇｅ  ＧｍｂＨ（ドイツ、パーデルボルン）、Ｌｉｔｔｌｅｆｏｒｄ  Ｄａｙ，Ｉｎｃ．（米国、ケンタッキー州フローレンス）、Ｆｏｒｂｅｒｇ  ＡＳ（ノルウェー、ラルヴィク）、Ｇｌａｔｔ  Ｉｎｇｅｎｉｅｕｒｔｅｃｈｎｉｋ  ＧｍｂＨ（ドイツ、ワイマール）、Ｎｉｒｏ（デンマーク、セーボルグ）、Ｈｏｓｏｋａｗａ  Ｂｅｐｅｘ  Ｃｏｒｐ．（米国、ミネソタ州ミネアポリス）、Ａｒｄｅ  Ｂａｒｉｎｃｏ（米国、ニュージャージー州）から入手可能である。
【００８７】
組成物
一態様では、本明細書で開示されている香料送達系及び／又は香料の任意の態様を含むことができる組成物が開示される。
【００８８】
一態様では、上記組成物は消費者向け製品であってよい。
【００８９】
一態様では、そのような組成物は、組成物の総重量に基づいて、約０．００１％〜約５０％、約０．０１％〜約１０％、又は更には、約０．１％〜約５％の本明細書に開示される香料を含むことができる消費者向け製品であってよく、前記香料の重量に基づいて、約０．００１％〜約９０％、約０．０１％〜約５０％、又は更には約０．１％〜約１０％の前記香料が、本明細書による香料送達系によって供給されることができる。
【００９０】
一態様では、前記組成物は封入体を含んでよく、この際、前封入体の密度は、前記封入体と組成物の流体の１以上の流体との密度比が約０．９：１〜約１．１：１；約０．９８：１〜約１．０２：１；約０．９９：１〜約１．０１：１又は更には１：１であるような密度であってよい。
【００９１】
一態様では、上記組成物はいずれも洗浄及び／又はトリートメント成分を含んでよい。
【００９２】
一態様では、上記組成物の封入体はいずれも香料マイクロカプセルであってよい。
【００９３】
一態様では、上記組成物のいずれも、本明細書に列挙される補助成分から選択される１つ以上の洗浄剤及び／又はトリートメント剤を含んでよい。
【００９４】
用いられる封入体の精確な濃度は消費者向け製品の種類及び最終用途によって決まるが、一態様では、消費者向け製品は、組成物の総重量に基づいて、少なくとも約０．０１重量％、約０．０１重量％〜約８０重量％、又は更には約０．０２重量％〜約１０重量％の本明細書に開示される封入体を含んでよい。
【００９５】
一態様では、コンパクトな消費者向け製品が開示される。
【００９６】
一態様では、含水量が、消費者向け製品配合物の総重量に基づいて、約０％〜約１５％、約０．０１％〜約１５％、約０．５％〜約１０％又は更には約１％〜約８％の水である液体洗剤を含む消費者向け製品が開示される。
【００９７】
一態様では、消費者向け製品は、洗浄及び／又はトリートメント組成物、あるいは、本明細書に開示される封入体及び少なくとも１つの洗浄及び／又はトリートメント組成物又は布地ケア補助成分を含み得る布地ケア組成物である。
【００９８】
一態様では、洗浄組成物は、洗浄組成物の総重量に基づいて、そのような封入体を約０．００５重量％〜約５重量％含んでよい。一態様では、布地トリートメント組成物は、布地トリートメント組成物の総重量に基づいて、そのような封入体を約０．００５％〜約２０％含んでよい。
【００９９】
本発明の態様としては、洗剤組成物（例えば、ＴＩＤＥ（商標））、硬質表面洗浄剤（例えば、ＭＲ  ＣＬＥＡＮ（商標））、自動食器洗浄用液体（例えば、ＣＡＳＣＡＤＥ（商標））、食器洗浄用液体（例えば、ＤＡＷＮ（商標））、及び床洗浄剤（例えば、ＳＷＩＦＦＥＲ（商標））中での本発明の封入体の使用が挙げられる。本明細書に開示される洗浄組成物は、水性洗浄操作での使用中に、洗浄水のｐＨが約６．５〜約１２、又は約７．５〜１０．５となるように配合することができる。液体食器洗浄製品配合物は、一般に約６．８〜約９．０のｐＨを有する。洗浄製品は、一般に約２〜約１１のｐＨを有するように配合される。推奨される使用濃度でのｐＨを制御する技術としては、緩衝剤、アルカリ、酸などの使用が挙げられ、これらは当業者には周知である。
【０１００】
本明細書に開示される布地トリートメント組成物は、一般に布地柔軟化活性物質（「ＦＳＡ」）を含む。好適な布地柔軟化活性物質としては、限定されるものではないが、第四級アンモニウム化合物、アミン、脂肪酸エステル、ショ糖エステル、シリコーン、分散性ポリオレフィン、粘土、多糖、脂肪油、ポリマーラテックス、及びこれらの混合物からなる群から選択される物質が挙げられる。
【０１０１】
ホルムアルデヒド捕捉剤
一態様では、本明細書に開示される香料送達系は、ホルムアルデヒド捕捉剤と組み合わされてよい。一態様では、そのような香料送達系は、本発明の封入体を含んでよい。好適なホルムアルデヒド捕捉剤としては、亜硫酸水素ナトリウム、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、４−アミノ安息香酸メチル、エチルアセトアセテート、アセトアセトアミド、マロンアミド、アスコルビン酸、１，３−ジヒドロキシアセトン二量体、ビウレット、オキサミド、ベンゾグアナミン、ピログルタミン酸、ピロガロール、没食子酸メチル、没食子酸エチル、没食子酸プロピル、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分的に加水分解されたポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（Ｌ−リシン）、キトサン、ヘキサンジオール、エチレンジアミン−Ｎ，Ｎ’−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール（登録商標）、ヘリオナール、メロナール、トリプラール（登録商標）、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、又はこれらの混合物からなる群から選択される物質が挙げられる。これらのホルムアルデヒド捕捉剤は、米国ミズーリ州セントルイス所在のシグマ／アルドリッチ／フルカ又は米国ペンシルバニア州ウォリントン所在のポリサイエンス社から入手することができる。
【０１０２】
そのようなホルムアルデヒド捕捉剤は、一般にスラリーの総重量に基づいて、約２重量％〜約１８重量％、約３．５重量％〜約１４重量％、又は更には約５重量％〜約１３重量％の濃度で前記有益剤含有送達粒子を含有するスラリーと組み合わされる。
【０１０３】
一態様では、そのようなホルムアルデヒド捕捉剤は、有益剤含有送達粒子を含有する製品と混合されてもよく、前記捕捉剤は、製品の総重量に基づいて、製品配合物の約０．００５％〜約０．８％、あるいは約０．０３％〜約０．５％、あるいは約０．０６５％〜約０．２５％の濃度で前記製品と組み合わされる。
【０１０４】
消費者向け製品成分
本発明の各消費者向け製品実施形態に必須ではないが、以下に例示される補助剤の非限定的なリストは、本消費者向け製品での使用に好適であり、例えば、性能を補助若しくは向上させるために、洗浄される基材の処理のために、又は香料、着色剤、染料などを用いる場合のように組成物の審美性を変化させるために、望ましくは本発明の所定の実施形態に組み込まれてもよい。これらの追加成分の正確な性質及びそれを組み込む濃度は、組成物の物理形態及び使用される作業の性質に依存する。そのような補助剤は、本明細書で前に開示した香料及び／又は香料送達系に加えられる。好適な補助剤物質としては、界面活性剤、ビルダー、キレート剤、染料移行防止剤、分散剤、酵素、及び酵素安定剤、触媒材料、漂白活性化剤、ポリマー分散剤、粘土質除去／再付着防止剤、増白剤、発泡抑制剤、染料、追加の香料及び香料送達系、構造弾性化剤、増粘剤／構造化剤、布地柔軟剤、担体、ヒドロトロープ、加工助剤及び／又は顔料が挙げられるが、これらに限定されない。
【０１０５】
上述のように、補助成分は、本発明の各消費者向け製品実施形態に必須のものではない。したがって、本出願人らの組成物の所定の実施形態は、以下の補助物質の１つ以上を含有しない：漂白活性化剤、界面活性剤、ビルダー、キレート剤、移染防止剤、分散剤、酵素、及び酵素安定剤、触媒金属錯体、ポリマー分散剤、粘土及び土壌除去／再付着防止剤、増白剤、発泡抑制剤、染料、追加の香料及び香料送達系、構造弾性化剤、増粘剤／構造化剤、布地柔軟仕上げ剤、担体、ヒドロロープ、加工助剤及び／又は顔料。しかしながら、１つ以上の補助剤が存在する場合、かかる１つ以上の補助剤は、以下に詳述されるように存在することができる：
界面活性剤−本発明による組成物は、界面活性剤又は界面活性剤系を含んでよく、この界面活性剤は、非イオン性及び／又はアニオン性及び／又はカチオン性界面活性剤、及び／又は両性及び／又は双性及び／又は半極性非イオン性界面活性剤から選択され得る。界面活性剤は、典型的に、洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【０１０６】
ビルダー−本発明の組成物は、１つ以上の洗剤ビルダー又はビルダー系を含むことができる。存在する場合、本組成物は、一般に少なくとも約１重量％のビルダー、又は約５重量％又は１０重量％〜約８０重量％、５０重量％、又は更には３０重量％のビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシラート化合物、エーテルヒドロキシポリカルボキシラート、無水マレイン酸とエチレン又はビニルメチルエーテルとのコポリマー、１，３，５−トリヒドロキシベンゼン−，２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン１，３，５−トリカルボン酸、カルボキシメチルオキシコハク酸、及びそれらの可溶性塩のようなポリカルボン酸塩が挙げられるが、これらに限定されない。
【０１０７】
キレート剤−本明細書の組成物はまた、所望により１以上の銅、鉄、及び／又はマンガンキレート剤を含有してよい。使用される場合、キレート化剤は、一般に本明細書の組成物の約０．１重量％〜約１５重量％又は更には本明細書の組成物の約３．０重量％〜約１５重量％を構成する。
【０１０８】
移染防止剤−本発明の組成物は、１つ以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【０１０９】
分散剤−本発明の組成物はまた、分散剤を含むことができる。好適な水溶性有機材料は、ホモポリマー若しくはコポリマーの酸又はこれらの塩であり、そのうち、ポリカルボン酸は、互いに炭素原子２個以下しか離れていない少なくとも２個のカルボキシルラジカルを含み得る。
【０１１０】
酵素−組成物は、洗浄性能効果、及び／又は布地ケア効果を提供する１つ以上の洗浄性酵素を含むことができる。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ及び／又はセルラーゼのような従来の適用可能な酵素をアミラーゼと組み合わせた混液である。
【０１１１】
酵素安定剤−組成物中、例えば洗剤中で使用するための酵素は、様々な技術によって安定化させることができる。本明細書において用いられる酵素は、カルシウムイオン及び／又はマグネシウムイオンを酵素に供給する、カルシウム及び／又はマグネシウムイオンの水溶性供給源を最終組成物中に存在させることによって安定化させることができる。
【０１１２】
触媒金属錯体−本出願人らの組成物には、触媒金属錯体が含まれてよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性を殆ど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系である。
【０１１３】
所望であれば、本明細書の組成物はマンガン化合物により触媒作用を受けることが可能である。このような化合物及び使用濃度は当該技術分野において周知である。
【０１１４】
また、本明細書中の組成物には、「ＭＲＬ」と略される大多環式剛性配位子の遷移金属錯体が好適に含まれてよい。実際には、限定するものではないが、本明細書における組成物及び洗浄方法は、水性洗浄媒体中において少なくとも約１億分率の有益剤ＭＲＬ種を提供するように調整することができ、約０．００５ｐｐｍ〜約２５ｐｐｍ、約０．０５ｐｐｍ〜約１０ｐｐｍ、又は更には約０．１ｐｐｍ〜約５ｐｐｍのＭＲＬを洗浄溶液中に提供することができる。
【０１１５】
遷移金属漂白剤触媒中の好ましい遷移金属としては、マンガン、鉄、及びクロムが挙げられる。本明細書における好ましいＭＲＬは、交差架橋した特定の種類の超剛性配位子、例えば、５，１２−ジエチル−１，５，８，１２−テトラアザビシクロ［６．６．２］ヘキサデカンである。
【０１１６】
レオロジー改質剤
本発明の液体組成物はレオロジー改質剤を含んでよい。レオロジー改質剤は、非ポリマー結晶性のヒドロキシ官能性材料であり、組成物の水性液体マトリクスに剪断減粘特性を付与する、ポリマーレオロジー変性剤からなる群から選択されてよい。一態様では、かかるレオロジー変性剤は、水性液体組成物に、２０秒−１の剪断速度及び２１℃にて、１〜７０００ｍＰａ．ｓの高剪断粘度、及び、低剪断（２１℃において剪断速度０．５秒−１）にて１０００ｍＰａ．ｓ超又は更には１０００ｍＰａ．ｓ〜２００，０００ｍＰａ．ｓの粘度を付与する。一態様では、洗浄及びトリートメント組成物のために、かかるレオロジー変性剤は、水性液体組成物に、約２０秒−１及び２１℃において５０〜３０００ｍＰａ．ｓの高剪断粘度、及び、低剪断（２１℃において０．５秒−１の剪断速度）において１０００ｍＰａ．ｓ超又は更には１０００ｍＰａ．ｓ〜２００，０００ｍＰａ．ｓの粘度を付与する。本発明による粘度は、プレート直径４０ｍｍ及び間隙サイズ５００μｍを有する平板鋼スピンドルを使用する、ＴＡ  ｉｎｓｔｒｕｍｅｎｔｓ製のＡＲ２０００レオメーターを使用して測定される。２０秒−１の高剪断粘度及び０．５秒−１の低剪断粘度は、２１℃で３分の時間内の０．１秒−１から２５秒−１までの対数剪断速度掃引から得ることができる。結晶性ヒドロキシ官能性材料は、マトリックス内で現場で結晶化されると組成物のマトリックスの全体にわたって糸様構造系を形成するレオロジー改質剤である。高分子レオロジー変性剤は、好ましくはポリアクリレート、高分子ゴム、その他の非ゴム多糖類、及びこれらの高分子材料の組み合わせから選択される。
【０１１７】
一般的には、レオロジー変性剤は、本明細書の組成物の、０．０１重量％〜１重量％、好ましくは０．０５重量％〜０．７５重量％、より好ましくは０．１重量％〜０．５重量％で含まれる。
【０１１８】
本発明の組成物に特に有用である構造化体は、マトリクス系内で結晶化されると、液体マトリクスの全体にわたって糸様構造系を形成することができる非高分子（従来のアルコキシル化を除く）結晶性ヒドロキシ官能性材料を含むことができる。かかる物質は、一般的には、結晶性ヒドロキシル含有脂肪酸、脂肪酸エステル又は脂肪ワックスとして特徴付けることができる。１つの態様では、レオロジー変性剤としては、ヒマシ油及びその誘導体などの結晶性ヒドロキシル含有レオロジー変性剤が挙げられる。一態様では、レオロジー変性剤としては、硬化ヒマシ油及び硬化ヒマシワックスなどの硬化ヒマシ油誘導体が挙げられる。市販のヒマシ油系結晶性ヒドロキシル含有レオロジー改質剤としては、Ｒｈｅｏｘ，Ｉｎｃ．（現Ｅｌｅｍｅｎｔｉｓ）からのＴＨＩＸＣＩＮ（商標）が挙げられる。
【０１１９】
これまでに記載された非ポリマー結晶性ヒドロキシル含有レオロジー変性剤に加えて、他の種類のレオロジー変性剤が本明細書の液体洗剤組成物に利用されてもよい。水性液体マトリックスに剪断減粘特性を提供するポリマー材料も使用され得る。
【０１２０】
好適なポリマーレオロジー変性剤としては、ポリアクリレート、多糖又は多糖誘導体の種類のものが挙げられる。レオロジー変性剤として典型的に用いられる多糖誘導体には、ポリマーゴム材料が含まれる。かかるゴムとしては、ペクチン、アルギン酸塩、アラビノガラクタン（アラビアゴム）、カラギーナン、ジェランガム、キサンタンガム、及びグアーガムが挙げられる。
【０１２１】
本明細書においてポリマーレオロジー変性剤が使用される場合、この種類の好ましい材料はジェランガムある。ジェランガムは、シュードモナセロディア（Pseudomonaselodea）ＡＴＣＣ  ３１４６１の発酵によって調製されるヘテロ多糖である。ジェランガムは、商品名ＫＥＬＣＯＧＥＬで、ＣＰ  Ｋｅｌｃｏ  Ｕ．Ｓ．，Ｉｎｃ．により市販されている。
【０１２２】
更なる代替の好適なレオロジー変性剤としては、溶媒とポリカルボキシラートポリマーとの組み合わせが挙げられる。より詳しくは、溶媒はアルキレングリコールであり得る。１つの態様では、溶媒は、ジプロピレングリコールを含んでもよい。１つの態様では、ポリカルボキシラートポリマーは、ポリアクリレート、ポリメタクリレート又はこれらの混合物を含んでもよい。１つの態様では、溶媒は、全組成物重量に基づいて、組成物の０．５重量％〜１５重量％、又は２重量％〜９重量％の濃度で存在し得る。１つの態様では、ポリカルボキシラートポリマーは、全組成物重量に基づいて、０．１重量％〜１０重量％、又は２重量％〜５重量％の濃度で存在し得る。１つの態様では、溶媒成分は、ジプロピレングリコールと１，２−プロパンジオールとの混合物を含み得る。一態様では、ジプロピレングリコールと１，２−プロパンジオールとの比は、３：１〜１：３、又は更には１：１であり得る。１つの態様では、ポリアクリレートは、不飽和モノ−又はジ−炭酸と、（メタ）アクリル酸のＣ１〜Ｃ３０アルキルエステルとのコポリマーを含み得る。別の態様では、レオロジー変性剤は、不飽和モノ−又はジ−炭酸と、（メタ）アクリル酸のＣ１〜Ｃ３０アルキルエステルとのポリアクリレートを含み得る。かかるコポリマーは、商品名Ｃａｒｂｏｐｏｌ  Ａｑｕａ  ３０（登録商標）でＮｏｖｅｏｎ  Ｉｎｃ．から入手可能である。
【０１２３】
レオロジー変性剤の非存在下、所望の剪断減粘特性を液体組成物に付与する目的で、液体組成物は界面活性剤相化学又はゲル相により内部構造化することができる。
【０１２４】
消費者向け製品の製造及び使用プロセス
本発明の消費者向け製品の実施形態は、任意の好適な形態に配合され、配合者によって選択される任意のプロセスによって調製され得、その非限定例は、米国特許第５，８７９，５８４号に記載されている：それは参照により本明細書に組み込まれる。
【０１２５】
一態様では、本明細書に開示される香料及び／又はこれを含む送達系は、固体粒子、特にポリマー系粒子に組み込まれてよい。好ましくは、前記香料送達系は、前記香料の１又はそれ以上の前記香料を含むマイクロカプセルである。そのようなポリマー粒子の例としては、ポリエチレングリコール、デンプン及び多糖、ポリビニルアルコール、セルロースを含む粒子を挙げることができる。そのような粒子は、さらに、追加の成分、例えば他の有益剤、無機充填剤、例えば炭酸塩、ケイ酸塩、クレイ、金属酸化物などを含んでよい。特に有用な粒子としては、ポリエチレングリコールに基づく粒子が挙げられる。
【０１２６】
使用方法
本明細書に開示されている封入体を含有する消費者向け製品などの組成物は、部位、とりわけ表面又は布地を洗浄及び処理するために使用することができる。一般に、この部位の少なくとも一部を、無希釈形態で、又は液体（例えば洗浄液）で希釈して、本出願人の組成物の実施形態と接触させた後、所望によりその部位を洗浄及び／又はすすぎ洗いしてもよい。一態様では、ある部位が所望により洗浄され及び／又はすすがれ、本発明による封入体に又は上記封入体を含む組成物に接触され、次に所望により洗浄され及び／又はすすがれる。本発明の目的に関して、洗浄は、こすり洗い及び機械的撹拌を含むが、これらに限定されない。部位は、例えば、布地、通常の消費者使用条件で洗濯又は処理できる布地といった、殆どのどんな材料も含み得る。開示される組成物を含み得る液体は、約３〜約１１．５のｐＨを有していてよい。このような組成物は、典型的に、溶液中約５００ｐｐｍ〜約１５，０００ｐｐｍの濃度で使用される。洗浄溶媒が水であるとき、水温は、一般に約５℃〜約９０℃であり、部位が布地を含むとき、水の布地に対する比は、典型的に、約１：１〜約３０：１である。
【０１２７】
試験方法
悪臭低減物質は、ＧＣ−ＭＳ及び／又はＮＭＲを含む分析法によって、限定されるものではないが消費者向け製品などの最終製品を含む混合物から分離され、同定されることができる。
【０１２８】
体積加重平均粒度の試験
粒度は、カリフォルニア州サンタバーバラ所在のＰａｒｔｉｃｌｅ  Ｓｉｚｉｎｇ  Ｓｙｓｔｅｍｓ製Ａｃｃｕｓｉｚｅｒ  ７８０Ａを用いて測定する。計測器はＤｕｋｅ粒度基準を用いて０から３００μまで較正する。粒度評価のためのサンプルは、約１ｇの乳濁液（乳濁液の体積加重平均粒度を求める場合）、又は１ｇのカプセルスラリー（最終カプセルの体積加重平均粒度を求める場合）を約５ｇの脱イオン水に希釈し、約１ｇのこの溶液を約２５ｇの水にさらに希釈することによって準備する。
【０１２９】
自動希釈機能を用いて、約１ｇの最も希釈された試料がＡｃｃｕｓｉｚｅｒに添加され、試験が開始される。Ａｃｃｕｓｉｚｅｒは、９２００カウント／秒を超えて読み取るはずである。カウントが９２００未満の場合、追加の試料が添加されるべきである。Ａｃｃｕｓｉｚｅｒは、９２００カウント／秒になるまで試験試料を希釈し、評価を開始する。試験から２分後、Ａｃｃｕｓｉｚｅｒは、体積加重中央寸法を含む結果を表示する。
【０１３０】
蓄積粒子体積の９５％が超えた粒径（９５％寸法）、蓄積粒子体積の５％が超えた粒径（５％寸法）、及び体積加重中央粒径（５０％寸法−この寸法を超える粒子体積及びこの寸法を下回る粒子体積の両方が粒子体積の５０％）を決定することによって、幅指数を計算することができる。幅指数（５）＝（（９５％寸法）−（５％寸法）／５０％寸法）。
【０１３１】
飽和蒸気圧（ＶＰ）を求めるための試験方法
飽和蒸気圧（ＶＰ）値は、試験される香料混合物中の各々のＰＲＭについて算定される。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（カナダ、トロント）より入手可能なＶＰ計算モデル、１４．０２版（Ｌｉｎｕｘ）を用いて計算され、トルの単位で表示される２５℃でのＶＰ値が得られる。ＡＣＤ／Ｌａｂｓの蒸気圧モデルは、ＡＣＤ／Ｌａｂｓモデルスイートの一部である。
【０１３２】
オクタノール／水分配係数の対数（ｌｏｇＰ）を求めるための試験方法
オクタノール／水分配係数のｌｏｇ値（ｌｏｇＰ）は、試験される香料混合物中の各々のＰＲＭについて算定される。個々のＰＲＭのｌｏｇＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（カナダ、トロント）より入手可能なＣｏｎｓｅｎｓｕｓ  ｌｏｇＰ計算モデル、バージョン１４．０２（Ｌｉｎｕｘ）を用いて計算され、単位のないｌｏｇＰ値が得られる。ＡＣＤ／ＬａｂｓのＣｏｎｓｅｎｓｕｓ  ｌｏｇＰ計算モデルは、ＡＣＤ／Ｌａｂｓモデルスイートの一部である。
【０１３３】
分子記述子の生成のための試験方法
本明細書に記載される算定値試験方法に含まれる計算を実行するために、必要とされる開始情報には、その香料の一部として、試験される香料中の各々のＰＲＭの識別値（ｉｄｅｎｔｉｔｙ）、重量パーセント、及びモルパーセントが含まれ、香料組成物中の全てのＰＲＭが計算に含められる。その上に、本明細書に記載される分子記述子の生成のための試験方法に従って求められるように、それらのＰＲＭの各々についての分子構造、及び様々な演算によって導かれた分子記述子の値も必要とされる。
【０１３４】
香料混合物又は組成物中の各々のＰＲＭについて、その分子構造は、様々な分子記述子を算定するために使用される。分子構造は、米国オハイオ州コロンバス所在のアメリカ化学会の一部門であるケミカル・アブストラクト・サービス（「ＣＡＳ」）に提供される分子構造のグラフィック表示によって求められる。これらの分子構造は、ＣＡＳ化学物質登録システムのデータベースから各々のＰＲＭの索引名又はＣＡＳ番号を調べることによって得ることができる。試験の時点でＣＡＳ化学物質登録システムのデータベースにまだリストされていないＰＲＭに関しては、その他のデータベース又は情報源を用いてそれらの構造を求めることができる。１以上の異性体が存在する可能性のあるＰＲＭに関しては、そのＰＲＭを代表するように選択されるただ一つの異性体の分子構造を用いて分子記述子の算定を実行する。異性体の選択は、異性体の分子構造における伸長（extension）の相対量によって決定される。所与ＰＲＭの全ての異性体のうち、その分子構造が最も優勢な異性体が、ＰＲＭを表すために選択される異性体である。そのＰＲＭのその他の可能性のある異性体の構造は、算定から除外される。最も優勢な異性体の分子構造は、そのＰＲＭの濃度と一組にされる。ここで濃度は存在するそのＰＲＭの全ての異性体の存在を反映する。
【０１３５】
分子構造式エディタ又は分子構造式描画ソフトウェアプログラム、例えばＣｈｅｍＤｒａｗ（米国マサチューセッツ州ウォルサム所在のケンブリッジソフト／パーキンエルマー社）を使用して、各々のＰＲＭを表す二次元分子構造の複製を作成する。分子構造は、中性化学種（第四級窒素原子が許容される）として表され、不連続断片を含まない（例えば、対イオンを含まない単一構造）。下に記載されるｗｉｎＭｏｌｃｏｎｎプログラムは、適当な数の水素原子を加えることによってどんな脱プロトン化官能基も中性型に変換することができ、対イオンを捨てる。
【０１３６】
各々のＰＲＭに関して、分子構造式描画ソフトウェアを使用してＰＲＭの分子構造を説明するファイルを作成する。ＰＲＭの分子構造を説明する１以上のファイルは、その後、各々のＰＲＭについての様々な分子記述子を得るためにコンピュータソフトウェアプログラムｗｉｎＭｏｌｃｏｎｎ、バージョン１．０．１．３（米国マサチューセッツ州クインシー所在のＨａｌｌ  Ａｓｓｏｃｉａｔｅｓ  Ｃｏｎｓｕｌｔｉｎｇ、ｗｗｗ．ｍｏｌｃｏｎｎ．ｃｏｍ）にかける。したがって、許容可能な選択肢である構造表記及びファイル形式を決定するのは、ｗｉｎＭｏｌｃｏｎｎソフトウェアプログラムである。これらの選択肢には、ＭＡＣＣＳ  ＳＤＦ形式ファイル（すなわち、構造データファイル）；又は、単純なテキストファイルの範囲内で一般に称され、多くの場合「．ｓｍｉ」又は「．ｔｘｔ」のファイル名拡張子を伴うＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわち、ＳＭＩＬＥＳストリング構造線記法）が含まれる。ＳＤＦファイルは、各々の分子構造をマルチライン記録の形式で表し、一方、ＳＭＩＬＥＳ構造のシンタックスは、ホワイトスペースを含まない単一行のテキストである。構造名又は識別子は、それを同じ行にＳＭＩＬＥＳストリングに続いてスペースを開けて含めることによってＳＭＩＬＥＳストリングに付加することができる、例：Ｃ１＝ＣＣ＝ＣＣ＝Ｃ１ベンゼン。
【０１３７】
ｗｉｎＭｏｌｃｏｎｎソフトウェアプログラムは、各々のＰＲＭの多数の分子記述子を生成するために使用され、それはその後にテーブル形式で出力される。ｗｉｎＭｏｌｃｏｎｎによって得られる具体的な分子記述子は、その後、多様なコンピュータモデル試験方法の入力（すなわち数学的方程式の変数項として）として使用されて、各々のＰＲＭについて、値、例えば：飽和蒸気圧（ＶＰ）；沸点（ＢＰ）；オクタノール／水分配係数の対数（ｌｏｇＰ）；臭気検出閾値（ＯＤＴ）悪臭低減値（ＭＯＲＶ）；及び／又はユニバーサル悪臭低減値（Ｕｎｉｖｅｒｓａｌ  ＭＯＲＶ）を計算する。このモデルの試験方法の算定で使用される分子記述子ラベルは、ｗｉｎＭｏｌｃｏｎｎプログラムによって報告される同じラベルであり、それらの説明及び定義は、ｗｉｎＭｏｌｃｏｎｎの説明書にリストされているのを見出すことができる。以下は、ｗｉｎＭｏｌｃｏｎｎソフトウェアプログラムを実行し、組成物中の各々のＰＲＭの必要な分子構造記述子を生成する方法の一般的な説明である。
【０１３８】
ｗｉｎＭｏｌｃｏｎｎを使用して分子構造記述子を算定する方法：
１）１又はそれ以上の香料成分の分子構造を、ＳＤＦファイルとも呼ばれるＭＡＣＣＳ構造データファイル、又はＳＭＩＬＥＳファイルの形態で集める。
２）ｗｉｎＭｏｌｃｏｎｎプログラムのバージョン１．０．１．３を使用し、適切なコンピュータで実行し、上記のＳＤＦ又はＳＭＩＬＥＳファイルを入力として使用して、プログラムから利用可能な分子記述子の完全なコンプリメントを算定する。
ａ．ｗｉｎＭｏｌｃｏｎｎの出力は、ＡＳＣＩＩテキストファイルの形態であり、一般的にスペースで区切られ、入力ファイルの各々の構造について最初のカラムに構造識別子を含み、残りのカラムにそれぞれの分子記述子を含む。
３）表計算ソフトウェアプログラム又は何らかの他の適切な技法を用いてテキストファイルを構文解析してカラムにする。分子記述子ラベルは得られる表の１行目に見出される。
４）分子記述子ラベルによって特定され、各々のモデルに必要な入力に対応する、記述子カラムを検出して抜き出す。
ａ．ｗｉｎＭｏｌｃｏｎｎ分子記述子ラベルは大文字と小文字が区別されることに注意。
【０１３９】
ＭＯＲＶ及びユニバーサルＭＯＲＶの計算
１．）上記方法によって求められる分子記述子値を次の４つの式に入力する：
ａ）ＭＯＲＶ＝−８．５０９６＋２．８５９７×（ｄｘｐ９）＋１．１２５３×（ｋｎｏｔｐｖ）−０．３４４８４×（ｅ１Ｃ２Ｏ２）−０．０００４６２３１×（ｉｄｗ）＋３．３５０９×（ｉｄｃｂａｒ）＋０．１１１５８×（ｎ２ｐａｇ２２）
ｂ）ＭＯＲＶ＝−５．２９１７＋２．１７４１×（ｄｘｖｐ５）−２．６５９５×（ｄｘｖｐ８）＋０．４５２９７×（ｅ１Ｃ２Ｃ２ｄ）−０．６２０２×（ｃ１Ｃ２Ｏ２）＋１．３５４２×（ＣｄＣＨ２）＋０．６８１０５×（ＣａａｓＣ）＋１．７１２９×（ｉｄｃｂａｒ）
ｃ）ＭＯＲＶ＝−０．００３５＋０．８０２８×（ＳＨＣｓａｔｕ）＋２．１６７３×（ｘｖｐ７）−１．３５０７×（ｃ１Ｃ１Ｃ３ｄ）＋０．６１４９６×（ｃ１Ｃ１Ｏ２）＋０．００４０３×（ｉｄｃ）−０．２３２８６×（ｎｄ２）．
ｄ）ＭＯＲＶ＝−０．９９２６−０．０３８８２×（ＳｄＯ）＋０．１８６９×（Ｓｓｐ３ＯＨ）＋２．１８４７×（ｘｐ７）＋０．３４３４４×（ｅ１Ｃ３Ｏ２）−０．４５７６７×（ｃ１Ｃ２Ｃ３）＋０．７６８４×（ＣＫｅｔｏｎｅ）
式ａ）は、悪臭トランス−３−メチル−２−ヘキセン酸（カルボン酸  系の悪臭）を低減する物質の有効性に関する
式ｂ）は、悪臭トリメチルアミン（アミン系の悪臭）を低減する物質の有効性に関する
式ｃ）は、悪臭３−メルカプト−３−メチルヘキサン−１−オール（チオール系の悪臭）を低減する物質の有効性に関する
式ｄ）は、悪臭スカトール（インドール系の悪臭）を低減する物質の有効性に関する
２．）本願の目的において、物質のＭＯＲＶは、式１．）ａ）〜１．）ｄ）から得られる最大ＭＯＲＶ値である。
３．）上の式１．）ａ）〜１．）ｄ）から得られる全てのＭＯＲＶ値が０．５よりも大きい場合、対象物質はユニバーサルＭＯＲＶを有する。
【０１４０】
芳香剤忠実度指数（ＦＦＩ）及びブロッカー指数（ＢＩ）を悪臭低減化合物に割り当てるための方法
本発明の消費者向け製品での使用に好適なブロッカー材料は、悪臭を低減し、その一方で芳香剤の知覚を妨げないその能力で選択される。材料選択は、臭気強度をランク付けするために２つの基準スケールから２つの指数を試験サンプル材料に割り当てることによって行われる。２つの基準スケールは、芳香剤忠実度指数（ＦＦＩ）のスケール及びブロッカー指数（ＢＩ）のスケールである。ＦＦＩは、別の芳香剤と組み合わせた場合に干渉を引き起こし得る、知覚できる臭気を付与する試験サンプル材料の能力をランク付け、ＢＩは、試験サンプル材料の悪臭の知覚を低減する能力をランク付ける。ＦＦＩ基準スケール及びＢＩ基準スケールによって試験サンプルに指数を割り当てるための方法は下に記載される。
【０１４１】
ＦＦＩを試験サンプルに割り当てるための方法
ＦＦＩ基準スケールでＦＦＩを試験サンプルに割り当てるための方法の最初の段階は、ＦＦＩ基準見本を作成することである。スケール用の見本は、清浄な布地見本を既知量の既知濃度のエチルバニリン溶液で処理することによって作成される。この試験のための布地見本は、ＰＣ５０／５０として注文されるＥＭＣ製の白色ポリコットン編地（１０センチメートル×１０センチメートル（４インチ×４インチ））見本である。供給者は見本を最初に色抜きするよう指示され、色抜きは芳香剤を含まない洗剤で２回洗浄し、３回すすぐことを必要とする。
【０１４２】
ＦＦＩ基準見本の作成
５０％／５０％  ＥｔＯＨ／水を希釈液として次の濃度：２５ｐｐｍ、１２０ｐｐｍ及び１０００ｐｐｍで用いてエチルバニリンの３つの溶液を作成する。この３つの溶液の各々の１３μＬを清浄な見本の中央にピペットで移して、見本の中央に直径約１ｃｍの溶液を得る。これは、見本の上にピペットで移した溶液の濃度に基づく、３つの異なる臭気レベルをもつ３つの見本の感覚の尺度となる。排気フード内で３０分間乾燥させた後、見本をアルミ箔で包んで処理した見本への臭気混入を防ぐ。正常な未処理の見本もＦＦＩスケールでの臭気強度基準の最も低いアンカーポイントとして含める。ＦＦＩ基準スケール見本は、０．５〜１２時間以内に使用され、１２時間後に廃棄されるべきである。見本は、評点者が１以上の試験サンプルを評価し、表７に示されるように芳香剤忠実度指数（ＦＦＩ）を割り当てる際のスケールアンカーポイントとして使用される。
【０１４３】
少なくとも４名のパフューマー／熟練評点者を使用してエチルバニリン見本をＦＦＩスケールにランク付けする。パフューマー／熟練評点者は、スケールで適切な区別を示す必要がある。パフューマー／熟練パネルは０〜３の間のスケールに従って見本に順位をつけるよう依頼される。パネルは、表７に見られるように見本間の統計学的な相違を示さなければならない。
【０１４４】
【表９】
2017536859.tif 000038
【０１４５】
熟練評点者は、許容されるように区別されるべき４つの見本に対し２．５の最大範囲を示さなければならない。表１の評点者２の範囲は２しかなかったため、パネルから除かれる。熟練評点者のパネルはまた、見本をスケールで統計的に区別する能力を示さなければならない。
【０１４６】
【表１０】
2017536859.tif 000039
【０１４７】
基準見本は、表９のＦＦＩ基準スケールで０、１、２、及び３のＦＦＩを示す。熟練評点者は、０（最も低い臭気強度）から出発し、３（最も高い臭気強度）で終わる各見本を嗅ぐことによって、ＦＦＩ基準見本の臭気強度に精通していなければならない。これは、試験サンプル物質で処理した見本を評価する前に行わなければならない。
【０１４８】
【表１１】
2017536859.tif 000040
【０１４９】
試験物質で処理した見本の作成
清浄な見本を１３μＬの既知濃度の試験サンプル材料で処理し、その結果清浄な見本上に約１ｃｍの溶液を得る。基準見本のように、試験サンプル材料見本を排気フード内で３０分間乾燥させた後、アルミ箔で包んで汚染を防ぐ。試験物質見本及びＦＦＩ基準見本は互いに２時間以内に作成されなければならない。試験物質見本は０．５〜１２時間以内に使用され、１２時間後に廃棄されなければならない。
【０１５０】
ＦＦＩの試験物質への割り当て
少なくとも２名のパフューマー／熟練評点者を使用してＦＦＩ評点を試験サンプルに割り当てる。パフューマー／熟練評点者は、試験サンプル見本を彼らの鼻から２．５センチメートル（１インチ）に保持し、鼻を試験サンプルがピペットで布地に移された区域の中心の上方に置くことによってその見本の匂いを嗅ぎ、その後ＦＦＩ基準スケールアンカー見本を対照として用いて試験サンプルにＦＦＩ評点を割り当てる。試験サンプル見本は、表９に示されるＦＦＩスケールの数字又は数字間のＦＦＩ評点が割り当てられる。試験サンプル物質に３よりも大きい評点がつけられる場合には、その試験物質はブロッカー物質ではないか、又は、物質の濃度を下げて再評価して低い濃度で悪臭ブロッカー官能性があるかどうか判断する必要がある。
【０１５１】
ＢＩを試験サンプルに割り当てるための方法
ＢＩ基準スケールでＢＩを試験サンプル物質に割り当てるための方法の最初の段階は、ＢＩ基準見本を作成することである。スケール用の見本は、清浄な布地見本を既知濃度の既知量の既知容積のイソ吉相酸溶液で処理することによって作成される。この試験のための布地見本は、ＰＣ５０／５０として注文されるＥＭＣ製の白色ポリコットン編地（１０センチメートル×１０センチメートル（４インチ×４インチ））見本である。供給者は見本を最初に色抜きするよう指示され、色抜きは芳香剤を含まない洗剤で２回洗浄し、３回すすぐことを必要とする。
【０１５２】
ＢＩ基準見本の作成
５０％／５０％  ＥｔＯＨ／水を希釈液として用いて１つの０．０８％イソ吉草酸の溶液を作成する。ＢＩスケールは、悪臭を適用しない清浄な見本を１つ含む。その他の３つの見本は各々、異なる容積の０．０８％イソ吉草酸が適用される。ピペットで２μＬの０．０８％イソ吉相酸溶液を１つの清浄な見本に移し、５μＬの０．０８％イソ吉相酸溶液を次の見本に移し、２０μＬのイソ吉草酸を最後の清浄な見本に移した。これらの溶液はピペットで見本の中央に移される。これは、見本の上にピペットで移した０．０８％イソ吉相酸溶液の容積に基づく、３つの異なる臭気レベルをもつ３つの見本の感覚の尺度となる。排気フード内で３０分間乾燥させた後、見本をアルミ箔で包んで処理した見本への臭気混入を防ぐ。正常な未処理の見本もＢＩスケールでの悪臭強度基準の最も低いアンカーポイントとして含める。ＢＩ基準スケール見本は、０．５〜１２時間以内に使用され、１２時間後に廃棄されるべきである。見本は、評点者が１以上の試験サンプルを評価し、表１２に示されるようにブロッカー指数（ＢＩ）を割り当てる際のスケールアンカーポイントとして使用される。
【０１５３】
少なくとも４名のパフューマー／熟練評点者を使用してイソ吉草酸見本をＢＩスケールにランク付けする。パフューマー／熟練評点者は、スケールで適切な区別を示す必要がある。パフューマー／熟練評点者は０〜３の間のスケールに従って見本に順位をつけるよう依頼される。評点者のパネルは、表１０に見られるように見本間の統計学的な相違を示さなければならない。
【０１５４】
【表１２】
2017536859.tif 000041
【０１５５】
熟練評点者は、許容されるように区別されるべき４つの見本に対し２．５の最大範囲を示さなければならない。熟練評点者のパネルはまた、見本をスケールで統計的に区別する能力を示さなければならない。熟練評点者＃２は、見本を区別する能力を示さなかったので、パネルから除いた。表１１を参照されたい。
【０１５６】
【表１３】
2017536859.tif 000042
【０１５７】
基準見本は、表１２のＢＩ基準スケールで０、１、２、及び３のＢＩＩを示す。熟練評点者は、０（最も低い臭気強度）から出発し、３（最も高い臭気強度）で終わる各見本を嗅ぐことによって、ＢＩ基準見本の臭気強度に精通していなければならない。これは、試験物質で処理した見本を評価する前に行わなければならない。
【０１５８】
【表１４】
2017536859.tif 000043
【０１５９】
悪臭のある見本の作成及び試験物質による処理
Ｂｉを評価するために、試験物質を悪臭のある見本に適用して試験物質がどのようにうまく悪臭をブロックするかを判定する。悪臭のある見本は、イソ吉草酸の０．０８％溶液２０μＬで清浄な見本を処理することによって作成される。イソ吉草酸で処理した悪臭のある見本を排気フード内で３０分間乾燥させる。悪臭のある見本を乾燥させた後、１ｐｐｍ〜１００ｐｐｍの間の既知濃度の試験物質溶液を、ピペットで悪臭のある見本の上に移す。イソ吉相酸溶液が塗布されて直径約１ｃｍのスポットを作っている場所の真上に試験物質溶液を適用する。ＢＩ基準見本のように、イソ吉草酸＋試験物質見本を排気フード内で３０分間乾燥させ、その後アルミ箔で包んで汚染を防ぐ。イソ吉草酸＋試験物質見本及びＢＩ基準見本は互いに２時間以内に作成されなければならない。イソ吉草酸＋試験物質見本は、基準見本のように１〜１２時間の間に使用されなければならない。ＢＩを判定するために、約１〜約１００ｐｐｍの間のいくつかの試験物質の濃度を評価することが必要な場合がある。
【０１６０】
ＢＩの試験物質への割り当て
少なくとも２名のパフューマー／熟練評点者を使用してＢＩを試験サンプルに割り当てる。熟練評点者は、イソ吉草酸＋試験物質見本を鼻から２．５センチメートル（１インチ）に保持し、鼻を試験サンプルがピペットで布地に移された区域の中心の上方に置くことによってその見本の匂いを嗅ぎ、その後ＢＩ基準スケールの見本の臭気強度に対してその臭気強度を順位づけることによってイソ吉草酸＋試験物質見本にＢＩを割り当てる。試験サンプル見本には、表中のＢＩの数字又は数字間のＢＩが割り当てられる。イソ吉草酸＋試験物質見本の臭気がＢＩ基準スケールの３よりも大きい場合、これはその物質がブロッカー材料ではないか、又は、試験物質の濃度を下げてそのブロッカー官能性を達成する必要があることを示す。
【０１６１】
【表１５】
2017536859.tif 000044
低い濃度での性能が改良された悪臭制御化合物。
下記は、悪臭制御化合物が低い濃度で改良された悪臭制御を与える、好ましい挙動のいくつかの限定されない例である。これらの限定されないデータは悪臭がマスクされずにブロックされている点において、さらなる納得できるデータを提供する。
【０１６２】
【表１６】
2017536859.tif 000045
【０１６３】
低濃度での悪臭低減化合物の再試験。
下の例は、ある悪臭制御化合物が高い濃度で臭気ブロッキングを示すことができなかった（ＢＩ＞２．５）とはいえ、それを低い濃度で再試験してそれが合格するかどうか判定するべきであることを示す。
【０１６４】
【表１７】
2017536859.tif 000046
【０１６５】
実施例１  悪臭低減化合物を含む組成物。
本発明では、ブレンドによってより強力な悪臭低減が可能である。なぜなら、ブレンドは嗅覚によって検知されるようになるまでに、製品組成物の高い％で有用であるためである。下記は、悪臭低減化合物の限定されない例である。
【０１６６】
【表１８】
2017536859.tif 000047
【０１６７】
実施例２  悪臭低減化合物を含む組成物。
【０１６８】
【表１９】
2017536859.tif 000048
【０１６９】
実施例３  悪臭低減組成物。
【０１７０】
【表２０】
2017536859.tif 000049
【０１７１】
実施例４：８４重量％コア／１６重量％壁のメラミンホルムアルデヒド（ＭＦ）カプセル
２５グラムのブチルアクリレート−アクリル酸コポリマー乳化剤（Ｃｏｌｌｏｉｄ  Ｃ３５１、固形分２５％、ｐＫａ４．５〜４．７（米国ジョージア州ケネソー所在のＫｅｍｉｒａ  Ｃｈｅｍｉｃａｌｓ，Ｉｎｃ．））を脱イオン水２００グラムに溶解させ、混合する。溶液のｐＨを、水酸化ナトリウム溶液ｐＨ４．０に調整する。８グラムの部分メチル化メチロールメラミン樹脂（Ｃｙｍｅｌ  ３８５、固形分８０％（米国ニュージャージー州ウエストパターソン所在のＣｙｔｅｃ  Ｉｎｄｕｓｔｒｉｅｓ））を乳化剤溶液に添加する。表１又は表２による香油２００グラムを、前の混合物に機械的撹拌下で添加し、温度を５０℃に上昇させる。安定な乳剤が得られるまで高速で混合した後、第２の溶液及び４グラムの硫酸ナトリウム塩をこの乳剤に加える。この第２の溶液は、１０グラムのブチルアクリレート−アクリル酸コポリマー乳化剤（Ｃｏｌｌｏｉｄ  Ｃ３５１、固形分２５％、ｐＫａ４．５〜４．７、Ｋｅｍｉｒａ）、１２０グラムの蒸留水、ｐＨを４．８に調整するための水酸化ナトリウム溶液、２５グラムの部分メチル化メチロールメラミン樹脂（Ｃｙｍｅｌ  ３８５、固形分８０％、Ｃｙｔｅｃ）を含有する。この混合物を７０℃に加熱し、連続的に撹拌しながら一晩維持して、カプセル封入プロセスを完了させる。２３グラムのアセトアセトアミド（シグマ−アルドリッチ（米国ミズーリ州セントルイス））を懸濁液に添加する。７８０型Ａｃｃｕｓｉｚｅｒによって分析したときに３０μｍの平均カプセルサイズを得る。
【０１７２】
実施例５
本発明の利益を実証するために、本出願人は以下の液体洗剤マトリックスＡを調製した。
【０１７３】
【表２１】
2017536859.tif 000050
（１）Ｍｅｒｑｕａｔ  ５３００：モル比が９０％  ＰＡＭ／５％  ＡＡ／５％  ＭＡＰＴＡＣのＮａｌｃｏ製ターポリマー。
【０１７４】
実施例６〜１３  香料組成物を含む洗濯洗剤組成物を下に記載する。
【０１７５】
【表２２】
2017536859.tif 000051
【０１７６】
実施例１４〜２１香料組成物を含む洗濯洗剤組成物を下に記載する。
【０１７７】
【表２３】
2017536859.tif 000052
【０１７８】
実施例４〜２１に記載の装置及び材料は、以下から入手することができる：ＩＫＡ  Ｗｅｒｋｅ  ＧｍｂＨ  ＆  Ｃｏ．ＫＧ，Ｓｔａｕｆｅｎ，Ｇｅｒｍａｎｙ；ＣＰ  Ｋｅｌｃｏ（米国アトランタ）；Ｆｏｒｂｅｒｇ  Ｉｎｔｅｒｎａｔｉｏｎａｌ  ＡＳ，Ｌａｒｖｉｋ，Ｎｏｒｗａｙ；Ｄｅｇｕｓｓａ  ＧｍｂＨ，Ｄｕｓｓｅｌｄｏｒｆ，Ｇｅｒｍａｎｙ；Ｎｉｒｏ  Ａ／Ｓ、Ｓｏｅｂｅｒｇ，Ｄｅｎｍａｒｋ；Ｂａｋｅｒ  Ｐｅｒｋｉｎｓ  Ｌｔｄ、Ｐｅｔｅｒｂｏｒｏｕｇｈ，Ｕｎｉｔｅｄ  Ｋｉｎｇｄｏｍ；日本触媒（東京）；ＢＡＳＦ，Ｌｕｄｗｉｇｓｈａｆｅｎ，Ｇｅｒｍａｎｙ；Ｂｒａｕｎ，Ｋｒｏｎｂｅｒｇ，Ｇｅｒｍａｎｙ；Ｉｎｄｕｓｔｒｉａｌ  Ｃｈｅｍｉｃａｌｓ  Ｌｉｍｉｔｅｄ，Ｔｈｕｒｒｏｃｋ，Ｕｎｉｔｅｄ  Ｋｉｎｇｄｏｍ；Ｐｒｉｍｅｘ  ｅｈｆ，Ｓｉｇｌｕｆｊｏｒｄｕｒ，Ｉｃｅｌａｎｄ；ＩＳＰ  Ｗｏｒｌｄ  Ｈｅａｄｑｕａｒｔｅｒｓ；米国ペンシルベニア州ウォリントン所在のＰｏｌｙｓｃｉｅｎｃｅｓ，Ｉｎｃ．；Ｃｙｔｅｃ  Ｉｎｄｕｓｔｒｉｅｓ  Ｉｎｃ．，米国ニュージャージー州；Ｉｎｔｅｒｎａｔｉｏｎａｌ  Ｓｐｅｃｉａｌｔｙ  Ｐｒｏｄｕｃｔｓ，米国ニュージャージー州ウェイン；Ｐ＆Ｇ  Ｃｈｅｍｉｃａｌｓ  Ａｍｅｒｉｃａｓ，米国オハイオ州シンシナティ；シグマ−アルドリッチＣｏｒｐ．，米国ミズーリ州セントルイス，米国ミネソタ州ミッドランド所在のダウ・ケミカル・カンパニー。
【０１７９】
実施例２２〜３１：布地柔軟仕上げ剤
本明細書に開示されるポリマーコーティングした香料マイクロカプセルを含有する布地コンディショナーの非限定的実施例を以下の表にまとめる。
【０１８０】
【表２４】
2017536859.tif 000053
ａＮ，Ｎ−ジ（タローオイルオキシエチル）−Ｎ，Ｎ−ジメチルアンモニウムクロライド。
ｂメチルビス（タローアミドエチル）２−ヒドロキシエチルアンモニウムメチルサルフェート。
ｃ脂肪酸とメチルジエタノールアミンのモル比１．５：１の反応生成物、塩化メチルで四級化され、Ｎ，Ｎ−ビス（ステアロイル−オキシ−エチル）Ｎ，Ｎ−ジメチルアンモニウムクロライド及びＮ−（ステアロイル−オキシ−エチル）Ｎ，−ヒドロキシエチルＮ，Ｎジメチルアンモニウムクロライドの１：１モル混合物となる。
ｄＮａｔｉｏｎａｌ  Ｓｔａｒｃｈから商標名ＣＡＴＯ（登録商標）で入手可能なカチオン性高アミローストウモロコシデンプン。
ｆＢＡＳＦ製のＲｈｅｏｖｉｓ  ＤＣＥ
ｇＷａｃｋｅｒ製ＳＥ３９。
ｈジエチレントリアミン五酢酸
ｉローム・アンド・ハース社から入手可能なＫＡＴＨＯＮ（登録商標）ＣＧ。「ＰＰＭ」は、「百万分の一」。
ｊグルタルアルデヒド（Gluteraldehyde）
ｋＤＣ２３１０の商標名でダウ・コーニング社（Dow Corning Corp.）から入手可能なシリコーン消泡剤。
†残部
【０１８１】
実施例３２〜３７  液体洗濯製剤（ＨＤＬｓ）
【０１８２】
【表２５】
2017536859.tif 000054
【０１８３】
実施例３８〜４５：液体単位用量
以下は、液体組成物がＰＶＡフィルム内に封入される単位用量の実施例である。本実施例で使用される好ましいフィルムは、厚さ７６μｍのＭｏｎｏｓｏｌ  Ｍ８６３０である。
【０１８４】
【表２６】
2017536859.tif 000055
−ＮＨにつき２０個のエトキシル基を有するポリエチレンイミン（ＭＷ＝６００）。
３ＲＡ＝アルカリ保存性（ＮａＯＨのｇ／用量）
【０１８５】
実施例４６〜４７  シャンプー配合
【０１８６】
【表２７】
2017536859.tif 000056
【０１８７】
実施例４８〜５５：自由流動粒子製品
そのような香料を含む香料及び／又はマイクロカプセルを含む自由流動粒子製品が下に記載される。下の表はまた、遊離しているか又はマイクロカプセル中の香料も含む組合せ、あるいは悪臭低減物質及び／又は組成物を含む上述の組合せとこれらの組合せも例示する。この表はまた、本質的に「無香料」の製品を提供するために芳香剤をほとんど又は全く含まない、遊離しているか又はマイクロカプセル中の悪臭低減物質及び／又は組成物だけを有する組成物、ならびにその組合せも例示する。
【０１８８】
【表２８】
2017536859.tif 000057
【０１８９】
【表２９】
2017536859.tif 000058
（１）ＰＥＧ
（２）粘土
（３）尿素
（４）多糖、大部分がデンプン、未加工デンプン、デンプン誘導体、酸加工デンプン及びκカラゲナン
（５）ゼオライト
（６）デンプン／ゼオライト−ＳＥＡ
（７）金属酸化物−非限定例−ＴｉＯ２、ＺｎＯ、ＭｎＯ
（８）金属触媒
（９）乳白剤
【０１９０】
実施例５６〜６０水性組成物／布地リフレッシュナー又は空気リフレッシュニング組成物
【０１９１】
【表３０】
2017536859.tif 000059
【０１９２】
得られる布地リフレッシングスプレー製品は、布地表面を処理するために使用される場合、処理された布地の悪臭を低減させるのに効果的である。
【０１９３】
本明細書に開示される寸法及び値は、列挙された正確な数値に厳密に制限されると理解されるべきでない。むしろ、特に断りのない限り、そのような各々の寸法は、列挙される値とその値の周辺の機能的に等価な範囲の両方を意味することが意図される。例えば、「４０ｍｍ」と開示される寸法は、「約４０ｍｍ」を意味することが意図される。
【０１９４】
任意の相互参照されるか又は関連する特許又は特許出願、及び本願がその優先権又はその利益を主張する任意の特許出願又は特許を含む、本願に引用されるあらゆる文書は、明示的に除外されるか又は制限されない限り、参照によりその全文が本願に援用される。いかなる文献の引用も、それが本明細書においてで開示又は特許請求される任意の発明に対する先行技術であることを容認するものではなく、また、それが単独で又は任意の他の１以上の参照文献と組み合わせて、いかなるそのような発明も教示、示唆、又は開示することを容認するものでもない。更に、本文書中の用語の任意の意味又は定義が、参照により援用される文書中の同じ用語の意味又は定義と矛盾する場合には、本文書中のその用語に与えられた意味又は定義を優先するものとする。
【０１９５】
以上、本発明の特定の諸実施形態を図示、説明したが、本発明の趣旨及び範囲から逸脱することなく他の様々な変更及び改変を行いうる点は当業者には自明であろう。したがって、本発明の範囲内にあるそのような変更及び修正は全て添付される特許請求の範囲に網羅されるものとする。
【国際調査報告】
2017536859.tif 000060
2017536859.tif 000061
2017536859.tif 000062
2017536859.tif 000063
2017536859.tif 000064